【事件の表示】
　上記当事者間の特許第５００８２３１号発明「スロットマシン」の特許無効審判事件について、次のとおり審決する。
【結　論】
　特許第５００８２３１号の明細書を訂正請求書に添付された全文訂正明細書のとおり，訂正後の請求項１〜５について訂正することを認める。
　本件審判の請求は、成り立たない。
　審判費用は、請求人の負担とする。
【理　由】
【目次】
第１　手続の経緯 　　　　　　　　　　　　（第４頁）
第２　訂正の適否
１　訂正の内容 　　　　　　　　　　　　　（第５頁）
（１）訂正事項１
　　　〜中略〜
（２８）訂正事項２８
２　訂正の適否の判断　　　　　　　　　　（第１６頁）
（１）訂正事項１
　（１−１）訂正の目的について
　（１−２）新規事項の追加及び特許請求の範囲の拡張・変更について
　　　〜中略〜
（２８）訂正事項２８
　（２８−１）訂正の目的について
　（２８−２）新規事項の追加及び特許請求の範囲の拡張・変更について
（２９）一群の請求項等について
３　まとめ　　　　　　　　　　　　　　　（第４３頁）
第３　本件特許発明　　　　　　　　　　　（第４４頁）
第４　当事者の主張の概要
１　請求人の主張の概要　　　　　　　　　（第４６頁）
　【証拠方法】
　［書証］甲第１〜３８号証
　［検証］検甲第１〜４号証
２　被請求人の主張の概要　　　　　　　　（第４９頁）
　［書証］乙第１〜３号証
第５　当審の判断
１　甲各号証に記載された事項　　　　　　（第５０頁）
（１）甲第１号証
（２）甲第２号証
（３）甲第３号証
　　　〜中略〜
（３８）甲第３８号証
２　検甲号証（検証物）について　　　　　（第７６頁）
（１）検甲第１号証
　（１−１）〜（１−１７）
（２）検甲第２号証
　（２−１）〜（２−１７）
（３）検甲第１〜２号証の証拠としての適否
　ア　請求人の主張
　イ　被請求人の主張
　ウ　当審による検討
　（ａ）検甲第１号証
　　（ａ−１）検甲第１号証が「クランキーコンドル」であること
　　（ａ−２）検甲第１号証の改造可能性
　（ｂ）検甲第２号証
　　（ｂ−１）検甲第２号証が「フローズンナイツ」であること
　　（ｂ−２）検甲第２号証の改造可能性
（４）検甲第３号証
（５）検甲第４号証
　
３　無効理由について　　　　　　　　　（第１０５頁）
３−１　本件特許発明１について
（１）対比
　　［一致点］
　　［相違点１］〜［相違点４］
（２）判断
（２−１）相違点３について
ア 請求人の主張
イ 被請求人の主張
ウ 当審の判断
（２−２）相違点４について
（３）小括
３−２　本件特許発明２及び５について
第６　むすび                  　　　　（第１１７頁）
　　　　　　　　　　　   【理由の本文】
第１　手続の経緯
　本件特許第５００８２３１号（以下，「本件特許」という。）に係る出願（特願２００１−２４６６７３号）は，平成１３年８月１５日を出願日とする出願であって，その特許権の設定登録は平成２４年６月８日にされ，その後，請求人日本電動式遊技機特許株式会社から無効審判が請求されたものである。以下，請求以後の経緯を整理して示す。
平成２７年　１月１９日差出　無効審判請求書の提出
平成２７年　４月　２日　　　審判事件答弁書の提出
平成２７年　４月　２日　　　訂正請求書の提出
平成２７年　５月１４日　　　弁駁書の提出
平成２７年　６月２５日　　　審理事項通知書
平成２７年　８月　５日　　　口頭審理陳述要領書の提出（請求人）
平成２７年　８月　６日　　　口頭審理陳述要領書の提出（被請求人）
平成２７年　８月１９日　　　口頭審理期日延期通知書
平成２７年　８月３１日　　　検証申出書の提出（請求人）
平成２７年　８月３１日　　　上申書の提出（請求人）
平成２７年　９月１４日　　　審理事項通知書
平成２７年１１月　２日　　　口頭審理陳述要領書（２）の提出（請求人）
平成２７年１１月　４日　　　口頭審理陳述要領書（２）の提出（被請求人）
平成２７年１１月１０日　　　上申書の提出（請求人）
平成２７年１１月１８日　　　手続補正書の提出（請求人）
平成２７年１１月１８日　　　上申書の提出（請求人）
平成２７年１１月１８日　　　口頭審理の実施
平成２７年１２月１８日　　　審決の予告
平成２８年　３月　４日　　　審判事件答弁書（２）の提出
平成２８年　３月　４日　　　訂正請求書（２）の提出
平成２８年　４月１４日　　　弁駁書（２）の提出
平成２８年　４月１４日　　　検証申出書の提出（請求人）
第２　訂正の適否
　本件特許の訂正について，平成２７年４月２日付け訂正請求書，及び平成２８年３月４日付け訂正請求書（２）が提出されているが，「訂正の請求がされた場合において，その審判事件において先にした訂正の請求があるときは，当該先の請求は，取り下げられたものとみなす」（特許法第１３４条の２第６項）と規定されているから，平成２８年３月４日付け訂正請求書（２）に添付された全文訂正明細書の訂正のみを検討の対象とする。
　また，請求人は，平成２８年３月４日付け訂正請求書（２）による訂正請求（以下，「本件訂正」という。）について，平成２８年４月１４日付け弁駁書（２）においては争っていない。
１　訂正の内容
（１）訂正事項１
　本件特許請求の範囲の請求項１に
「少なくとも一部に透光性領域を有するカバー部材と，」
とあるのを，
「
全体が
で構成された
に訂正する（下線部は訂正箇所を意味する。以下同様。）。
（２）訂正事項２
　本件特許請求の範囲の請求項１に
「前記化粧部材の後面側に配置され，該化粧部材の後面を被覆する後部カバー部材と，」
とあるのを，
「前記化粧部材の後面側に配置され，該化粧部材の後面を被覆する
前記カバー部材と同材質の全体が透光性領域で構成された
に訂正する。
（３）訂正事項３
　本件特許請求の範囲の請求項１に
「前記化粧部材，前記カバー部材，前記後部カバー部材は，該化粧部材が前記カバー部材及び前記後部カバー部材により挟持され互いに枠体に一体的に組み付けられた状態で前記前面扉の前面側から該前面扉の一部の領域である所定領域に前記枠体を介して係止され，前記前面扉を開放して前記前面扉の後面側から前記係止を解除することにより取り外される，」
とあるのを，
「前記化粧部材，前記カバー部材
及び
外方形状が上辺，該上辺を切り欠いた左右傾斜辺，左右辺及び下辺からなる六角形に形成され，
の後面側に前記カバー部材を突き合わせた後，前記後部カバー部材の後側から前記上辺の両端部及び前記下辺の両端部に形成されたネジ挿通孔にネジを挿通し，前記枠体の後面に形成された雌ネジ部に螺入することにより
れ，
（４）訂正事項４
　本件特許請求の範囲の請求項１に
「
前記枠体の外方形状が上辺，該上辺を切り欠いた左右傾斜辺，左右辺及び下辺からなる六角形の環状に形成されており，先端に第１の係止爪を有する第１の係止片が前記枠体の後端より後ろ向きに突設し前記枠体の上辺よりも内側に前記枠体の上辺に沿って前記枠体の上辺の両端寄りに２個設けられ，先端に第２の係止爪を有する第２の係止片が前記枠体の後端より後ろ向きに突設し前記枠体の下辺よりも内側に前記枠体の下辺に沿って前記枠体の下辺の両端寄りに２個設けられ，先端に第３の係止爪を有する第３の係止片が前記枠体の左辺に沿って前記枠体の左辺の略中央に１個設けられ，先端に第４の係止爪を有する第４の係止片が前記枠体の右辺に沿って前記枠体の右辺の略中央に１個設けられ，前記枠体の前記左右傾斜辺には係止片は設けられておらず，前記第１の係止爪と前記第２の係止爪はそれぞれ外向きに形成され，
　
前記所定領域には，内周形状が上辺，該上辺を切り欠いた左右傾斜辺，左右辺及び下辺からなる六角形であり，前記枠体の外方側面が全周にわたり嵌合する凹部が形成され，前記凹部の内周よりも内側に第１の挿通口が前記凹部の上辺に沿って前記凹部の上辺の両端寄りに２個設けられ，前記凹部の内周よりも内側に第２の挿通口が前記凹部の下辺に沿って前記凹部の下辺の両端寄りに２個設けられ，前記凹部に第３の挿通口が前記凹部の左辺に沿って前記凹部の左辺の略中央に１個設けられ，前記凹部に第４の挿通口が前記凹部の右辺に沿って前記凹部の右辺の略中央に１個設けられ，前記凹部の前記左右傾斜辺には挿通口が設けられておらず，
　
前記第１の係止片が前記第１の挿通口に挿通されたときには前記第１の係止爪が前記前面扉の裏面に外向きに係止され，前記第２の係止片が前記第２の挿通口に挿通されたときには前記第２の係止爪が前記前面扉の裏面に外向きに係止され，前記第３の係止片は前記第３の挿通口に挿通され前記第３の係止爪が前記前面扉の裏面に係止され，前記第４の係止片は前記第４の挿通口に挿通され前記第４の係止爪が前記前面扉の裏面に係止されることにより，前記枠体の外方側面が全周にわたり前記凹部に嵌合し前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する状態で，一体化した前記枠体，前記化粧部材，前記カバー部材及び前記後部カバー部材は前記前面扉に取り付けられ，
　
一体化した前記枠体，前記化粧部材，前記カバー部材及び前記後部カバー部材が前記前面扉に取り付けられた状態では，前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する
を加える。
（５）訂正事項５
　本件特許請求の範囲の請求項３，４を削除する。
（６）訂正事項６
　本件特許請求の範囲の請求項５に
「請求項１〜４のいずれかに記載のスロットマシン。」
とあるのを，
「請求項１
または２
に訂正する。
（７）訂正事項７
　願書に添付した明細書の段落【０００６】に
「１ゲームに対して賭数を設定することによりゲームが開始可能となるとともに，表示状態を変化させることが可能な可変表示装置の表示結果が導出表示されることにより１ゲームが終了し，前記可変表示装置の表示結果に応じて所定の入賞が発生可能なスロットマシンにおいて，
　前面が開口する本体と，
　前記本体の前面開口を開閉可能に設けられる前面扉と，
　少なくとも一部に透光性領域を有するカバー部材と，
　前記カバー部材の後面側に配置され，前記透光性領域に対応する箇所に装飾が施された化粧部材と，
　前記化粧部材の後面側に配置され，該化粧部材の後面を被覆する後部カバー部材と，を備え，
　前記化粧部材，前記カバー部材，前記後部カバー部材は，該化粧部材が前記カバー部材及び前記後部カバー部材により挟持され互いに枠体に一体的に組み付けられた状態で前記前面扉の前面側から該前面扉の一部の領域である所定領域に前記枠体を介して係止され，前記前面扉を開放して前記前面扉の後面側から前記係止を解除することにより取り外される，ことを特徴としている。」
とあるのを，
「１ゲームに対して賭数を設定することによりゲームが開始可能となるとともに，表示状態を変化させることが可能な可変表示装置の表示結果が導出表示されることにより１ゲームが終了し，前記可変表示装置の表示結果に応じて所定の入賞が発生可能なスロットマシンにおいて，
　前面が開口する本体と，
　前記本体の前面開口を開閉可能に設けられる前面扉と，
　
全体が
で構成された
　前記カバー部材の後面側に配置され，前記透光性領域に対応する箇所に装飾が施された化粧部材と，
　前記化粧部材の後面側に配置され，該化粧部材の後面を被覆する
前記カバー部材と同材質の全体が透光性領域で構成された
　前記化粧部材，前記カバー部材
及び
外方形状が上辺，該上辺を切り欠いた左右傾斜辺，左右辺及び下辺からなる六角形に形成され，
の後面側に前記カバー部材を突き合わせた後，前記後部カバー部材の後側から前記上辺の両端部及び前記下辺の両端部に形成されたネジ挿通孔にネジを挿通し，前記枠体の後面に形成された雌ネジ部に螺入することにより
れ，
　
前記枠体の外方形状が上辺，該上辺を切り欠いた左右傾斜辺，左右辺及び下辺からなる六角形の環状に形成されており，先端に第１の係止爪を有する第１の係止片が前記枠体の後端より後ろ向きに突設し前記枠体の上辺よりも内側に前記枠体の上辺に沿って前記枠体の上辺の両端寄りに２個設けられ，先端に第２の係止爪を有する第２の係止片が前記枠体の後端より後ろ向きに突設し前記枠体の下辺よりも内側に前記枠体の下辺に沿って前記枠体の下辺の両端寄りに２個設けられ，先端に第３の係止爪を有する第３の係止片が前記枠体の左辺に沿って前記枠体の左辺の略中央に１個設けられ，先端に第４の係止爪を有する第４の係止片が前記枠体の右辺に沿って前記枠体の右辺の略中央に１個設けられ，前記枠体の前記左右傾斜辺には係止片は設けられておらず，前記第１の係止爪と前記第２の係止爪はそれぞれ外向きに形成され，
　
前記所定領域には，内周形状が上辺，該上辺を切り欠いた左右傾斜辺，左右辺及び下辺からなる六角形であり，前記枠体の外方側面が全周にわたり嵌合する凹部が形成され，前記凹部の内周よりも内側に第１の挿通口が前記凹部の上辺に沿って前記凹部の上辺の両端寄りに２個設けられ，前記凹部の内周よりも内側に第２の挿通口が前記凹部の下辺に沿って前記凹部の下辺の両端寄りに２個設けられ，前記凹部に第３の挿通口が前記凹部の左辺に沿って前記凹部の左辺の略中央に１個設けられ，前記凹部に第４の挿通口が前記凹部の右辺に沿って前記凹部の右辺の略中央に１個設けられ，前記凹部の前記左右傾斜辺には挿通口が設けられておらず，
　
前記第１の係止片が前記第１の挿通口に挿通されたときには前記第１の係止爪が前記前面扉の裏面に外向きに係止され，前記第２の係止片が前記第２の挿通口に挿通されたときには前記第２の係止爪が前記前面扉の裏面に外向きに係止され，前記第３の係止片は前記第３の挿通口に挿通され前記第３の係止爪が前記前面扉の裏面に係止され，前記第４の係止片は前記第４の挿通口に挿通され前記第４の係止爪が前記前面扉の裏面に係止されることにより，前記枠体の外方側面が全周にわたり前記凹部に嵌合し前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する状態で，一体化した前記枠体，前記化粧部材，前記カバー部材及び前記後部カバー部材は前記前面扉に取り付けられ，
　
一体化した前記枠体，前記化粧部材，前記カバー部材及び前記後部カバー部材が前記前面扉に取り付けられた状態では，前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する
に訂正する。
（８）訂正事項８
　願書に添付した明細書の段落【０２０４】に
「本発明の請求項１は，
　１ゲームに対して賭数を設定することによりゲームが開始可能となるとともに，表示状態を変化させることが可能な可変表示装置（５０）の表示結果が導出表示されることにより１ゲームが終了し，前記可変表示装置の表示結果に応じて所定の入賞が発生可能なスロットマシン（１，１ａ〜１ｆ）において，
　前面が開口する本体（筐体２）と，
　前記本体の前面開口を開閉可能に設けられる前面扉（前面扉４，基体１６０）と，
　少なくとも一部に透光性領域を有するカバー部材（前面カバーパネル３０３，３２０）と，
　前記カバー部材の後面側に配置され，前記透光性領域に対応する箇所に装飾が施された化粧部材（化粧シート３０４，３２１）と，
　前記化粧部材の後面側に配置され，該化粧部材の後面を被覆する後部カバー部材（後面カバーパネル３０５，３２２）と，を備え，
　前記化粧部材，前記カバー部材，前記後部カバー部材は，該化粧部材が前記カバー部材及び前記後部カバー部材により挟持され互いに枠体（上部飾り枠３０６，下部飾り枠３２３）に一体的に組み付けられた状態で前記前面扉の前面側から該前面扉の一部の領域である所定領域に前記枠体を介して係止され，前記前面扉を開放して前記前面扉の後面側から前記係止を解除することにより取り外される（図７，８参照）。」
とあるのを，
「本発明の請求項１は，
　１ゲームに対して賭数を設定することによりゲームが開始可能となるとともに，表示状態を変化させることが可能な可変表示装置（５０）の表示結果が導出表示されることにより１ゲームが終了し，前記可変表示装置の表示結果に応じて所定の入賞が発生可能なスロットマシン（１，１ａ〜１ｆ））において，
　前面が開口する本体（筐体２）と，
　前記本体の前面開口を開閉可能に設けられる前面扉（前面扉４，基体１６０）と，
　
全体が
で構成された
　前記カバー部材の後面側に配置され，前記透光性領域に対応する箇所に装飾が施された化粧部材（化粧シート３２１）と，
　前記化粧部材の後面側に配置され，該化粧部材の後面を被覆する
前記カバー部材と同材質の全体が透光性領域で構成された
　前記化粧部材，前記カバー部材
及び
外方形状が上辺，該上辺を切り欠いた左右傾斜辺，左右辺及び下辺からなる六角形に形成され，
の後面側に前記カバー部材を突き合わせた後，前記後部カバー部材の後側から前記上辺の両端部及び前記下辺の両端部に形成されたネジ挿通孔にネジを挿通し，前記枠体の後面に形成された雌ネジ部に螺入することにより
れ（図７，８参照），
　
前記枠体の外方形状が上辺，該上辺を切り欠いた左右傾斜辺，左右辺及び下辺からなる六角形の環状に形成されており，先端に第１の係止爪を有する第１の係止片が前記枠体の後端より後ろ向きに突設し前記枠体の上辺よりも内側に前記枠体の上辺に沿って前記枠体の上辺の両端寄りに２個設けられ，先端に第２の係止爪を有する第２の係止片が前記枠体の後端より後ろ向きに突設し前記枠体の下辺よりも内側に前記枠体の下辺に沿って前記枠体の下辺の両端寄りに２個設けられ，先端に第３の係止爪を有する第３の係止片が前記枠体の左辺に沿って前記枠体の左辺の略中央に１個設けられ，先端に第４の係止爪を有する第４の係止片が前記枠体の右辺に沿って前記枠体の右辺の略中央に１個設けられ，前記枠体の前記左右傾斜辺には係止片は設けられておらず，前記第１の係止爪と前記第２の係止爪はそれぞれ外向きに形成され，
　
前記所定領域には，内周形状が上辺，該上辺を切り欠いた左右傾斜辺，左右辺及び下辺からなる六角形であり，前記枠体の外方側面が全周にわたり嵌合する凹部が形成され，前記凹部の内周よりも内側に第１の挿通口が前記凹部の上辺に沿って前記凹部の上辺の両端寄りに２個設けられ，前記凹部の内周よりも内側に第２の挿通口が前記凹部の下辺に沿って前記凹部の下辺の両端寄りに２個設けられ，前記凹部に第３の挿通口が前記凹部の左辺に沿って前記凹部の左辺の略中央に１個設けられ，前記凹部に第４の挿通口が前記凹部の右辺に沿って前記凹部の右辺の略中央に１個設けられ，前記凹部の前記左右傾斜辺には挿通口が設けられておらず，
　
前記第１の係止片が前記第１の挿通口に挿通されたときには前記第１の係止爪が前記前面扉の裏面に外向きに係止され，前記第２の係止片が前記第２の挿通口に挿通されたときには前記第２の係止爪が前記前面扉の裏面に外向きに係止され，前記第３の係止片は前記第３の挿通口に挿通され前記第３の係止爪が前記前面扉の裏面に係止され，前記第４の係止片は前記第４の挿通口に挿通され前記第４の係止爪が前記前面扉の裏面に係止されることにより，前記枠体の外方側面が全周にわたり前記凹部に嵌合し前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する状態で，一体化した前記枠体，前記化粧部材，前記カバー部材及び前記後部カバー部材は前記前面扉に取り付けられ，
一体化した前記枠体，前記化粧部材，前記カバー部材及び前記後部カバー部材が前記前面扉に取り付けられた状態では，前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する。
に訂正する。
（９）訂正事項９
　願書に添付した明細書の段落【０２１３】，【０２１５】，【０２３２】，【０２３４】を削除する。
（１０）訂正事項１０
　願書に添付した明細書の段落【００２５】に
「メダル排出穴９」
とあるのを，
「メダル
払
に訂正する。
（１１）訂正事項１１
　願書に添付した明細書の段落【００３７】に
「ウェイト表示部２８」及び「スタート表示部２９」
とあるのを，
「ウェイト表示部２
９
８
に訂正する。
（１２）訂正事項１２
　願書に添付した明細書の段落【００４７】に
「表示窓１４」
とあるのを，
「
透視
に訂正する。
（１３）訂正事項１３
　願書に添付した明細書の段落【００５３】に
「放熱用穴部９０，９１」及び「有孔板８９」
とあるのを，
「放熱用穴部９０
ａ
０ｂ
９１
に訂正する。
（１４）訂正事項１４
　願書に添付した明細書の段落【００７９】に
「払出しセンサ６１」
とあるのを，
「払出し
メダル
に訂正する。
（１５）訂正事項１５
　願書に添付した明細書の段落【００９１】に
「前面カバーパネルパネル３０３，３３１，３２０」
とあるのを，
「前面カバーパネ
ル３
に訂正する。
（１６）訂正事項１６
　願書に添付した明細書の段落【００９１】に
「ぞれぞれ」
とあるのを，
「
そ
に訂正する。
（１７）訂正事項１７
　願書に添付した明細書の段落【０１２６】及び【０１２７】に
「開口部１６３」
とあるのを，
「
上
に訂正する。
（１８）訂正事項１８
　願書に添付した明細書の段落【０１２８】に
「下部飾り枠３２３基体１６０の前面側から取り付けられる」
とあるのを，
「下部飾り枠３２３
が
に訂正する。
（１９）訂正事項１９
　願書に添付した明細書の段落【０１３７】に
「透視窓３３４」
とあるのを，
「透
光
に訂正する。
（２０）訂正事項２０
　願書に添付した明細書の段落【０１４３】，【０１４４】及び【０１４９】に
「各種表示器１１０〜１１２」
とあるのを，
「各種表示器１
０８
０
に訂正する。
（２１）訂正事項２１
　願書に添付した明細書の段落【０１６６】，【０１６７】及び【０１６８】に
「設置板９２」
とあるのを，
「
載
に訂正する。
（２２）訂正事項２２
　願書に添付した明細書の段落【０１６８】及び【０１８２】に
「収容ケース５５０」
とあるのを，
「収
納
に訂正する。
（２３）訂正事項２３
　願書に添付した明細書の段落【０１７８】に
「開口部３０４」
とあるのを，
「開口部３０
８
に訂正する。
（２４）訂正事項２４
　願書に添付した明細書の段落【０１７８】に
「化粧シート３０４ｃ」
とあるのを，
「化粧シート３０４
ａ
に訂正する。
（２５）訂正事項２５
　願書に添付した明細書の段落【０１７８】に
「化粧シート３３２ｃ」
とあるのを，
「化粧シート３３２
ａ
に訂正する。
（２６）訂正事項２６
  願書に添付した明細書の【図面の簡単な説明】に
  「【図１４】（ａ）はスロットマシン１ｄを示す正面図であり，（ｂ）はそのカバー部材，化粧部材，後部カバー部材を示す概略図であり，（ｃ）はその前面扉４の後面側の要部を示す概略図である。」
とあるのを，
「【図１４】（ａ）はスロットマシン１ｄを示す正面図であり，（ｂ）はそのカバー部材，化粧部材，後部カバー部材を示す概略
図で
に訂正する。
（２７）訂正事項２７
　願書に添付した明細書の【図面の簡単な説明】に
「【図１５】（ａ）はスロットマシン１ｅを示す正面図であり，（ｂ）はそのカバー部材，化粧部材，後部カバー部材を示す概略図であり，（ｃ）はその前面扉４の後面側の要部を示す概略図である。」
とあるのを，
「【図１５】（ａ）はスロットマシン１ｅを示す正面図であり，（ｂ）はそのカバー部材，化粧部材，後部カバー部材を示す概略
図で
に訂正する。
（２８）訂正事項２８
　願書に添付した明細書の【符号の説明】に
「６１　払出メダルセンサ」
とあるのを，
「６１　払出
し
に訂正する。
２　訂正の適否の判断
（１）訂正事項１
（１−１）訂正の目的について
　訂正事項１は，「少なくとも一部に透光性領域を有するカバー部材」という発明特定事項を「
全体が
で構成された
　したがって，訂正事項１は，特許法第１３４条の２第１項ただし書第１号に規定する特許請求の範囲の減縮を目的とするものである。
　
（１−２）新規事項の追加及び特許請求の範囲の拡張・変更について
　願書に添付した明細書の段落【０１２９】には「前面カバーパネル３２０，及び後面カバーパネル３２２は，ポリカーボネイト樹脂等の透光性の樹脂材により全体が透明に形成されている。」と記載されているから，訂正事項１は，本件特許の願書に添付した明細書又は図面（以下，「本件特許明細書等」という。）に記載した事項又は記載した事項から自明な事項であり，本件特許明細書等に記載した事項の全ての記載を総合することにより導かれる技術的事項との関係において新たな技術的事項を導入しないものである。このことから，訂正事項１は，本件特許明細書等に記載した事項の範囲内においてするものである。
　また，訂正事項１は，訂正の前後で特許請求の範囲に記載された発明の拡張又は変更をするものではないから，特許法第１３４条の２第９項で準用する特許法第１２６条第５項及び第６項の規定に適合するものである。
（２）訂正事項２
（２−１）訂正の目的について
　訂正事項２は，「該化粧部材の後面を被覆する後部カバー部材」という発明特定事項を「該化粧部材の後面を被覆する
前記カバー部材と同材質の全体が透光性領域で構成された
　したがって，訂正事項２は，特許法第１３４条の２第１項ただし書第１号に規定する特許請求の範囲の減縮を目的とするものである。
（２−２）新規事項の追加及び特許請求の範囲の拡張・変更について
　上記（１）（１−２）において既に検討しているように，本件特許明細書等の段落【０１２９】には「前面カバーパネル３２０，及び後面カバーパネル３２２は，ポリカーボネイト樹脂等の透光性の樹脂材により全体が透明に形成されている。」と記載されているから，訂正事項２は，本件特許明細書等に記載した事項又は記載した事項から自明な事項であり，本件特許明細書等に記載した事項の全ての記載を総合することにより導かれる技術的事項との関係において新たな技術的事項を導入しないものである。このことから，訂正事項２は，本件特許明細書等に記載した事項の範囲内においてするものである。
　また，訂正事項２は，訂正の前後で特許請求の範囲に記載された発明の拡張又は変更をするものではないから，特許法第１３４条の２第９項で準用する特許法第１２６条第５項及び第６項の規定に適合するものである。
　
（３）訂正事項３
　被請求人は，平成２８年３月４日付け訂正請求書（２）の第１５〜１６頁において，訂正事項の説明のために，以下の本件特許明細書等の【図７】，【図８】（ｂ）に赤の引きだし線及び赤文字の部材名を記載した図面を付けている（識別困難であるが，訂正前の【図７】，【図８】（ｂ）で追加された部分を示す。）。
【図７】
【図８】（ｂ）
（３−１）訂正の目的について
　訂正事項３は，「前記化粧部材，前記カバー部材，前記後部カバー部材は，該化粧部材が前記カバー部材及び前記後部カバー部材により挟持され互いに枠体に一体的に組み付けられた状態で前記前面扉の前面側から該前面扉の一部の領域である所定領域に前記枠体を介して係止され，前記前面扉を開放して前記前面扉の後面側から前記係止を解除することにより取り外される，」という発明特定事項を「前記化粧部材，前記カバー部材
及び
外方形状が上辺，該上辺を切り欠いた左右傾斜辺，左右辺及び下辺からなる六角形に形成され，
の後面側に前記カバー部材を突き合わせた後，前記後部カバー部材の後側から前記上辺の両端部及び前記下辺の両端部に形成されたネジ挿通孔にネジを挿通し，前記枠体の後面に形成された雌ネジ部に螺入することにより
れ，
　したがって，訂正事項３は，特許法第１３４条の２第１項ただし書第１号に規定する特許請求の範囲の減縮を目的とするものである。
（３−２）新規事項の追加及び特許請求の範囲の拡張・変更について
　以下，新規事項の追加及び特許請求の範囲の拡張・変更について，順に検討する。
（ａ）訂正事項３の「前記化粧部材，前記カバー部材及び前記後部カバー部材は，外方形状が上辺，該上辺を切り欠いた左右傾斜辺，左右辺及び下辺からなる六角形に形成され，」（以下，「訂正事項３ａ」という。）については，本件特許明細書等の【図７】には，化粧シート３２１，前面カバーパネル３２０及び後面カバーパネル３２２は，外方形状が上辺，該上辺を切り欠いた左右傾斜辺，左右辺及び下辺からなる六角形に形成されていることが図示されている。このことから，訂正事項３ａは，本件特許明細書等に記載した事項又は記載した事項から自明な事項であり，本件特許明細書等に記載した事項の全ての記載を総合することにより導かれる技術的事項との関係において新たな技術的事項を導入しないものである。
（ｂ）訂正事項３の「該化粧部材が前記カバー部材及び前記後部カバー部材により挟持され互いに枠体の後面側に前記カバー部材を突き合わせた後，前記後部カバー部材の後側から前記上辺の両端部及び前記下辺の両端部に形成されたネジ挿通孔にネジを挿通し，前記枠体の後面に形成された雌ネジ部に螺入することにより一体的に組み付けられた状態」（以下，「訂正事項３ｂ」という。）については，本件特許明細書等の段落【０１３２】には「これら前面カバーパネル３２０，化粧シート３２１，後面カバーパネル３２２は，図７及び図８（ｂ）に示されるように，化粧シート３２１を前面カバーパネル３２０と後面カバーパネル３２２とで前後方向から挟み込むように互いに重ね合わせて，前面カバーパネル３２０を下部飾り枠３２３の後面側に突き合わせた後，後面カバーパネル３２２の後側から，それぞれの四隅に形成されたネジ挿通孔３２４，３２５，３２６内にネジ３２７を挿通し，下部飾り枠３２３の裏面四隅に形成された雌ねじ部３２８内に螺入することにより，下部飾り枠３２３に一体的に取り付けることができる。」と記載されている。このことから，訂正事項３ｂは，本件特許明細書等に記載した事項又は記載した事項から自明な事項であり，本件特許明細書等に記載した事項の全ての記載を総合することにより導かれる技術的事項との関係において新たな技術的事項を導入しないものである。
　以上のことから，訂正事項３は，本件特許明細書等に記載した事項の範囲内においてするものである。
　また，訂正事項３は，訂正の前後で特許請求の範囲に記載された発明の拡張又は変更をするものではないから，特許法第１３４条の２第９項で準用する特許法第１２６条第５項及び第６項の規定に適合するものである。
（４）訂正事項４
（４−１）訂正の目的について
　訂正事項４は，新たな発明特定事項を加えることにより，複数の発明特定事項を減縮する訂正であるので，順に検討する。
（ａ）訂正事項４の「前記枠体の外方形状が上辺，該上辺を切り欠いた左右傾斜辺，左右辺及び下辺からなる六角形の環状に形成されており，先端に第１の係止爪を有する第１の係止片が前記枠体の後端より後ろ向きに突設し前記枠体の上辺よりも内側に前記枠体の上辺に沿って前記枠体の上辺の両端寄りに２個設けられ，先端に第２の係止爪を有する第２の係止片が前記枠体の後端より後ろ向きに突設し前記枠体の下辺よりも内側に前記枠体の下辺に沿って前記枠体の下辺の両端寄りに２個設けられ，先端に第３の係止爪を有する第３の係止片が前記枠体の左辺に沿って前記枠体の左辺の略中央に１個設けられ，先端に第４の係止爪を有する第４の係止片が前記枠体の右辺に沿って前記枠体の右辺の略中央に１個設けられ，前記枠体の前記左右傾斜辺には係止片は設けられておらず，前記第１の係止爪と前記第２の係止爪はそれぞれ外向きに形成され，」という発明特定事項を加える部分の訂正事項（以下，「訂正事項４ａ」という。）については，「枠体」の外方形状を減縮するとともに，「枠体」と「第１〜４の係止片」の位置関係を具体的に限定することにより減縮するものである。
　
（ｂ）訂正事項４の「前記所定領域には，内周形状が上辺，該上辺を切り欠いた左右傾斜辺，左右辺及び下辺からなる六角形であり，前記枠体の外方側面が全周にわたり嵌合する凹部が形成され，前記凹部の内周よりも内側に第１の挿通口が前記凹部の上辺に沿って前記凹部の上辺の両端寄りに２個設けられ，前記凹部の内周よりも内側に第２の挿通口が前記凹部の下辺に沿って前記凹部の下辺の両端寄りに２個設けられ，前記凹部に第３の挿通口が前記凹部の左辺に沿って前記凹部の左辺の略中央に１個設けられ，前記凹部に第４の挿通口が前記凹部の右辺に沿って前記凹部の右辺の略中央に１個設けられ，前記凹部の前記左右傾斜辺には挿通口が設けられておらず，」という発明特定事項を加える部分の訂正事項（以下，「訂正事項４ｂ」という。）については，「凹部」の内周形状を減縮するとともに，「凹部」と「第１〜４の挿通口」の位置を具体的に限定することにより減縮するものである。
（ｃ）訂正事項４の「前記第１の係止片が前記第１の挿通口に挿通されたときには前記第１の係止爪が前記前面扉の裏面に外向きに係止され，前記第２の係止片が前記第２の挿通口に挿通されたときには前記第２の係止爪が前記前面扉の裏面に外向きに係止され，前記第３の係止片は前記第３の挿通口に挿通され前記第３の係止爪が前記前面扉の裏面に係止され，前記第４の係止片は前記第４の挿通口に挿通され前記第４の係止爪が前記前面扉の裏面に係止されることにより，前記枠体の外方側面が全周にわたり前記凹部に嵌合し前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する状態で，一体化した前記枠体，前記化粧部材，前記カバー部材及び前記後部カバー部材は前記前面扉に取り付けられ，」という発明特定事項を加える部分の訂正事項（以下，「訂正事項４ｃ」という。）については，「第１〜４の係止片」が「第１〜４の挿通口」に挿通され，「第１〜４の係止爪」が「前面扉」の裏面に係止されたときの「第１の領域」と「第２の領域」との関係，「第３の領域」と「第４の領域」との関係，「枠体の後端縁の上辺」と「凹部の底面周縁の上辺」との関係及び「枠体の後端縁の下辺」と「凹部の底面周縁の下辺」との関係，さらには「前面扉」と「枠体」，「化粧部材」，「カバー部材」，「後部カバー部材」との関係を具体的に限定することにより減縮するものである。
（ｄ）訂正事項４の「一体化した前記枠体，前記化粧部材，前記カバー部材及び前記後部カバー部材が前記前面扉に取り付けられた状態では，前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する」という発明特定事項を加える部分の訂正事項（以下，「訂正事項４ｄ」という。）については，「一体化した枠体，化粧部材，カバー部材，後部カバー部材」が「前面扉」に取り付けられた状態での，「第１の領域」と「第２の領域」との関係，「第３の領域」と「第４の領域」との関係，「枠体の後端縁の上辺」と「凹部の底面周縁の上辺」との関係及び「枠体の後端縁の下辺」と「凹部の底面周縁の下辺」との関係を具体的に限定することにより減縮したものである。
　したがって，訂正事項４は，特許法第１３４条の２第１項ただし書第１号に規定する特許請求の範囲の減縮を目的とするものである。
（４−２）新規事項の追加及び特許請求の範囲の拡張・変更について
　上記（４−１）において検討した訂正事項４ａ〜訂正事項４ｄ毎に，新規事項の追加及び特許請求の範囲の拡張・変更について検討する。
（ａ）訂正事項４ａについて
ア　訂正事項４ａの「前記枠体の外方形状が上辺，該上辺を切り欠いた左右傾斜辺，左右辺及び下辺からなる六角形の環状に形成されており，」（以下，「訂正事項４ａア」という。）については，本件特許明細書等の【図７】には，下部飾り枠３２３（枠体）の外方形状が上辺，該上辺を切り欠いた左右傾斜辺，左右辺及び下辺からなる六角形の環状に形成されていることが図示されている。このことから，訂正事項４ａアは，本件特許明細書等に記載した事項又は記載した事項から自明な事項であり，本件特許明細書等に記載した事項の全ての記載を総合することにより導かれる技術的事項との関係において新たな技術的事項を導入しないものである。
イ　訂正事項４ａの「先端に第１の係止爪を有する第１の係止片が前記枠体の後端より後ろ向きに突設し前記枠体の上辺よりも内側に前記枠体の上辺に沿って前記枠体の上辺の両端寄りに２個設けられ，先端に第２の係止爪を有する第２の係止片が前記枠体の後端より後ろ向きに突設し前記枠体の下辺よりも内側に前記枠体の下辺に沿って前記枠体の下辺の両端寄りに２個設けられ，先端に第３の係止爪を有する第３の係止片が前記枠体の左辺に沿って前記枠体の左辺の略中央に１個設けられ，先端に第４の係止爪を有する第４の係止片が前記枠体の右辺に沿って前記枠体の右辺の略中央に１個設けられ，」（以下，「訂正事項４ａイ」という。）については，本件特許明細書等の段落【０１３３】の「下部飾り枠３２３の後端周縁所定箇所から後ろ向きに突設される，先端に係止爪３２９ａを有する係止片３２９」という記載を参酌すると，本件特許明細書等の【図７】【図８】（ｂ）には，先端に係止爪３２９ａ（第１の係止爪）有する係止片３２９（第１の係止片）が下部飾り枠３２３（枠体）の後端より後ろ向きに突設し下部飾り枠３２３の上辺よりも内側に該下部飾り枠３２３の上辺に沿って，該上辺の両端寄りに２個設けられ，先端に係止爪３２９ａ（第２の係止爪）を有する係止片３２９（第２の係止片）が下部飾り枠３２９の後端より後ろ向きに突設し下部飾り枠３２３の下辺よりも内側に該下部飾り枠３２３の下辺に沿って，該下辺の両端寄りに２個設けられ，先端に係止爪３２９ａ（第３の係止爪）を有する係止片３２９（第３の係止片）が下部飾り枠３２３の左辺に沿って，該左辺の略中央に１個設けられ，先端に係止爪３２９ａ（第４の係止爪）を有する係止片３２９（第４の係止片）が下部飾り枠３２３の右辺に沿って，該右辺の略中央に１個設けられていることが図示されている。これらのことから，訂正事項４ａイは，本件特許明細書等に記載した事項又は記載した事項から自明な事項であり，本件特許明細書等に記載した事項の全ての記載を総合することにより導かれる技術的事項との関係において新たな技術的事項を導入しないものである。
ウ　訂正事項４ａの「前記枠体の前記左右傾斜辺には係止片は設けられておらず，前記第１の係止爪と前記第２の係止爪はそれぞれ外向きに形成され，」（以下，「訂正事項４ａウ」という。）については，本件特許明細書等の【図７】には，下部飾り枠３２３（枠体）の左右傾斜辺に係止片は設けられていないことが図示され，本件特許明細書等の【図８】（ｂ）には，下部飾り枠３２３（枠体）の上辺の係止片３２９（第１の係止片）の係止爪３２９ａ（第１の係止爪）と下部飾り枠３２３（枠体）の下辺の係止片３２９（第２の係止片）の係止爪３２９ａ（第２の係止爪）がそれぞれ外向きに形成されていることが図示されている。このことから，訂正事項４ａウは，本件特許明細書等に記載した事項又は記載した事項から自明な事項であり，本件特許明細書等に記載した事項の全ての記載を総合することにより導かれる技術的事項との関係において新たな技術的事項を導入しないものである。
エ　以上のことから，訂正事項４ａは，本件特許明細書等に記載した事項の範囲内においてするものである。
　また，訂正事項４ａは，訂正の前後で特許請求の範囲に記載された発明の拡張又は変更をするものではない。
（ｂ）訂正事項４ｂについて
ア　訂正事項４ｂの「前記所定領域には，内周形状が上辺，該上辺を切り欠いた左右傾斜辺，左右辺及び下辺からなる六角形であり，前記枠体の外方側面が全周にわたり嵌合する凹部が形成され，」（以下，「訂正事項４ｂア」という。）のうちの「前記所定領域には」，「前記枠体の外方側面が全周にわたり嵌合する凹部が形成され」以外については，本件特許明細書等の【図７】には，凹部１６５の内周形状が上辺，該上辺を切り欠いた左右傾斜辺，左右辺及び下辺からなる六角形であることが図示されているから，本件特許明細書等に記載した事項又は記載した事項から自明な事項であり，本件特許明細書等に記載した事項の全ての記載を総合することにより導かれる技術的事項との関係において新たな技術的事項を導入しないものである。
　また，訂正事項４ｂアのうちの「前記所定領域には」，「前記枠体の外方側面が全周にわたり嵌合する凹部が形成され」について，以下で検討する。
　本件特許明細書等の段落【０１１９】，【０１２８】，【０１３３】，【０１３４】及び【図７】には，前面扉４の突出部７よりも下方の領域に，環状に形成された「枠体」に相当する下部飾り枠３２３が嵌合することにより取り付けることが出来る凹部１６５が形成されていることが記載されている。そして，本件特許明細書等の【図８】（ｂ）には，当該凹部１６５の上部に下部と同程度の奥行きが存在することが示されており，当該凹部１６５と下部飾り枠３２３の上辺及び下辺とが嵌合することが示されているが，下部飾り枠３２３の左傾斜辺，右傾斜辺，左辺及び右辺と嵌合することは明確には示されていない。
　しかしながら，本件特許明細書等の【図７】には，下部飾り枠３２３の全周にわたって同程度の奥行きが存在することが示されていること，本件特許明細書等の【図１】には，下部飾り枠３２３の左辺及び右辺が，前面扉４の左右に存在する遊技効果ＬＥＤ部４１と接しており，左傾斜辺及び右傾斜辺が，それぞれ，前面扉４の左右側下方に存在する略三角形状の遊技効果ＬＥＤ部４３と接していることが示されているから，本件特許明細書等の【図８】（ｂ）に示されるように，凹部１６５と下部飾り枠３２３の上辺及び下辺とが嵌合するのであれば，下部飾り枠３２３の左傾斜辺，右傾斜辺，左辺及び右辺とも嵌合することは明らかである。 
　よって，本件特許明細書等の凹部１６５は下部飾り枠３２３の上辺，下辺，左傾斜辺，右傾斜辺，左辺及び右辺と嵌合すること，すなわち，下部飾り枠３２３の外方側面が全周にわたり凹部１６５に嵌合することは明らかである。 
　以上のことから，訂正事項４ｂアのうちの「前記所定領域には」，「前記枠体の外方側面が全周にわたり嵌合する凹部が形成され」については，本件特許明細書等に記載した事項又は記載した事項から自明な事項であり，本件特許明細書等に記載した事項の全ての記載を総合することにより導かれる技術的事項との関係において新たな技術的事項を導入しないものである。
イ　訂正事項４ｂの「前記凹部の内周よりも内側に第１の挿通口が前記凹部の上辺に沿って前記凹部の上辺の両端寄りに２個設けられ，前記凹部の内周よりも内側に第２の挿通口が前記凹部の下辺に沿って前記凹部の下辺の両端寄りに２個設けられ，前記凹部に第３の挿通口が前記凹部の左辺に沿って前記凹部の左辺の略中央に１個設けられ，前記凹部に第４の挿通口が前記凹部の右辺に沿って前記凹部の右辺の略中央に１個設けられ，前記凹部の前記左右傾斜辺には挿通口が設けられておらず，」（以下，「訂正事項４ｂイ」という。）について，以下で検討する。
　
　本件特許明細書等の段落【０１３３】には，「第１の挿通口」，「第２の挿通口」に相当するスリット穴３３０について，「先端に係止爪３２９ａを有する係止片３２９を挿通可能なスリット穴３３０が，各係止片３２９に対応して形成されている」ことが記載されており，本件特許明細書等の【図８】（ｂ）には，係止片３２９の枝部が，下部飾り枠３２３の外方側面よりも内側に設けられていることが示されている。そして，上記【図８】（ｂ）の右図で示されるように，下部飾り枠３２３の外方側面は凹部の内周と接するのであるから，外方側面より内側に向けられた係止片３２９の枝部を挿通するためのスリット穴３３０が，凹部の内周より内側に設けられていることは明らかである。
　これらのことから，本件特許明細書等の【図７】，【図８】（ｂ）には，凹部１６５の内周よりも内側にスリット穴３３０（第１の挿通口）が凹部１６５の上辺に沿って凹部１６５の上辺の両端寄りに２個設けられ，凹部１６５の内周よりも内側にスリット穴３３０（第２の挿通口）が凹部１６５の下辺に沿って凹部１６５の下辺の両端寄りに２個設けられ，凹部１６５にスリット穴３３０（第３の挿通口）が凹部１６５の左辺に沿って凹部の左辺の略中央に１個設けられ（上記（ａ）で検討したように，枠体の左辺略中央に係止片３２９が１個設けられているから，凹部の左辺に沿って，係止片３２９が挿通するスリット穴３３０が該左辺の略中央に１個設けられていることは明らかである。），凹部１６５にスリット穴３３０（第４の挿通口）が凹部１６５の右辺に沿って凹部１６５の右辺の略中央に１個設けられ，凹部１６５の左右傾斜辺には挿通口が設けられていないことが図示されているといえる。このことから，訂正事項４ｂイは，本件特許明細書等に記載した事項又は記載した事項から自明な事項であり，本件特許明細書等に記載した事項の全ての記載を総合することにより導かれる技術的事項との関係において新たな技術的事項を導入しないものである。
ウ　以上のことから，訂正事項４ｂは，本件特許明細書等に記載した事項の範囲内においてするものである。
　また，訂正事項４ｂは，訂正の前後で特許請求の範囲に記載された発明の拡張又は変更をするものではない。
（ｃ）訂正事項４ｃについて
　訂正事項４ｃの「前記第１の係止片が前記第１の挿通口に挿通されたときには前記第１の係止爪が前記前面扉の裏面に外向きに係止され，前記第２の係止片が前記第２の挿通口に挿通されたときには前記第２の係止爪が前記前面扉の裏面に外向きに係止され，前記第３の係止片は前記第３の挿通口に挿通され前記第３の係止爪が前記前面扉の裏面に係止され，前記第４の係止片は前記第４の挿通口に挿通され前記第４の係止爪が前記前面扉の裏面に係止されることにより，前記枠体の外方側面が全周にわたり前記凹部に嵌合し前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する状態で，一体化した前記枠体，前記化粧部材，前記カバー部材及び前記後部カバー部材は前記前面扉に取り付けられ，」について，以下で検討する。
　本件特許明細書等の段落【０１３３】には「一方，凹部１６５の底面周縁には，基体１６０の前方から取り付けられる下部飾り枠３２３の後端縁が当接するとともに，下部飾り枠３２３の後端周縁所定箇所から後ろ向きに突設される，先端に係止爪３２９ａを有する係止片３２９を挿通可能なスリット穴３３０が，各係止片３２９に対応して形成されている。」と記載され，上記（ｂ）において既に検討したように，「前記枠体の外方側面が全周にわたり前記凹部に嵌合」することは本件特許明細書等に記載されていることであり，本件特許明細書等の段落【０１３４】には「よって，前面カバーパネル３２０，化粧シート３２１，後面カバーパネル３２２が一体的に取り付けられた下部飾り枠３２３は，図７及び図８（ｂ）に示されるように，基体１６０の前方側から係止片３２９をスリット穴３３０内に差し込むようにして凹部１６５内に嵌合することにより，係止片３２９の係止爪３２９ａが底面に係止されるため，この係止作用により凹部１６５に取り付けることが出来る。」と記載されているから，本件特許明細書等の【図８】（ｂ）及び【図７】には，下部飾り枠３２３の上辺の係止片３２９（第１の係止片）がスリット穴３３０（第１の挿通口）に挿通されたときには係止爪３２９ａ（第１の係止爪）が基体１６０（前面扉）の裏面に外向きに係止され，下部飾り枠３２３の下辺の係止片３２９（第２の係止片）がスリット穴３３０（第２の挿通口）に挿通されたときには係止爪３２９ａ（第２の係止爪）が基体１６０（前面扉）の裏面に外向きに係止され，同様に左辺の係止片３２９（第３の係止片）はスリット穴３３０（第３の挿通口）に挿通され係止爪３２９ａ（第３の係止爪）が基体１６０（前面扉）の裏面に係止され，右辺の係止片３２９（第４の係止片）はスリット穴３３０（第４の挿通口）に挿通され係止爪３２９ａ（第４の係止爪）が基体１６０（前面扉）の裏面に係止されることにより，下部部飾り枠３２３の外方側面が全周にわたり凹部１６５に嵌合し下部飾り枠３２３の後端縁の上辺と第１の係止片との間の第１の領域が凹部１６５の底面周縁の上辺とスリット穴３３０（第１の挿通口）の上辺との間の第２の領域において当接し，下部飾り枠３２３の後端縁の下辺と係止片３２９（第２の係止片）との間の第３の領域が凹部１６５の底面周縁の下辺とスリット穴３３０（第２の挿通穴）の下辺との間の第４の領域において当接するとともに，下部飾り枠３２３の後端縁の上辺と凹部１６５の底面周縁の上辺が左右方向全幅にわたって当接し，下部飾り枠３２３の後端縁の下辺と凹部１６５の底面周縁の下辺が左右方向全幅にわたって当接する状態で（上記段落【０１３３】の「一方，凹部１６５の底面周縁には，基体１６０の前方から取り付けられる下部飾り枠３２３の後端縁が当接するとともに，」という記載参照），一体化した下部飾り枠体３２３，化粧シート３３２，前面カバーパネル３２１，及び後面カバーパネル３２２は基体１６０（前面扉）に取り付けられることが図示されているといえる。これらのことから，訂正事項４ｃは，本件特許明細書等に記載した事項又は記載した事項から自明な事項であり，本件特許明細書等に記載した事項の全ての記載を総合することにより導かれる技術的事項との関係において新たな技術的事項を導入しないものである。
　以上のことから，訂正事項４ｃは，本件特許明細書等に記載した事項の範囲内においてするものである。
　また，訂正事項４ｃは，訂正の前後で特許請求の範囲に記載された発明の拡張又は変更をするものではない。
（ｄ）訂正事項４ｄについて
　訂正事項４ｄの「一体化した前記枠体，前記化粧部材，前記カバー部材及び前記後部カバー部材が前記前面扉に取り付けられた状態では，前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する」については，上記（ｃ）と同様に，上記段落【０１３３】，【０１３４】の記載から，「前記枠体の外方側面が全周にわたり前記凹部に嵌合」することが本件特許明細書等に記載されていることから，上記【図８】（ｂ）及び【図７】には，一体化した下部飾り枠体３２３，化粧シート３３２，前面カバーパネル３２１，及び後面カバーパネル３２２は基体１６０（前面扉）に取り付けられた状態では，下部部飾り枠３２３の後端縁の上辺と第１の係止片との間の第１の領域が凹部１６５の底面周縁の上辺とスリット穴３３０（第１の挿通口）の上辺との間の第２の領域において当接し，下部飾り枠３２３の後端縁の下辺と係止片３２９（第２の係止片）との間の第３の領域が凹部１６５の底面周縁の下辺とスリット穴３３０（第２の挿通穴）の下辺との間の第４の領域において当接するとともに，下部飾り枠３２３の後端縁の上辺と凹部１６５の底面周縁の上辺が左右方向全幅にわたって当接し，下部飾り枠３２３の後端縁の下辺と凹部１６５の底面周縁の下辺が左右方向全幅にわたって当接する（上記段落【０１３３】の「一方，凹部１６５の底面周縁には，基体１６０の前方から取り付けられる下部飾り枠３２３の後端縁が当接するとともに，」という記載参照）ことが図示されているといえる。これらのことから，訂正事項４ｄは，本件特許明細書等に記載した事項又は記載した事項から自明な事項であり，本件特許明細書等に記載した事項の全ての記載を総合することにより導かれる技術的事項との関係において新たな技術的事項を導入しないものである。
　以上のことから，訂正事項４ｄは，本件特許明細書等に記載した事項の範囲内においてするものである。
　また，訂正事項４ｄは，訂正の前後で特許請求の範囲に記載された発明の拡張又は変更をするものではない。
（ｅ）小括
　したがって，訂正事項４は，特許法第１３４条の２第９項で準用する特許法第１２６条第５項及び第６項の規定に適合するものである。
（５）訂正事項５
（５−１）訂正の目的について
　訂正事項５は，訂正前の請求項３〜４を削除する訂正である。
　したがって，訂正事項５は，特許法第１３４条の２第１項ただし書第１号に規定する特許請求の範囲の減縮を目的とするものである。
（５−２）新規事項の追加及び特許請求の範囲の拡張・変更について
　訂正事項５は，訂正前の請求項３〜４を削除する訂正であるから，本件特許明細書等に記載した事項又は記載した事項から自明な事項であり，本件特許明細書等に記載した事項の全ての記載を総合することにより導かれる技術的事項との関係において新たな技術的事項を導入しないものである。このことから，訂正事項５は，本件特許明細書等に記載した事項の範囲内においてするものである。
　また，訂正事項５は，訂正の前後で特許請求の範囲に記載された発明の拡張又は変更をするものではないから，特許法第１３４条の２第９項で準用する特許法第１２６条第５項及び第６項の規定に適合するものである。
（６）訂正事項６
（６−１）訂正の目的について
　訂正事項６は，前記（５）訂正事項５の訂正により訂正前の請求項３〜４を削除した結果，本件特許の請求項５に係る発明の従属関係の整合性を図るための訂正である。
　したがって，訂正事項６は，特許法第１３４条の２第１項ただし書第３号に規定する明瞭でない記載の釈明を目的とするものである。
（６−２）新規事項の追加及び特許請求の範囲の拡張・変更について
　訂正事項６は，前記（５）訂正事項５の訂正により削除された訂正前の請求項３〜４を，請求項５において引用しない記載にする訂正であるから，本件特許明細書等に記載した事項又は記載した事項から自明な事項であり，本件特許明細書等に記載した事項の全ての記載を総合することにより導かれる技術的事項との関係において新たな技術的事項を導入しないものである。このことから，訂正事項６は，本件特許明細書等に記載した事項の範囲内においてするものである。
　また，訂正事項６は，訂正の前後で特許請求の範囲に記載された発明の拡張又は変更をするものではないから，特許法第１３４条の２第９項で準用する特許法第１２６条第５項及び第６項の規定に適合するものである。
（７）訂正事項７
（７−１）訂正の目的について
　訂正事項７は，前記（１）訂正事項１〜（４）訂正事項４の訂正に伴い，訂正前の請求項１における特許請求の範囲の減縮を目的とする訂正を行った結果，本件特許明細書等の段落【０００６】において記載されるべき自明なものが記載されておらず不明瞭であったものを記載して明瞭にするための訂正であるから，特許法第１３４条の２第１項ただし書第３号に掲げる明瞭でない記載の釈明を目的とする訂正に該当する。
（７−２）新規事項の追加及び特許請求の範囲の拡張・変更について
　訂正事項７は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項７は，本件特許明細書等に記載した事項の範囲内においてするものである。
　また，訂正事項７は，訂正の前後で特許請求の範囲に記載された発明の拡張又は変更をするものではないから，特許法第１３４条の２第９項で準用する特許法第１２６条第５項及び第６項の規定に適合するものである。
（８）訂正事項８
（８−１）訂正の目的について
　訂正事項８は，前記（１）訂正事項１〜（４）訂正事項４の訂正に伴い，訂正前の請求項１における特許請求の範囲の減縮を目的とする訂正を行った結果，本件特許明細書等の段落【０２０４】において記載されるべき自明なものが記載されておらず不明瞭であったものを記載して明瞭にするための訂正であるから，特許法第１３４条の２第１項ただし書第３号に掲げる明瞭でない記載の釈明を目的とする訂正に該当する。
（８−２）新規事項の追加及び特許請求の範囲の拡張・変更について
　訂正事項８は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項８は，本件特許明細書等に記載した事項の範囲内においてするものである。
　また，訂正事項８は，訂正の前後で特許請求の範囲に記載された発明の拡張又は変更をするものではないから，特許法第１３４条の２第９項で準用する特許法第１２６条第５項及び第６項の規定に適合するものである。
（９）訂正事項９
（９−１）訂正の目的について
　訂正事項９は，前記（５）訂正事項５の訂正において訂正前の請求項３〜４を削除したことに伴い，訂正前の請求項３〜４に対応する記載である本件特許明細書等の段落【０２１３】，【０２１５】，【０２３２】，【０２３４】を削除する訂正である。
　したがって，訂正事項９は，特許法第１３４条の２第１項ただし書第３号に規定する明瞭でない記載の釈明を目的とするものである。
　
（９−２）新規事項の追加及び特許請求の範囲の拡張・変更について
　訂正事項９は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項９は，本件特許明細書等に記載した事項の範囲内においてするものである。
　また，訂正事項９は，訂正の前後で特許請求の範囲に記載された発明の拡張又は変更をするものではないから，特許法第１３４条の２第９項で準用する特許法第１２６条第５項及び第６項の規定に適合するものである。
（１０）訂正事項１０
（１０−１）訂正の目的について
　本件特許明細書等の部材番号「９」について，段落【００２５】の一部，【００２７】，【００３４】及び【００４２】には「メダル払出穴９」と記載され，【符号の説明】には「９　メダル払出穴」と記載されているのに対し，段落【００２５】の一部においては「メダル排出穴９」と記載されており，本件特許明細書等が，同じ部材に対して異なる部材名が使用される不明瞭な記載となっていた。
　訂正事項１０は，本件特許明細書等の段落【００２５】，【００２７】，【００３４】，【００４２】及び【符号の説明】の記載に基づいて，部材番号「９」に使用される部材名を「メダル払出穴」に統一し，複数箇所の部材番号「９」が同じ構成であることを明らかにするものであるから，特許法第１３４条の２第１項ただし書第３号に掲げる明瞭でない記載の釈明を目的とする訂正に該当する。
（１０−２）新規事項の追加及び特許請求の範囲の拡張・変更について
　前記（１０−１）で検討したとおり，訂正事項１０は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項１０は，本件特許明細書等に記載した事項の範囲内においてするものである。
　また，訂正事項１０は，訂正の前後で特許請求の範囲に記載された発明の拡張又は変更をするものではないから，特許法第１３４条の２第９項で準用する特許法第１２６条第５項及び第６項の規定に適合するものである。
（１１）訂正事項１１
（１１−１）訂正の目的について
 　本件特許明細書等の段落【００２８】，【００３１】及び【００８４】には「ウェイト表示部２９」と記載され，【符号の説明】には「２９　ウェイト表示部」と記載されているのに対し，段落【００３７】には「ウェイト表示部２８」と記載され，本件特許明細書等が，同じ部材名に対して異なる部材番号が使用される不明瞭な記載となっていた。
　また，本件特許明細書等の段落【００２８】，【００３０】及び【００８４】には「スタート表示部２８」と記載され，【符号の説明】には「２８　スタート表示部」と記載されているのに対し，段落【００３７】には「スタート表示部２９」と記載され，本件特許明細書等が，同じ部材名に対して異なる部材番号が使用される不明瞭な記載となっていた。
　訂正事項１１は，本件特許明細書等の段落【００２８】，【００３０】，【００３１】，【００８４】及び【符号の説明】の記載に基づいて，「ウェイト表示部」及び「スタート表示部」に使用される部材番号を，それぞれ「２９」及び「２８」に統一することで，複数箇所の部材名「ウェイト表示部」及び「スタート表示部」がそれぞれ同じ構成であることを明らかにするものであるから，特許法第１３４条の２第１項ただし書第３号に掲げる明瞭でない記載の釈明を目的とする訂正に該当する。
（１１−２）新規事項の追加及び特許請求の範囲の拡張・変更について
　前記（１１−１）で検討したとおり，訂正事項１１は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項１１は，本件特許明細書等に記載した事項の範囲内においてするものである。
　また，訂正事項１１は，訂正の前後で特許請求の範囲に記載された発明の拡張又は変更をするものではないから，特許法第１３４条の２第９項で準用する特許法第１２６条第５項及び第６項の規定に適合するものである。
（１２）訂正事項１２
（１２−１）訂正の目的について
　本件特許明細書等の部材番号「１４」について，段落【００２８】，【００２９】，【００４８】及び【００４９】には「透視窓１４」と記載され，【符号の説明】には「１４　透視窓」と記載されているのに対し，段落【００４７】には「表示窓１４」と記載されており，本件特許明細書等が，同じ部材番号に対して異なる部材名が使用される不明瞭な記載となっていた。
　訂正事項１２は，本件特許明細書等の段落【００２８】，【００２９】，【００４８】，【００４９】及び【符号の説明】の記載に基づいて，部材番号「１４」に使用される部材名を「透視窓」に統一し，複数箇所の部材番号「１４」が同じ構成であることを明らかにするものであるから，特許法第１３４条の２第１項ただし書第３号に掲げる明瞭でない記載の釈明を目的とする訂正に該当する。
（１２−２）新規事項の追加及び特許請求の範囲の拡張・変更について
　前記（１２−１）で検討したとおり，訂正事項１２は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項１２は，本件特許明細書等に記載した事項の範囲内においてするものである。
　また，訂正事項１２は，訂正の前後で特許請求の範囲に記載された発明の拡張又は変更をするものではないから，特許法第１３４条の２第９項で準用する特許法第１２６条第５項及び第６項の規定に適合するものである。
（１３）訂正事項１３
（１３−１）訂正の目的について
　本件特許明細書等の【符号の説明】には「９０ａ　９０ｂ　放熱用穴部」，「９１　有孔板」と記載され，対応する【図２】にも９１として「有孔板」が示されているのに対し，段落【００５３】には「放熱用穴部９０，９１」，「有孔板８９」と記載されており，本件特許明細書等が，同じ部材名に対して異なる部材番号が使用される不明瞭な記載となっていた。
　訂正事項１３は，「放熱用穴部」及び「有孔板」に使用される部材番号を，それぞれ「９０ａ，９０ｂ」及び「９１」に統一し，明細書及び図面の記載を整合させるものであるから，特許法第１３４条の２第１項ただし書第３号に掲げる明瞭でない記載の釈明を目的とする訂正に該当する。
（１３−２）新規事項の追加及び特許請求の範囲の拡張・変更について
　前記（１３−１）で検討したとおり，訂正事項１３は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項１３は，本件特許明細書等に記載した事項の範囲内においてするものである。
　また，訂正事項１３は，訂正の前後で特許請求の範囲に記載された発明の拡張又は変更をするものではないから，特許法第１３４条の２第９項で準用する特許法第１２６条第５項及び第６項の規定に適合するものである。
（１４）訂正事項１４
（１４−１）訂正の目的について
　本件特許明細書等の部材番号「６１」について，段落【００５６】には「払出しメダルセンサ６１」と記載され，【符号の説明】には「６１　払出しメダルセンサ６１」と記載されているのに対し，段落【００７９】には「払出しセンサ６１」と記載されており，本件特許明細書等が，同じ部材番号に対して異なる部材名が使用される不明瞭な記載となっていた。
　訂正事項１４は，本件特許明細書等の段落【００５６】及び【符号の説明】の記載に基づいて，部材番号「６１」に使用される部材名を「払出しメダルセンサ」に統一し，複数箇所の部材番号「６１」が同じ構成であることを明らかにするものであるから，特許法第１３４条の２第１項ただし書第３号に掲げる明瞭でない記載の釈明を目的とする訂正に該当する。
（１４−２）新規事項の追加及び特許請求の範囲の拡張・変更について
　前記（１４−１）で検討したとおり，訂正事項１４は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項１４は，本件特許明細書等に記載した事項の範囲内においてするものである。
　また，訂正事項１４は，訂正の前後で特許請求の範囲に記載された発明の拡張又は変更をするものではないから，特許法第１３４条の２第９項で準用する特許法第１２６条第５項及び第６項の規定に適合するものである。
（１５）訂正事項１５
（１５−１）訂正の目的について
　本件特許明細書等の部材番号「３０３」，「３３１」，「３２０」について，【符号の説明】等には「前面カバーパネル」と記載されているのに対し，段落【００９１】には「前面カバーパネルパネル」と記載されており，「パネル」という記載が，誤って「パネルパネル」とされていた。
　訂正事項１５は，日本語として誤った「パネルパネル」という記載事項を，本来の内容を示す「パネル」という記載事項に正すものであるから，特許法第１３４条の２第１項ただし書第２号に掲げる誤記の訂正を目的とする訂正に該当する。
（１５−２）新規事項の追加及び特許請求の範囲の拡張・変更について
　訂正事項１５は，願書に最初に添付した明細書又は図面（以下，「当初明細書等」という。）に記載した事項又は記載した事項から自明な事項であり，当初明細書等に記載した事項の全ての記載を総合することにより導かれる技術的事項との関係において新たな技術的事項を導入しないものであるから，訂正事項１５は，当初明細書等に記載した事項の範囲内においてするものである。
　また，訂正事項１５は，訂正の前後で特許請求の範囲に記載された発明の拡張又は変更をするものではないから，特許法第１３４条の２第９項で準用する特許法第１２６条第５項及び第６項の規定に適合するものである。
（１６）訂正事項１６
（１６−１）訂正の目的について
　訂正事項１６は，本件特許明細書等の段落【００９１】の日本語として明らかに誤っている「ぞれぞれ」という記載事項を，本来の内容を示す「それぞれ」という記載事項に正すものであるから，特許法第１３４条の２第１項ただし書第２号に掲げる誤記の訂正を目的とする訂正に該当する。
（１６−２）新規事項の追加及び特許請求の範囲の拡張・変更について
　訂正事項１６は，当初明細書等に記載した事項又は記載した事項から自明な事項であり，当初明細書等に記載した事項の全ての記載を総合することにより導かれる技術的事項との関係において新たな技術的事項を導入しないものであるから，訂正事項１６は，当初明細書等に記載した事項の範囲内においてするものである。
　また，訂正事項１６は，訂正の前後で特許請求の範囲に記載された発明の拡張又は変更をするものではないから，特許法第１３４条の２第９項で準用する特許法第１２６条第５項及び第６項の規定に適合するものである。
（１７）訂正事項１７
（１７−１）訂正の目的について
　本件特許明細書等の部材番号「１６３」について，段落【０１１９】及び【０１２０】には「上開口部１６３」と記載され，【符号の説明】には「１６３　上開口部」と記載されているのに対し，段落【０１２６】及び【０１２７】には「開口部１６３」と記載されており，本件特許明細書等が，同じ部材番号に対して異なる部材名が使用される不明瞭な記載となっていた。
　訂正事項１７は，本件特許明細書等の段落【０１１９】，【０１２０】及び【符号の説明】の記載に基づいて，部材番号「１６３」に使用される部材名を「上開口部」に統一し，複数箇所の部材番号「１６３」が同じ構成であることを明らかにするものであるから，特許法第１３４条の２第１項ただし書第３号に掲げる明瞭でない記載の釈明を目的とする訂正に該当する。
（１７−２）新規事項の追加及び特許請求の範囲の拡張・変更について
　前記（１７−１）で検討したとおり，訂正事項１７は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項１７は，本件特許明細書等に記載した事項の範囲内においてするものである。
　また，訂正事項１７は，訂正の前後で特許請求の範囲に記載された発明の拡張又は変更をするものではないから，特許法第１３４条の２第９項で準用する特許法第１２６条第５項及び第６項の規定に適合するものである。
（１８）訂正事項１８
（１８−１）訂正の目的について
　訂正事項１８は，本件特許明細書等の段落【０１２８】の日本語として明らかに誤っている「下部飾り枠３２３基体１６０の前面側から取り付けられる」という記載事項を，本来の内容を示す「下部飾り枠３２３が基体１６０の前面側から取り付けられる」という記載事項に正すものであるから，特許法第１３４条の２第１項ただし書第２号に掲げる誤記の訂正を目的とする訂正に該当する。
（１８−２）新規事項の追加及び特許請求の範囲の拡張・変更について
　訂正事項１８は，当初明細書等に記載した事項又は記載した事項から自明な事項であり，当初明細書等に記載した事項の全ての記載を総合することにより導かれる技術的事項との関係において新たな技術的事項を導入しないものであるから，訂正事項１８は，当初明細書等に記載した事項の範囲内においてするものである。
　また，訂正事項１８は，訂正の前後で特許請求の範囲に記載された発明の拡張又は変更をするものではないから，特許法第１３４条の２第９項で準用する特許法第１２６条第５項及び第６項の規定に適合するものである。
（１９）訂正事項１９
（１９−１）訂正の目的について
　本件特許明細書等の部材番号「３３４」について，段落【０１３７】の一部には「透光窓３３４」と記載され，【符号の説明】には「３３４　透光窓」と記載されているのに対し，段落【０１３７】の一部には「透視窓３３４」と記載されており，本件特許明細書等が，同じ部材番号に対して異なる部材名が使用される不明瞭な記載となっていた。
　訂正事項１９は，本件特許明細書等の段落【０１３７】及び【符号の説明】の記載に基づいて，部材番号「３３４」に使用される部材名を「透光窓」に統一し，複数箇所の部材番号「３３４」が同じ構成であることを明らかにするものであるから，特許法第１３４条の２第１項ただし書第３号に掲げる明瞭でない記載の釈明を目的とする訂正に該当する。
（１９−２）新規事項の追加及び特許請求の範囲の拡張・変更について
　前記（１９−１）で検討したとおり，訂正事項１９は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項１９は，本件特許明細書等に記載した事項の範囲内においてするものである。
　また，訂正事項１９は，訂正の前後で特許請求の範囲に記載された発明の拡張又は変更をするものではないから，特許法第１３４条の２第９項で準用する特許法第１２６条第５項及び第６項の規定に適合するものである。
（２０）訂正事項２０
（２０−１）訂正の目的について
　本件特許明細書等の段落【００８９】には「各種表示器（クレジット表示器１０８，ゲーム回数表示器１０９，ペイアウト表示器１１０）」と記載され，段落【０１３７】，【０１５６】及び【０２１７】には「各種表示器１０８〜１１０」と記載されているのに対し，段落【０１４３】，【０１４４】及び【０１４９】には「各種表示器１１０〜１１２」と記載されており，本件特許明細書等が，同じ部材名に対して異なる部材番号が使用される不明瞭な記載となっていた。
　訂正事項２０は，「各種表示器」に使用される部材番号を「１０８〜１１０」に統一し，明細書及び図面の記載を整合させるものであるから，特許法第１３４条の２第１項ただし書第３号に掲げる明瞭でない記載の釈明を目的とする訂正に該当する。
（２０−２）新規事項の追加及び特許請求の範囲の拡張・変更について
　前記（２０−１）で検討したとおり，訂正事項２０は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項２０は，本件特許明細書等に記載した事項の範囲内においてするものである。
　また，訂正事項２０は，訂正の前後で特許請求の範囲に記載された発明の拡張又は変更をするものではないから，特許法第１３４条の２第９項で準用する特許法第１２６条第５項及び第６項の規定に適合するものである。
（２１）訂正事項２１
（２１−１）訂正の目的について
　本件特許明細書等の部材番号「９２」について，段落【００４６】，【００５４】及び【０１０５】には「載置板９２」と記載され，【符号の説明】には「９２　載置板」と記載されているのに対し，段落【０１６６】，【０１６７】及び【０１６８】には「設置板９２」と記載されており，本件特許明細書等が，同じ部材番号に対して異なる部材名が使用される不明瞭な記載となっていた。
　訂正事項２１は，本件特許明細書等の段落【００４６】，【００５４】，【０１０５】及び【符号の説明】の記載に基づいて，部材番号「９２」に使用される部材名を「載置板」に統一し，複数箇所の部材番号「９２」が同じ構成であることを明らかにするものであるから，特許法第１３４条の２第１項ただし書第３号に掲げる明瞭でない記載の釈明を目的とする訂正に該当する。
（２１−２）新規事項の追加及び特許請求の範囲の拡張・変更について
　前記（２１−１）で検討したとおり，訂正事項２１は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項２１は，本件特許明細書等に記載した事項の範囲内においてするものである。
　また，訂正事項２１は，訂正の前後で特許請求の範囲に記載された発明の拡張又は変更をするものではないから，特許法第１３４条の２第９項で準用する特許法第１２６条第５項及び第６項の規定に適合するものである。
（２２）訂正事項２２
（２２−１）訂正の目的について
　本件特許明細書等の部材番号「５５０」について，段落【０１６７】及び【０１６８】には「収納ケース５５０」と記載され，【符号の説明】には「５００，５５０，５５０ａ　収納ケース」と記載されているのに対し，段落【０１６８】，及び【０１８２】には「収容ケース５５０」と記載されており，本件特許明細書等が，同じ部材番号に対して異なる部材名が使用される不明瞭な記載となっていた。
　訂正事項２２は，本件特許明細書等の段落【０１６７】，【０１６８】及び【符号の説明】の記載に基づいて，部材番号「５５０」に使用される部材名を「収納ケース」に統一し，複数箇所の部材番号「５５０」が同じ構成であることを明らかにするものであるから，特許法第１３４条の２第１項ただし書第３号に掲げる明瞭でない記載の釈明を目的とする訂正に該当する。
（２２−２）新規事項の追加及び特許請求の範囲の拡張・変更について
　前記（２２−１）で検討したとおり，訂正事項２２は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項２２は，本件特許明細書等に記載した事項の範囲内においてするものである。
　また，訂正事項２２は，訂正の前後で特許請求の範囲に記載された発明の拡張又は変更をするものではないから，特許法第１３４条の２第９項で準用する特許法第１２６条第５項及び第６項の規定に適合するものである。
（２３）訂正事項２３
（２３−１）訂正の目的について
　本件特許明細書等の段落【０１２２】，【０１７０】及び【０１８４】には「開口部３０８」と記載され，【符号の説明】には「３０８，３０８ａ　開口部」と記載されているのに対し，段落【０１７８】には「開口部３０４」と記載されており，本件特許明細書等が，同じ部材名に対して異なる部材番号が使用される不明瞭な記載となっていた。
　訂正事項２３は，本件特許明細書等の段落【０１２２】，【０１７０】，【０１８４】及び【符号の説明】の記載に基づいて，「開口部」に使用される部材番号を「３０８」に統一し，明細書及び図面の記載を整合させるものであるから，特許法第１３４条の２第１項ただし書第３号に掲げる明瞭でない記載の釈明を目的とする訂正に該当する。
（２３−２）新規事項の追加及び特許請求の範囲の拡張・変更について
　前記（２３−１）で検討したとおり，訂正事項２３は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項２３は，本件特許明細書等に記載した事項の範囲内においてするものである。
　また，訂正事項２３は，訂正の前後で特許請求の範囲に記載された発明の拡張又は変更をするものではないから，特許法第１３４条の２第９項で準用する特許法第１２６条第５項及び第６項の規定に適合するものである。
（２４）訂正事項２４
（２４−１）訂正の目的について
　本件特許明細書等の段落【０１７０】には「図１１（ａ）に示されるように，化粧シート３０４を，開口部３０８のない化粧シート３０４ａに交換する」と記載されているのに対し，段落【０１７８】には「液晶表示部１５を視認可能とする開口部３０８が形成された上部の化粧シート３０４が，開口部３０４が形成されていない化粧シート３０４ｃに交換される」と記載されており，本件特許明細書等が，開口部が形成されていない「化粧シート」に対して異なる部材番号が使用される不明瞭な記載となっていた。
　訂正事項２４は，本件特許明細書等の段落【０１７０】の記載に基づいて，段落【０１７８】における開口部が形成されていない「化粧シート」の部材番号を「３０４ａ」として統一し，明細書及び図面の記載を整合させるものであるから，特許法第１３４条の２第１項ただし書第３号に掲げる明瞭でない記載の釈明を目的とする訂正に該当する。
（２４−２）新規事項の追加及び特許請求の範囲の拡張・変更について
　前記（２４−１）で検討したとおり，訂正事項２４は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項２４は，本件特許明細書等に記載した事項の範囲内においてするものである。
　また，訂正事項２４は，訂正の前後で特許請求の範囲に記載された発明の拡張又は変更をするものではないから，特許法第１３４条の２第９項で準用する特許法第１２６条第５項及び第６項の規定に適合するものである。
（２５）訂正事項２５
（２５−１）訂正の目的について
　本件特許明細書等の段落【０１７０】には「図１１（ｂ），（ｃ）に示されるように，化粧シート３３２を，この機種の構成に対応して３つの透視窓１４Ｌ，１４Ｃ，１４Ｒが形成されるとともに，液晶表示部１５を透視可能とする開口部３０８ａ及び適宜装飾が予め施された化粧シート３３２ａに交換する」と記載されているのに対し，段落【０１７８】には「中央の化粧シート３３２が，透視窓１４Ｌ，１４Ｃ，１４Ｒ及びこのさらに右側側方に演出用リール３５６を視認可能とする開口部３５７が形成された化粧シート３３２ｃに交換される」と記載されており，本件特許明細書等が，３つの透視窓１４Ｌ，１４Ｃ，１４Ｒが形成され右側側方に開口部が形成された「化粧シート」に対して異なる部材番号が使用される不明瞭な記載となっていた。
　訂正事項２５は，本件特許明細書等の段落【０１７０】の記載に基づいて，段落【０１７８】における３つの透視窓１４Ｌ，１４Ｃ，１４Ｒが形成され右側側方に開口部が形成された「化粧シート」の部材番号を「３３２ａ」として統一し，明細書及び図面の記載を整合させるものであるから，特許法第１３４条の２第１項ただし書第３号に掲げる明瞭でない記載の釈明を目的とする訂正に該当する。
（２５−２）新規事項の追加及び特許請求の範囲の拡張・変更について
　前記（２５−１）で検討したとおり，訂正事項２５は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項２５は，本件特許明細書等に記載した事項の範囲内においてするものである。
　また，訂正事項２５は，訂正の前後で特許請求の範囲に記載された発明の拡張又は変更をするものではないから，特許法第１３４条の２第９項で準用する特許法第１２６条第５項及び第６項の規定に適合するものである。
（２６）訂正事項２６
（２６−１）訂正の目的について
　本件特許明細書等の【図１４】には（ｃ）が記載されていないのに対し，【図面の簡単な説明】には「【図１４】（ａ）はスロットマシン１ｄを示す正面図であり，（ｂ）はそのカバー部材，化粧部材，後部カバー部材を示す概略図であり，（ｃ）はその前面扉４の後面側の要部を示す概略図である。」と記載されており，本件特許の願書に添付した明細書（以下，「本件特許明細書」という。）と図面とが整合していない不明瞭な記載となっていた。
　訂正事項２６は，【図１４】に基づいて，【図面の簡単な説明】の記載を「【図１４】（ａ）はスロットマシン１ｄを示す正面図であり，（ｂ）はそのカバー部材，化粧部材，後部カバー部材を示す概略図である。」とし，本件特許明細書と図面とを整合させるものであるから，特許法第１３４条の２第１項ただし書第３号に掲げる明瞭でない記載の釈明を目的とする訂正に該当する。
（２６−２）新規事項の追加及び特許請求の範囲の拡張・変更について
　前記（２６−１）で検討したとおり，訂正事項２６は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項２６は，本件特許明細書等に記載した事項の範囲内においてするものである。
　また，訂正事項２６は，訂正の前後で特許請求の範囲に記載された発明の拡張又は変更をするものではないから，特許法第１３４条の２第９項で準用する特許法第１２６条第５項及び第６項の規定に適合するものである。
（２７）訂正事項２７
（２７−１）訂正の目的について
　本件特許明細書等の【図１５】には（ｃ）が記載されていないのに対し，【図面の簡単な説明】には「【図１５】（ａ）はスロットマシン１ｅを示す正面図であり，（ｂ）はそのカバー部材，化粧部材，後部カバー部材を示す概略図であり，（ｃ）はその前面扉４の後面側の要部を示す概略図である。」と記載されており，本件特許明細書と図面とが整合していない不明瞭な記載となっていた。
　訂正事項２７は，【図１５】に基づいて，【図面の簡単な説明】の記載を「【図１５】（ａ）はスロットマシン１ｅを示す正面図であり，（ｂ）はそのカバー部材，化粧部材，後部カバー部材を示す概略図である。」とし，本件特許明細書と図面とを整合させるものであるから，特許法第１３４条の２第１項ただし書第３号に掲げる明瞭でない記載の釈明を目的とする訂正に該当する。
（２７−２）新規事項の追加及び特許請求の範囲の拡張・変更について
　前記（２７−１）で検討したとおり，訂正事項２７は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項２７は，本件特許明細書等に記載した事項の範囲内においてするものである。
　また，訂正事項２７は，訂正の前後で特許請求の範囲に記載された発明の拡張又は変更をするものではないから，特許法第１３４条の２第９項で準用する特許法第１２６条第５項及び第６項の規定に適合するものである。
（２８）訂正事項２８
（２８−１）訂正の目的について
　本件特許明細書等の段落【００５６】には「払出しメダルセンサ６１」と記載されているのに対し，【符号の説明】には「６１　払出メダルセンサ」と記載されており，本件特許明細書等が，同一の部材に対して表記が整合しない不明瞭な記載となっていた。
　訂正事項２８は，本件特許明細書等の段落【００５６】の記載に基づいて，【符号の説明】における部材番号「６１」の部材名の表記を「払出しメダルセンサ」として統一し，明細書及び図面の記載を整合させるものであるから，特許法第１３４条の２第１項ただし書第３号に掲げる明瞭でない記載の釈明を目的とする訂正に該当する。
（２８−２）新規事項の追加及び特許請求の範囲の拡張・変更について
　前記（２８−１）で検討したとおり，訂正事項２８は，本件特許明細書等に記載した事項又は記載した事項から自明な事項であり，本件特許明細書等に記載した事項の全ての記載を総合することにより導かれる技術的事項との関係において新たな技術的事項を導入しないものであるから，訂正事項２８は，本件特許明細書等に記載した事項の範囲内においてするものである。
　また，訂正事項２８は，訂正の前後で特許請求の範囲に記載された発明の拡張又は変更をするものではないから，特許法第１３４条の２第９項で準用する特許法第１２６条第５項及び第６項の規定に適合するものである。
（２９）一群の請求項等について
　訂正事項１〜６に係る訂正後の請求項１を含む訂正後の請求項１，２及び５は，訂正後の請求項１を他の請求項２及び５がそれぞれ直接的又は間接的に引用しているものであるから，当該訂正後の請求項１，２及び５は，特許法施行規則第４６条の２第４号に規定する関係を有する一群の請求項である。
　よって，本件訂正は，特許法第１３４条の２第９項で準用する特許法第１２６条第３項の規定に適合するものである。
　また，訂正事項７〜２８は，願書に添付した明細書に記載されている事項の訂正であるが，各訂正事項は請求項１，２及び５に対応する記載であり，訂正事項１〜６に係る一群の請求項である請求項１，２及び５は，当該訂正事項７〜２８と関係を有するから，願書に添付した明細書の訂正である当該訂正事項７〜２８と関係する全ての一群の請求項（請求項１，２及び５）が請求の対象となっている。
　よって，本件訂正は，特許法第１３４条の２第９項で準用する第１２６条第４項の規定に適合するものである。
３　まとめ
　以上のとおりであるから，本件訂正請求に係る訂正は，特許法第１３４条の２第１項ただし書第１号乃至第３号に掲げる事項を目的とし，かつ特許法第１３４条の２第９項で準用する同法第１２６条第３項ないし第６項の規定に適合する。
　したがって，本件特許に係る明細書及び特許請求の範囲を，平成２８年３月４日付け訂正請求書に添付された全文訂正明細書のとおり，訂正後の請求項１〜５について訂正することを認める。
第３　本件特許発明
　本件特許第５００８２３１号の請求項１，２及び５に係る発明は，本件訂正により訂正された特許請求の範囲の請求項１，２及び５に記載された事項により特定されるものであるところ，そのうち請求項１，２及び５に係る発明（以下，それぞれ「本件特許発明１」，「本件特許発明２」及び「本件特許発明５」という。）は次のとおりのものである（１Ａ〜５Ｂは，被請求人の平成２８年３月４日付け審判事件答弁書（２）における本件特許発明１，２及び５の分説に従い，当審で付した。）。
「【請求項１】
１Ａ　１ゲームに対して賭数を設定することによりゲームが開始可能となるとともに，表示状態を変化させることが可能な可変表示装置の表示結果が導出表示されることにより１ゲームが終了し，前記可変表示装置の表示結果に応じて所定の入賞が発生可能なスロットマシンにおいて，
１Ｂ　前面が開口する本体と，
１Ｃ　前記本体の前面開口を開閉可能に設けられる前面扉と，
１Ｄ　全体が透光性領域で構成されたカバー部材と，
１Ｅ　前記カバー部材の後面側に配置され，前記透光性領域に対応する箇所に装飾が施された化粧部材と，
１Ｆ　前記化粧部材の後面側に配置され，該化粧部材の後面を被覆する前記カバー部材と同材質の全体が透光性領域で構成された後部カバー部材と，を備え，
１Ｇ　前記化粧部材，前記カバー部材及び前記後部カバー部材は，外方形状が上辺，該上辺を切り欠いた左右傾斜辺，左右辺及び下辺からなる六角形に形成され，該化粧部材が前記カバー部材及び前記後部カバー部材により挟持され互いに枠体の後面側に前記カバー部材を突き合わせた後，前記後部カバー部材の後側から前記上辺の両端部及び前記下辺の両端部に形成されたネジ挿通孔にネジを挿通し，前記枠体の後面に形成された雌ネジ部に螺入することにより一体的に組み付けられた状態で前記前面扉の前面側から該前面扉の一部の領域である所定領域に前記枠体を介して係止され，前記前面扉を開放して前記前面扉の後面側から前記係止を解除することにより取り外され，
１Ｈ（１）　前記枠体の外方形状が上辺，該上辺を切り欠いた左右傾斜辺，左右辺及び下辺からなる六角形の環状に形成されており，先端に第１の係止爪を有する第１の係止片が前記枠体の後端より後ろ向きに突設し前記枠体の上辺よりも内側に前記枠体の上辺に沿って前記枠体の上辺の両端寄りに２個設けられ，先端に第２の係止爪を有する第２の係止片が前記枠体の後端より後ろ向きに突設し前記枠体の下辺よりも内側に前記枠体の下辺に沿って前記枠体の下辺の両端寄りに２個設けられ，先端に第３の係止爪を有する第３の係止片が前記枠体の左辺に沿って前記枠体の左辺の略中央に１個設けられ，先端に第４の係止爪を有する第４の係止片が前記枠体の右辺に沿って前記枠体の右辺の略中央に１個設けられ，前記枠体の前記左右傾斜辺には係止片は設けられておらず，前記第１の係止爪と前記第２の係止爪はそれぞれ外向きに形成され，
　前記所定領域には，内周形状が上辺，該上辺を切り欠いた左右傾斜辺，左右辺及び下辺からなる六角形であり，前記枠体の外方側面が全周にわたり嵌合する凹部が形成され，前記凹部の内周よりも内側に第１の挿通口が前記凹部の上辺に沿って前記凹部の上辺の両端寄りに２個設けられ，前記凹部の内周よりも内側に第２の挿通口が前記凹部の下辺に沿って前記凹部の下辺の両端寄りに２個設けられ，前記凹部に第３の挿通口が前記凹部の左辺に沿って前記凹部の左辺の略中央に１個設けられ，前記凹部に第４の挿通口が前記凹部の右辺に沿って前記凹部の右辺の略中央に１個設けられ，前記凹部の前記左右傾斜辺には挿通口が設けられておらず，
１Ｈ（２）　前記第１の係止片が前記第１の挿通口に挿通されたときには前記第１の係止爪が前記前面扉の裏面に外向きに係止され，前記第２の係止片が前記第２の挿通口に挿通されたときには前記第２の係止爪が前記前面扉の裏面に外向きに係止され，前記第３の係止片は前記第３の挿通口に挿通され前記第３の係止爪が前記前面扉の裏面に係止され，前記第４の係止片は前記第４の挿通口に挿通され前記第４の係止爪が前記前面扉の裏面に係止されることにより，前記枠体の外方側面が全周にわたり前記凹部に嵌合し前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する状態で，一体化した前記枠体，前記化粧部材，前記カバー部材及び前記後部カバー部材は前記前面扉に取り付けられ，
１Ｈ（３）　一体化した前記枠体，前記化粧部材，前記カバー部材及び前記後部カバー部材が前記前面扉に取り付けられた状態では，前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する
１Ｉ　ことを特徴とするスロットマシン。
【請求項２】
２Ａ　前記後部カバー部材は，透光性部材にて構成され，
２Ｂ　前記前面扉の所定箇所には，前記後部カバー部材を後側から照らす照明装置が設けられている
２Ｃ　請求項１に記載のスロットマシン。
【請求項５】
５Ａ　前記化粧部材に，前記スロットマシンの機種名等を表示する機種名表示部が設けられている
５Ｂ　請求項１または２に記載のスロットマシン。」
第４　当事者の主張の概要
１　請求人の主張の概要
　請求人は，特許第５００８２３１号の請求項１，２及び５に係る発明についての特許を無効とする，審判費用は被請求人の負担とする，との審決を求め，無効審判請求書，平成２７年５月１４日付け弁駁書，平成２７年８月５日付け口頭審理陳述要領書，平成２７年８月３１日付け上申書，平成２７年１１月２日付け口頭審理陳述要領書（２），平成２７年１１月１０日付け上申書，平成２７年１１月１８日付け上申書及び平成２８年４月１４日付け弁駁書（２）において無効とすべき理由を次のように主張するとともに，証拠方法として甲第１号証ないし甲第３８号証及び検甲第１号証ないし検甲第４号証を提出し，平成２７年８月３１日付け検証申出書を提出することにより検甲第１号証ないし検甲第２号証を追加し，平成２８年４月１４日付け検証申出書を提出することにより検甲第３号証ないし検甲第４号証を追加している。 
【無効理由】
　本件特許発明１，２及び５は，甲第１号証ないし甲第１３号証に記載された発明及び甲第１４号証ないし甲第３８号証と検甲第１号証ないし検甲第４号証で示される周知技術に基づき，出願前に当業者が容易に発明をすることができたものであるから，特許法第２９条第２項の規定により特許を受けることができないものであり，その特許は同法第１２３条第１項第２号に該当し，無効とすべきである。
【証拠方法】　
［書証］甲第１〜３８号証
甲第１号証　特開２００１−１７０２４８号公報
甲第２号証　特開２０００−５３７８号公報
甲第３号証　特開２００１−９５９７３号公報
甲第４号証　特開平１１−１１４１３２号公報
甲第５号証　登録実用新案第３０２１９６９号公報
甲第６号証　特開平１１−８６１１０号公報
甲第７号証　特開平８−１９０６６２号公報
甲第８号証　実願昭５９−１２３０４１号（実開昭６１−３７５７８号）のマイクロフィルム
甲第９号証　特開２００１−３７９４８号公報
甲第１０号証　特開２００１−１６１８９３号公報
甲第１１号証　特開平９−２２０３１３号公報
甲第１２号証　特開平１１−２７６６６４号公報
甲第１３号証　特開平９−６８７号公報
・平成２７年５月１４日付け弁駁書と共に提出されたもの
甲第１４号証　実願昭５０−１４３８８４号（実開昭５２−５６７８９号）のマイクロフィルム
甲第１５号証　特開２０００−２４５８９３号公報
甲第１６号証　実願昭５８−１２４３０７号（実開昭６０−３３３７９号）のマイクロフィルム 
甲第１７号証　実願平１−１３５０２０号（実開平３−７３４８０号）のマイクロフィルム 
甲第１８号証　特開平９−１２２４２１号公報
甲第１９号証　特開平１１−２７６６９３号公報
甲第２０号証　特開平１０−５２５４６号公報
甲第２１号証　特開平６−１５４３８９号公報
・平成２７年８月５付け口頭審理陳述要領書と共に提出されたもの
甲第２２号証　「白夜ムック９４　パチスロ必勝ガイド　パチスロ大図鑑２００１　回胴式遊技機歴史総覧」，株式会社白夜書房，２００１年５月１２日，第１２２〜１２５頁，表表紙，裏表紙の写し
甲第２３号証　写真撮影報告書（１），請求人従業員田中正彦作成，平成２７年８月３日，第１〜１４頁
甲第２４号証　「パチスロ攻略マガジン　１９９７　２月号特大号」，株式会社双葉社，１９９７年２月１日，第４〜５頁，第１３８〜１３９頁，表表紙，裏表紙の写し
甲第２５号証　写真撮影報告書（２），請求人従業員田中正彦作成，平成２７年８月３日，第１〜１１頁
甲第２６号証　「白夜ムック９４　パチスロ必勝ガイド　パチスロ大図鑑２００１　回胴式遊技機歴史総覧」，株式会社白夜書房，２００１年５月１２日，第１４〜１５頁，表表紙，裏表紙の写し
甲第２７号証　「MANHATTAN　マンハッタン」，株式会社マックス商事
・平成２７年８月３１日付け上申書と共に提出されたもの
甲第２８号証　写真撮影報告書（３），請求人従業員田中正彦作成，平成２７年８月３１日，第１〜６頁
甲第２９号証　写真撮影報告書（４），請求人従業員田中正彦作成，平成２７年８月３１日，第１〜６頁
・平成２７年１１月１８日付け上申書と共に提出されたもの
甲第３０号証　「ＣＲＡＮＫＹ　ＣＯＮＤＯＲ」，ユニバーサル販売株式会社
甲第３１号証　「パチスロ必勝ガイド　１９９５　ＯＣＴ」，１９９５年１０月１日，株式会社白夜書房，第４〜５頁，表表紙，裏表紙の写し
甲第３２号証　「パチスロ必勝ガイド　１９９５　ＮＯＶ」，１９９５年１１月１日，株式会社白夜書房，第４〜５頁，表表紙，裏表紙の写し
甲第３３号証：写真撮影報告書（５），請求人従業員田中正彦作成，平成２７年１１月１６日，第１〜６頁
甲第３４号証　「パチスロ必勝ガイド　１９９７　ＦＥＢ」，１９９７年２月１日，株式会社白夜書房，第３５頁，表表紙，裏表紙の写し
甲第３５号証　「パチスロ必勝ガイド　１９９７　ＡＰＲ」，１９９７年４月１日，株式会社白夜書房，第３８〜３９頁，表表紙，裏表紙の写し
甲第３６号証　写真撮影報告書（６），請求人従業員田中正彦作成，平成２７年１１月１６日，第１〜６頁
・平成２８年４月１４日付け弁駁書（２）と共に提出されたもの
甲第３７号証　写真撮影報告書（７），請求人従業員田中正彦作成，平成２８年４月１４日，第１〜９頁
甲第３８号証　写真撮影報告書（８），請求人従業員田中正彦作成，平成２８年４月１４日，第１〜１０頁
　
［検証物］検甲第１〜４号証
・平成２７年８月３１日付け検証申出書により検証の申出がなされたもの
検甲第１号証　パチスロ機「クランキーコンドル」（ユニバーサル販売株式会社製）
検甲第２号証　パチスロ機「フローズンナイツ」（ユニバーサル販売株式会社製）
・平成２８年４月１４日付け検証申出書により検証の申出がなされたもの
検甲第３号証　パチスロ機「クランキーコンドル」（ユニバーサル販売株式会社製）
検甲第４号証　パチスロ機「フローズンナイツ」（ユニバーサル販売株式会社製）
２　被請求人の主張の概要
　被請求人は，本件無効審判の請求は成り立たない，審判費用は請求人の負担とする，との審決を求め，平成２７年４月２日付け審判事件答弁書，平成２７年８月６日付け口頭審理陳述要領書，平成２７年１１月４日付け口頭審理陳述要領書（２）及び平成２８年３月４日付け審判事件答弁書（２）において，請求人の主張する無効理由にはいずれも理由がない旨主張すると共に，乙第１〜３号証を提出している。  
【証拠方法】
［書証］乙第１〜３号証
乙第１号証　“NAKAICHI 中古パチスロ，中古パチンコ，中古スロット実機販売”，[online]，プリントアウトしたものを２０１５年１１月４日に提出，[２０１５年１０月１５日検索]，インターネット〈URL:http://nakaiti.com/html/siro005.html〉
乙第２号証　“R-NET　中古パチスロ改造・価格表”，[online]，プリントアウトしたものを２０１５年１１月４日に提出，[２０１５年１０月２３日検索]，インターネット〈URL:http://www.ranking-network.co.jp/amusement/price.html〉
乙第３号証　“タストサービスｏｎｌｉｎｅ　ｓｔｏｒｅ”，[online]，プリントアウトしたものを２０１５年１１月４日に提出，[２０１５年１０月２３日検索]，インターネット〈URL:http://www.tasto777.jp/〉
第５　当審の判断
　請求人が提出した平成２８年４月１４日付け検証申出書に係る検甲第３号証，検甲第４号証の検証は，甲第３７号証，甲第３８号証に記載された内容である，検甲第１号証の対象物件と同一の物件，及び検甲第２号証の対象物件と同一の物件の「枠体の左辺・右辺・上辺・下辺の長さ（外寸）」と「凹部の左辺・右辺・上辺・下辺の長さ（内寸）」が同寸又は差が１．５ｍｍであり，「係止片の枝部の長さ（右左）」と「挿入口の奥行（右左）」が同寸であることを立証するものである。
　平成２８年４月１４日付け審判事件弁駁書（２）（第２５〜２７頁（ウ）），甲第３７号証（第３頁２）及び甲第３８号証（第３頁２）の記載を参酌すると，請求人はこの検証により，検甲第１〜２号証が，本件特許発明１の構成１Ｈ（２）及び構成１Ｈ（３）である「（前記枠体の後端縁の上辺と前記第１の係止片との間の）第１の領域が（前記凹部の底面周縁の上辺と前記第１の挿通口の上辺との間の）第２の領域において当接」する構成，及び「前記枠体の後端縁の上辺と前記凹部の底面周縁の上辺が左右方向全幅にわたって当接」する構成を備えることを立証しようとするものである。
　しかしながら，平成２８年４月１４日付け検証申出書による検証は，後記第５　３　３−１（２）（２−２）に記載した理由により行わなかった。
　なお，検甲第３号証，検甲第４号証については，仮に検証を実施したものとして，後記２（４），（５）に仮認定する。
１　甲各号証に記載された事項
　請求人が提出した書証である甲第１〜３８号証には，以下の記載事項（甲第１〜２号証については，発明認定も行っている。また，甲第３７〜３８号証は，平成２８年４月１４日付け弁駁書（２）と共に提出されたものである。）が認められる。なお，下線は当審で付した。
（１）甲第１号証
　甲第１号証である本件特許の出願日前に頒布された特開２００１−１７０２４８号公報には，図面と共に次の事項が記載されている。
（甲１−ａ）「【００１１】
スロットマシン１は
リールユニット１５（可変表示装置ともいう
が収容される収容箱３と
収容箱３の前面に開閉自在に設けられる前面扉２と，から構成されている
【００１２】収容箱３は，上部の天板４と左右の側板５，６と下部の底板７と背面の背板８とによって直方体状に組み付けられている。また，前面扉２は，合成樹脂によって一体成形される前面枠９に前面飾り枠１０，タイトルパネル１１，メダル受皿１２を装着して構成される。前面飾り枠１０には，その上部に入賞態様等を説明する説明文等が表示される説明パネル４３４と
前記リールユニット１５の３つのリール駆動ユニット２００ａ〜２００ｃ
【００１３】遊技パネル３５０には，
リール駆動ユニット２００ａ〜２００ｃ（以下，リール２００ａ〜２００ｃと略称する）
（甲１−ｂ）「【００１８】
スタートレバー５３９は，ゲームを開始する際に操作するレバーである
（甲１−ｃ）「【００２２】
賭数が設定された場合に
スタートレバー５３９を操作可能であるスタート状態になった
スタートレバー５３９を操作すれば，各リール２００ａ，２００ｂ，２００ｃが一斉に回転（可変表示とも言う。以下，同じ）し始める
各リール２００ａ，２００ｂ，２００ｃには，複数の図柄が描かれており，リールの回転に伴って透視窓９００に現れる図柄の種類が次々と変動し，複数種類の図柄が可変表示される
【００２３】可変表示の開始から所定時間が経過すれば，各ストップボタン５３３，５３４，５３５に設けられたランプが点灯する。これにより，各ストップボタン５３３，５３４，５３５の押圧操作が有効な操作有効状態になったことが遊技者に報知される。各ストップボタン５３３，５３４，５３５は，各リール２００ａ，２００ｂ，２００ｃに対応して設けられており，遊技者は自らの操作によって各リール２００ａ，２００ｂ，２００ｃを停止させる順序とタイミングとを選択できる。
遊技者がストップボタン５３３，５３４，５３５のうち，いずれかを押圧操作すれば
操作されたストップボタンに対応するリールの回転が停止する
【００２４】一方，遊技者がストップボタン５３３，５３４，５３５を操作しない場合には，所定の可変表示時間が経過した後に各リール２００ａ，２００ｂ，２００ｃが，例えば，左から順に自動的に停止し，ストップボタン５３３，５３４，５３５に内蔵されるランプが左から順に消灯する。
【００２５】
すべてのリールが停止した時点で，透視窓９００から視認される各リール２００ａ，２００ｂ，２００ｃの上段，中段，下段の３段の図柄のうち，賭数に応じて定められる有効なライン上に位置する図柄の組合わせによって入賞の有無が決定される
（甲１−ｄ）「【０１３６】（３）前面扉
前面扉２は
前面枠９と
タイトルパネル１１
から構成されている
タイトルパネル１１は，蛍光灯３５５を有する反射板３５４を被覆するように
取り付けられる
・・・
【０１４９】
前記タイトルパネル１１によってその前面を被覆される領域には
蛍光灯３５５から発する熱を放熱する放熱穴３９１や蛍光灯３５５の配線を後方に引き出すための配線通し穴３９２が形成され
タイトルパネル枠５９０の後方四隅から突設される係止爪５９１
を挿入するタイトルパネル係止爪挿入穴３９０が４つ形成されている
（甲１−ｅ）「【０１６１】次に，説明パネル用開口４０２に取り付けられる説明パネル４３４について，図３５及び図３７を参照して説明すると，
説明パネル４３４は，その前面にゲームにおける入賞態様やゲーム内容について説明する図柄や文章が描かれている
（甲１−ｆ）「【０１９７】（３−５）タイトルパネル
前面飾り枠１０の下方に取り付けられるタイトルパネル１１について図４８を参照して説明する。図４８は，タイトルパネル１１の分解斜視図である。
【０１９８】
タイトルパネル１１は，タイトルパネル枠５９０と，該タイトルパネル枠５９０に止着されるパネル５９３とから構成される
タイトルパネル枠５９０は
その四隅に係止爪５９１が後方に向かって突設されている
パネル５９３の周囲には，適宜間隔を置いて取付片５９４が突設形成され，タイトルパネル枠５９０の裏面に形成される取付部（図示しない）に取付片５９４を一致せしめてネジ５９５を螺着することにより，パネル５９３をタイトルパネル枠５９１に固定することができる
【０１９９】上記のように構成される
タイトルパネル１１は，係止爪５９１をタイトルパネル係止爪挿入穴３９０に前方から挿入することにより前面枠９に着脱自在に装着し得るものである
（甲１−ｇ）前記（甲１−ｂ）の段落【００１８】には，「スタートレバー５３９」が「ゲームを開始する際に操作するレバー」であることが記載され，前記（甲１−ｃ）の段落【００２２】には，「賭数が設定された場合」には，「スタートレバー５３９を操作可能」となることが記載されている。
　そうすると，前記（甲１−ｃ）には，
賭数が設定された場合にはゲームが開始可能となり，スタートレバー５３９を操作すれば，各リール２００ａ，２００ｂ，２００ｃが一斉に回転（可変表示とも言う。以下，同じ）し始め，各リール２００ａ，２００ｂ，２００ｃには，複数の図柄が描かれており，リールの回転に伴って透視窓９００に現れる図柄の種類が次々と変動し，複数種類の図柄が可変表示されること
（甲１−ｈ）前記（甲１−ｆ）の段落【０１９８】には，「タイトルパネル１１は，タイトルパネル枠５９０と，該タイトルパネル枠５９０に止着されるパネル５９３とから構成される」ことが記載され，また「パネル５９３の周囲には，適宜間隔を置いて取付片５９４が突設形成され，タイトルパネル枠５９０の裏面に形成される取付部（図示しない）に取付片５９４を一致せしめてネジ５９５を螺着することにより，パネル５９３をタイトルパネル枠５９１に固定することができ」ることが記載されている。
　また，【図４８】より，パネル５９３は，外方形状が上辺，該上辺を切り欠いた左右傾斜辺，左右辺及び下辺からなる六角形に形成され，前記上辺の中央部，前記左右傾斜辺，及び前記下辺の中央部と両端部に取付片５９４が突設形成されている，といえる。
　そうすると，前記（甲１−ｆ）及び【図４８】には，
パネル５９３は，外方形状が上辺，該上辺を切り欠いた左右傾斜辺，左右辺及び下辺からなる六角形に形成され，パネル５９３の上辺の中央部，左右傾斜辺，及び下辺の中央部と両端部には，取付片５９４が突設形成され，タイトルパネル枠５９０の裏面に形成される取付部に取付片５９４を一致せしめてネジ５９５を螺着することにより，パネル５９３をタイトルパネル枠５９０に固定することで，タイトルパネル１１を構成すること
（甲１−ｉ）【図３３】，【図４８】より，
タイトルパネル枠５９０の外方形状が上辺，該上辺を切り欠いた左右傾斜辺，左右辺及び下辺からなる六角形の環状に形成されており，係止爪５９１がタイトルパネル枠５９０から後ろ向きで外向きに突設すると共に，タイトルパネル枠５９０の左右傾斜辺の上辺寄りに１個ずつ，下辺の両端寄りに２個設けられ
　これらの記載事項（甲１−ａ）〜（甲１−ｆ）及び認定事項（甲１−ｇ）〜（甲１−ｉ）を総合すると，甲第１号証には，次の発明が記載されていると認められる（以下「甲１発明」という。）。 
「賭数が設定された場合にはゲームが開始可能となり，スタートレバー５３９を操作すれば，各リール２００ａ，２００ｂ，２００ｃが一斉に回転（可変表示とも言う。以下，同じ）し始め，各リール２００ａ，２００ｂ，２００ｃには，複数の図柄が描かれており，リールの回転に伴って透視窓９００に現れる図柄の種類が次々と変動し，複数種類の図柄が可変表示され，遊技者がストップボタン５３３，５３４，５３５のうち，いずれかを押圧操作すれば，操作されたストップボタンに対応するリールの回転が停止し，すべてのリールが停止した時点で，透視窓９００から視認される各リール２００ａ，２００ｂ，２００ｃの上段，中段，下段の３段の図柄のうち，賭数に応じて定められる有効なライン上に位置する図柄の組合わせによって入賞の有無が決定されるスロットマシン１であって，
　リールユニット１５（可変表示装置ともいう）等が収容される収容箱３と，
　収容箱３の前面に開閉自在に設けられる前面扉２と，
　パネル５９３と，から構成され，
　パネル５９３は，外方形状が上辺，該上辺を切り欠いた左右傾斜辺，左右辺及び下辺からなる六角形に形成され，パネル５９３の上辺の中央部，左右傾斜辺，及び下辺の中央部と両端部には，取付片５９４が突設形成され，タイトルパネル枠５９０の裏面に形成される取付部に取付片５９４を一致せしめてネジ５９５を螺着することにより，パネル５９３をタイトルパネル枠５９１に固定することで，タイトルパネル１１を構成し，
　前面扉２は，前面枠９と，タイトルパネル１１とから構成されており，タイトルパネル１１は，蛍光灯３５５を有する反射板３５４を被覆するように取り付けられるものであり，
　タイトルパネル１１によって前面扉の前面を被覆される領域には，蛍光灯３５５から発する熱を放熱する放熱穴３９１や蛍光灯３５５の配線を後方に引き出すための配線通し穴３９２が形成されると共に，タイトルパネル枠５９０から後ろ向きで外向きに突設する係止爪５９１を挿入するタイトルパネル係止爪挿入穴３９０が４つ形成され，タイトルパネル１１は，係止爪５９１をタイトルパネル係止爪挿入穴３９０に前方から挿入することにより前面枠９に着脱自在に装着し得るものであり，
　タイトルパネル枠５９０の外方形状が上辺，該上辺を切り欠いた左右傾斜辺，左右辺及び下辺からなる六角形の環状に形成されており，係止爪５９１がタイトルパネル枠５９０から後ろ向きで外向きに突設すると共に，タイトルパネル枠５９０の左右傾斜辺の上辺寄りに１個ずつ，下辺の両端寄りに２個設けられているスロットマシン１。」
（２）甲第２号証
　甲第２号証である本件特許の出願日前に頒布された特開２０００−５３７８号公報には，図面と共に次の事項が記載されている。
（甲２−ａ）「【０００２】
【従来の技術】遊技機には，
スロットマシンのように
遊技機の上方には，これら供給機構内蔵空間を覆う目的で，覆板（以下，「幕板」という。）が設けられる
幕板には
【０００３】
【発明が解決しようとする課題】しかしながら，上述した幕板は，遊技方法説明シート，内装デザインシート等を貼着することにより，これら各種の表示を行っていたため，
遊技説明や，内装デザインに変更が生じた場合には，シートを貼り替えなければならず，遊技機が多数台の場合には多大な労力が必要となった
本発明は上記状況に鑑みてなされたもので，表示部材が容易に交換できるとともに，供給機構内蔵空間の開閉が容易に行え，しかも，表示の視認性，演出効果も高めることのできる遊技機用表示装置を提供することを目的とする
（甲２−ｂ）「【００１６】
遊技機１には，フレーム１３が連結されている
遊技機１の上方には，供給機構内蔵空間１５が確保されている。フレーム１３は，この供給機構内蔵空間１５を囲っている
【００１７】図３は内部を透視した蓋体の側面図，図４は上位位置に支持された蓋体の側面図，図５は中間位置に支持された蓋体の側面図，図６は下位位置に支持された蓋体の側面図である。図３に示すように，
フレーム１３には，供給機構内蔵空間１５を覆う蓋体１７が取り付けられている。蓋体１７は，前面板１９と
より外形が形成されている
【００１８】前面板１９の表面の上部には，従来と同様の係員呼出し用の呼出スイッチ２５，呼出ランプ２７等が取り付けられている。この蓋体１７は，天板２３の後端が第一ヒンジ２９を介してフレーム１３に固定されている
。蓋体１７は
開閉自在となっている
（甲２−ｃ）「【００２５】
前面板１９には
開口部５１を形成してある
前面板１９の背部に配置されるアクリル板保持枠５５
【００２６】
アクリル板保持枠５５の内側には，下方から，光拡散板（乳白アクリル板）５７，表示部材（デザインシート）５９，透明アクリル板６１が順次積層して収容できるようになっている
デザインシート５９，透明アクリル板６１は，この乳白アクリル板５７上に載置された状態で，アクリル板保持枠５５内に収納保持される
【００２７】透明アクリル板６１，乳白アクリル板５７は，少なくとも開口部５１より大きな面積で形成してある。デザインシート５９は，光透過率の差により表示像が視認される所謂スライドフィルム状となっている。乳白アクリル板５７は，中央の開口するアクリル板保持枠５５に取り付けられることで，周縁を除く大部分の面が蓋体１７の内部に露出している。
この乳白アクリル板５７の背部には
蛍光器具４９が配置される
【００２８】アクリル板保持枠５５は，第三ヒンジ５３と反対側の端部が，ビス６３又は係止金具によって，前面板１９の背面に取り付けられるようになっている。これによって，
アクリル板保持枠５５に収納されたデザインシート５９，透明アクリル板６１は，乳白アクリル板５７と前面板１９とによって，挟持された状態で，前面板１９の背部に保持される
【００２９】次に，このように構成した遊技機用表示装置７１の作用を説明する。通常時，蓋体１７は，フレーム１３に閉鎖され，蛍光器具４９が点灯状態となる。
蛍光器具４９からの光は，乳白アクリル板５７に拡散され，デザインシート５９を透過する。これにより，蓋体１７の開口部５１には
デザインシート５９に形成された操作説明，デザイン等が透過光によって表示される
このようなバックライト方法により，表示が行われることで，シートを単に貼着した従来の表示方法に比べて視認性，演出効果が高まる
（甲２−ｄ）「【００３３】更に，
デザインシート５９の交換が必要となった場合には
アクリル板保持枠５５を固定しているビス６３
を外すことで
デザインシート５９が容易に交換される
　これらの記載事項（甲２−ａ）〜（甲２−ｄ）を総合すると，甲第２号証には，次の発明が記載されていると認められる（以下「甲２発明」という。）。
「上方に確保されている供給機構内蔵空間１５を囲っているフレーム１３に開閉自在な蓋体１７が取り付けられたスロットマシンである遊技機１であって，
　蓋体１７は，前面板１９により外形が形成されており，前面板１９には，開口部５１が形成され，
　前面板１９の背部に配置されるアクリル板保持枠５５の内側には，下方から，光拡散板（乳白アクリル板）５７，表示部材（デザインシート）５９，透明アクリル板６１が順次積層して収容できるようになっており，アクリル板保持枠５５に収納されたデザインシート５９，透明アクリル板６１は，乳白アクリル板５７と前面板１９とによって，挟持された状態で，前面板１９の背部に保持され，
　乳白アクリル板５７の背部には，蛍光器具４９が配置され，この蛍光器具４９からの光は，乳白アクリル板５７に拡散され，デザインシート５９を透過し，デザインシート５９に形成された操作説明，デザイン等が透過光によって表示され，
　デザインシート５９の交換が必要となった場合には，アクリル板保持枠５５を固定しているビス６３を外すことでデザインシート５９が容易に交換される遊技機１。」
（３）甲第３号証
　甲第３号証である本件特許の出願日前に頒布された特開２００１−９５９７３号公報には，図面と共に次の事項が記載されている。
（甲３−ａ）「【０００１】
【発明の属する技術分野】この発明は，
スロットマシンに関し，新旧の機種交換が容易に行えるようにした
【０００２】
【従来の技術】従来，この種のスロットマシンとしては，前扉にリール装置を着脱可能に取り付けたものが知られている（例えば特開平６−２３１３４号公報）。また，本体箱と前扉との間に，中枠を開閉可能に取り付け，この中枠にリール装置を取り付けたものも知られている（例えば特開平１−３７９８４号公報）。
【０００３】さらに，前扉の下側に，受皿を着脱可能に取り付けたものも知られている（例えば特開平３−５７４７３号公報）。
【０００４】
【発明が解決しようとする課題】しかし，上記した従来のスロットマシンでは，新旧の機種交換が面倒であるという共通の問題点があった。すなわち，スロットマシンは，一定期間経過すると，新機種に入れ替えられる。
【０００５】このとき，旧機種を取り外し，取り外したスペースに新機種を再度，取り付けていた。
上記新旧の機種交換は，面倒で手数が掛かっていた。このため，新旧の機種の交換に時間が掛かり，機種の交換のために，営業時間が短縮されたり，夜間の作業を強いられこととなり，多大な労力と費用とが掛かっていた
【０００６】また，新・旧の機種を丸ごと交換するので，それらの搬送費用や保管費用も多く掛かっていた。さらに，旧機種を廃棄し，新機種を新たに製造すると，資源の無駄が多い。」
（甲３−ｂ）「【００４７】なお，上記各種スイッチ類は，上部ドア90に限らず，下部ドア100に配置しても良いし，或いは上部ドア90と下部ドア100とに分散させて配置しても良い。
（下部ドア）前記下部ドア100には，図１，２に示すように，
装飾パネル101を交換可能に取り付けている
（４）甲第４号証
　甲第４号証である本件特許の出願日前に頒布された特開平１１−１１４１３２号公報には，図面と共に次の事項が記載されている。
（甲４−ａ）「【０００４】
【発明が解決しようとする課題】
従来のスロットマシン
この種の遊技機は一体で形成されているため，たとえば表示部の模様替えや回胴の絵柄の変更，ゲーム内容の刷新などを図ろうとすると遊技機全体を取り替えなければならない
しかし，この種の遊技機は非常に高価でしかも非常に重いため，コストアップになり取替作業も容易ではなく，大変であるという問題がある
【０００５】本発明は，このような状況に鑑みてなされたもので，スロットマシンなどの電気信号により操作をする遊技機を着脱可能なユニットの組立体とし，ユニット単位の取替が可能な構成の遊技機を提供することを目的とする。」
（甲４−ｂ）「【０００９】前記操作部ユニットが前記操作スイッチを少なくとも有する操作部と，タイトルパネルを少なくとも有するドア部とからなり，該操作部とドア部とが着脱可能に固定されていることにより，またはさらに
前記タイトルパネルが前記ドア部に着脱可能に固定されていることにより，操作部やタイトルパネルだけを取り替えて新たなイメージを惹起することもできる
（５）甲第５号証
　甲第５号証である本件特許の出願日前に頒布された登録実用新案第３０２１９６９号公報には，図面と共に次の事項が記載されている。
（甲５−ａ）「【０００１】
  【産業上の利用分野】
  
本考案は，例えば，スロットマシン，所謂パチスロ機，パチンコ台等の遊戯機及び遊戯機の外装パネルに関する
（甲５−ｂ）「【００１２】
　さらに，外装パネルに所望の絵柄が立体印刷によって表されていれば，その
外装パネルを交換するだけで，写実的な外観を有する遊戯機が何種類も製造できる
（６）甲第６号証
　甲第６号証である本件特許の出願日前に頒布された特開平１１−８６１１０号公報には，図面と共に次の事項が記載されている。
（甲６−ａ）「【０００６】本発明は，上記課題を解決するためになされたもので，ディスプレイを容易に交換でき，製造コストを削減することができ，かつディスプレイの汚損や盗難を防止できる自動販売機のディスプレイ装置を提供することを目的とする。」
（甲６−ｂ）「【００２３】図３乃至図５に示すように，ディスプレイ装置１には，取付枠４の内部には，カバー板５およびパネル６が設けられており，カバー板５およびパネル６は，上記横溝４５，４６内に配置されると共に，これらの間を延びている。パネル６は，メインドア３に接着された金属製（例えば鋼製）の板であり，平板部６０と，平板部６０の上端から手前側に折り返された折返部６１と，を備えている（図８参照）。平板部６０の前面には，図示しない両面テープを介してポスター（ディスプレイ）７が着脱自在に貼り付けられている。図４に示すように，平板部６０の左端部は，メインドア３の前面に取り付けられたスペーサ６２により，前方に少し押し出されており，それにより，カバー板５の左端部との密着性が高められている。」
（７）甲第７号証
　甲第７号証である本件特許の出願日前に頒布された特開平８−１９０６６２号公報には，図面と共に次の事項が記載されている。
（甲７−ａ）「【００１２】
【実施例】以下，本発明の一実施例を図面に基づいて説明する。図１に示すように，前面扉１の下部には，接客面に配設される表示パネル２を傾斜させて保持する表示パネル保持装置３が設けられている。この表示パネル保持装置３は，前面扉１の両側部に配設された側部パネル４と，表示パネル２を裏面側から保持する裏板パネル５と，表示パネル２を前面側より保護する透明な保護シート６と，側部パネル４間の下端部前縁側位置に固定されて保護シート６，表示パネル２および裏板パネル５の各下辺部を下方および前後から受ける断面略コ字状のパネル受け７と，側部パネル４間の上下方向中央寄り後縁側位置に配設されて保護シート６，表示パネル２および裏板パネル５の各上辺部を上方および前後から挟持する断面略コ字状の挟持部８ａを有するパネル押え８とから構成されている。」
（甲７−ｂ）「【００１６】一方，表示パネル２などを取り外す際には，裏板パネル５のつまみ５ｂを持って引き上げることにより，裏板パネル５に伴ってパネル押え８が側部パネル４の溝部４ｂに沿って引き上げられる。その後，パネル押え８の両端部が側部パネル４の切欠部４ａに位置した状態で後方に引き出すことにより，パネル押え８が側部パネル４から離脱するため，この状態から，保護シート６，表示パネル２および裏板パネル５からパネル押え８を取り外すことにより，表示パネル２などを交換することができる。
【００１７】このように，ねじなどを用いていないため，表示パネル２の取り付け，取り外し作業を簡単に行うことができる。」
（８）甲第８号証
　甲第８号証である本件特許の出願日前に頒布された実願昭５９−１２３０４１号（実開昭６１−３７５７８号）のマイクロフィルムには，図面と共に次の事項が記載されている。
（甲８−ａ）「４は広告用シート取付装置でシート保持体５を備える。シート保持体５はプラスチック板で浅い箱形に形成され適当な剛性をもつシート台５１，シート台５１の上に乗せた広告用シート６の上に被せられるシート押え５２，シート台５１の左右および下辺に沿ってコ字形に形成されかつ小ねじ５３によりシート台５１に固定され，シート台５１の周縁部との間にシート押え５２を挟持する断面Ｌ字形の受け具５４およびシート押え５２を固定するようにシート台５１の上縁部にねじ込まれる化粧ねじ５５からなり，前記手順に従って一体に組立てられる。」（第４頁第３〜１４行）
（甲８−ｂ）「［考案の効果］この考案によれば，広告用シートをシート台上に乗せその上に透明なシート押えを被せ前記シート押えを前記シート台に固定することによって一体に組立てられるシート保持体を設ける一方，前記シート保持体の周縁部を離脱可能に挟持する支持体を前面扉に設けて広告用シート取付装置を構成したので，前記シートが容易に着脱展示され，また前記シートを見づらくする不具合が排除される。」（第６頁第４〜１４行）
（９）甲第９号証
　甲第９号証である本件特許の出願日前に頒布された特開２００１−３７９４８号公報には，図面と共に次の事項が記載されている。
（甲９−ａ）「【００１７】上記ドア施錠装置１８は管理者以外の者が前扉１を無断で開放するのを防止するためのものであるが，このドア施錠装置１８とは別に前扉１の無断開放を未然に防止するために，前扉１の開状態を検出するドアセンサ４１が前扉１のヒンジ側と反対側である開放側（図１で右側）側辺部の上部に設けられているとともに，このドアセンサ４１の検出信号を受けて作動する報知装置（図示せず）が装備されている。
【００１８】上記ドアセンサ４１は，図４ないし図６に詳示するように，プッシュ型スイッチからなるもので，スイッチケース４１ａ内より最大５ｍｍ程度突出するスイッチボタン４１ｂを筐体２の前端面に向けた状態で前扉１の裏面側に取付金具（図示せず）を介して取り付けられている。そして，前扉１の閉状態では図５（ａ）に示すようにスイッチボタン４１ｂがスイッチケース４１ａ内に略完全に埋没してＯＮとなり，この閉状態から図４及び図５（ｂ）に示すように前扉１が所定量開かれ，スイッチボタン４１ｂがスイッチケース４１ａ内より２ｍｍ程度突出するようになるまではＯＦＦに切り替わらない，つまり前扉１の開状態の信号を出力しない不感帯領域を有している。尚，ドアセンサ４１の出力信号を受ける報知装置は，図示していないが，光学式報知手段として，スロットマシンＡ自体の上部ランプ２２やリール照明用蛍光灯３３などの塔載ランプ類若しくは島ランプを用いて，それらの点灯又は点滅で前扉１の開状態を報知したり，あるいは音声式報知手段として，スロットマシンＡのスピーカ３５を用いてブザー音などの警報音若しくは人声音で「扉が開いています」を流すことで報知を行ったりするようになっている。」
（１０）甲第１０号証
　甲第１０号証である本件特許の出願日前に頒布された特開２００１−１６１８９３号公報には，図面と共に次の事項が記載されている。
（甲１０−ａ）「【０００２】
【従来の技術】最近の遊技機，特にパチスロ機には，その上部に呼出ランプと呼ばれる通知装置が設けられており，その呼出ランプにより，パチスロ機での遊技状態または遊技結果等を従業員や遊技者に通知するようになっている。さらに，最近のパチスロ機には，特賞状態終了後に，チャレンジタイム（以下，ＣＴという。）遊技と呼ばれる遊技状態を生起させる機種があり，そのような機種に設けられた呼出ランプでは，本体のパチスロ機でＣＴ遊技状態が生起したときは，ＣＴ遊技状態が生起した旨の通知を行うようになっている。以下，遊技機としてパチスロ機を例にとって，パチスロ機および呼出ランプの構成を説明し，併せてＣＴ遊技状態についても説明する。」
（１１）甲第１１号証
　甲第１１号証である本件特許の出願日前に頒布された特開平９−２２０３１３号公報には，図面と共に次の事項が記載されている。
（甲１１−ａ）「【００１６】
スロットマシン１の正面下部には，機種名や機種イメージシンボル等が描かれたタイトル部パネル１４が設けられている
（１２）甲第１２号証
　甲第１２号証である本件特許の出願日前に頒布された特開平１１−２７６６６４号公報には，図面と共に次の事項が記載されている。
（甲１２−ａ）「【００１９】前記扉部３の前面は，正面パネル１１，上部パネル１２，および下部パネル１３で構成される。正面パネル１１は，各リール８ａ，８ｂ，８ｃのシンボル列を移動させた状態や停止させた状態で表示する部分である。
上部パネル１２や下部パネル１３には，機種名や，機種に導入されたキャラクターのイメージ画，ゲーム情報などが表される
（１３）甲第１３号証
　甲第１３号証である本件特許の出願日前に頒布された特開平９−６８７号公報には，図面と共に次の事項が記載されている。
（甲１３−ａ）「【００３７】また，前記画像遊技装置10には，図１に示すように，その前面向かって右側に，メダルセンサ（図示せず）を内蔵したメダル投入口14が設けられ，メダル投入口14の向かって右側には，前記メダル投入口14に詰まったメダルを返却するための返却スイッチ15が設けられている。また，前記画像遊技装置10には，図１に示すように，前記操作パネル12の下段に，例えば
透光性のある材料で構成され，遊技装置の名称や装飾模様などが描かれたタイトルパネル板16が設けられている
（１４）甲第１４号証
　甲第１４号証である本件特許の出願日前に頒布された実願昭５０−１４３８８４号（実開昭５２−５６７８９号）のマイクロフィルムには，図面と共に次の事項が記載されている。
（甲１４−ａ）「本考案は上記欠点を排除すべくなされたもので差込み方法を採用し簡単に
商品ラベルを交換することができることを目的とする
（甲１４−ｂ）「第１図に於いて(1)は
自動販売機等の商品表示パネルで本体に形成されてあり，該パネルの前面は段落部(2)が形成されている
(4)は合成樹脂等の素材で形成された表示枠でその外縁が前記段落部の内側縁に嵌着するようになつている
表示枠(4)の一面には係止片(5)が突出して形成され前記開口部に対応して嵌入される
（甲１４−ｃ）「
(7)は表示看板で組立時に前記表示枠(4)に圧着され
（甲１４−ｄ）第１，２，４〜６図から，甲第１４号証には，
自動販売機等の商品表示パネル(1)に，表示看板(7)が圧着され環状に形成された表示枠(4)の外方側面が全周にわたり嵌合する段落部(2)が形成されている
（１５）甲第１５号証
　甲第１５号証である本件特許の出願日前に頒布された特開２０００−２４５８９３号公報には，図面と共に次の事項が記載されている。
（甲１５−ａ）「【００１３】本発明の実施の形態に係るスロットマシン10は，その前面側下パネル20と，それを固定するフロントマスク30とを備えているものである。前記前面側下パネル20は，樹脂又は金属からなり，図５に示すように，全体形状が略長方形であって，スロットマシン10の前面側の操作スイッチ等の下部に位置している。そして，前面側下パネル20の裏面側の上部には，前面側下パネル20をフロントマスク30に固定するために，フロントマスク30側に向かって突出して係合可能な二つの突出固定片40が形成されている。また，前面側下パネル20の裏面側の下部には，前面側下パネル20をフロントマスク30に支持するために，フロントマスク30側に向かって突出する二つの支持固定片45が形成されている。
・・・
【００１６】前記支持固定片45は，図２に示すように，その縦断面形状が略Ｌ字状であって，その先端から下方に向かって直角に曲げられたＬ字部46を備えている。前記前面側開口部31には，突出固定片40を挿入した状態で突出固定片40と前面側開口部31との間の隙間を閉塞する金属からなる閉塞部材50が形成されている。この閉塞部材50は，前面側開口部31の周囲の周囲部材であるフロントマスク30を挟み込んで蝶ねじ54からなる締結部材53により固定される挟み込み部51と，この挟み込み部51から前面側開口部31内側に向かって延びて突出固定片40に当接する閉塞板部52とを備えている。前記挟み込み部51は，下方からねじ込まれる蝶ねじ54により挟み込んだフロントマスク30を押圧することによりフロントマスク30と一体に固定可能に形成されているものである。そして，係止爪部41の段差部44を前面側開口部31の周縁に係止させた状態において，閉塞板部52は，突出片本体部42の表面と前面側開口部31の内面との間に渡されている。また，閉塞板部52には，その上端面から下方に向かって切り欠かれた切り欠き部55が形成されている。この切り欠き部55の幅は，突出固定片40の幅と略整合するように設定されている。」
（１６）甲第１６号証
　甲第１６号証である本件特許の出願日前に頒布された実願昭５８−１２４３０７号（実開昭６０−３３３７９号）のマイクロフィルムには，図面と共に次の事項が記載されている。
（甲１６−ａ）「本考案は，表示シートと，この表示シートの表面に重合される化粧板とからなる樹脂製
表示板の取付装置
（甲１６−ｂ）「１０は表示板であって，この
表示板１０は，透明なる樹脂板で形成された化粧板１１と，この化粧板１１の裏面に添設される表示シート１２とで構成されるものであるが，その化粧板１１の裏面においては，その左右両端部に，先端に係止爪１３’を形成した一対の係止脚１３が，化粧板１１と一体となって突設されており
（甲１６−ｃ）「１９は上記の表示板１０を取付けるべきインストルメントパネルであって，この
インストルメントパネル１９には，上記係止脚１３が挿入係止される透孔２０が形成されている
　以上が本実施例の構成であるが，次に上記表示板１０をインストルメントパネル１９に取付ける手順について述べると，まず化粧板１１の裏面に表示シート１２を添設して，
その化粧板１１の裏面に突設されている係止脚１３，１３をインストルメントパネル１９に形成されている透孔２０内に挿入すると，その係止脚１３，１３の先端部に設けた係止爪１３’と透孔２０の口縁との係合によって表示板１０はインストルメントパネル１９に係合される
（甲１６−ｄ）第３図の（ａ）及び（ｃ）から，甲第１６号証には，
インストルメントパネル１９の凹部の内周よりも内側に透孔２０が形成され，表示板の外方側面よりも内側に設けられた係止脚１３，１３が透孔２０に挿通されることにより，表示板１０がインストルメントパネル１９に係合されること
（１７）甲第１７号証
　甲第１７号証である本件特許の出願日前に頒布された実願平１−１３５０２０号（実開平３−７３４８０号）のマイクロフィルムには，図面と共に次の事項が記載されている。
（甲１７−ａ）「本考案は，
各種電子機器に採用されるパネル取付装置
（甲１７−ｂ）「以下，本考案の一実施例について図面を参照しながら説明する。
　第１図はその分解斜視図，第２図は断面図である。同図において１はパネル，
２はＬ型状取付爪
（甲１７−ｃ）第２図から，甲第１７号証には，
カバー４の凹部の内周よりも内側に開口３が形成され，パネル１の外方側面よりも内側に設けられたＬ型状取付爪２が開口３に挿通されることにより，パネル１がカバー４に係合されること
（１８）甲第１８号証
　甲第１８号証である本件特許の出願日前に頒布された特開平９−１２２４２１号公報には，図面と共に次の事項が記載されている。
（甲１８−ａ）「【００２３】上記構成により，工場での組立て作業を容易にすることができる。
（実施の形態３）図３は取付台に係止部を設けた空調用フィルターと空気用フィルターの被装着体である空気調和機を示し，図３において取付台１の両端の少なくとも片側の表面に，相互につめ形状の引掛け部２とＵ字状の弾性変形構造を有する係止部１１を，取付台１に一体成形し着脱手段を設けた空気用フィルター８を構成している。
【００２４】例えば，前記空気用フィルター８を空気調和機１２に使用する場合，前記引掛け部２と前記係止部１１は，空気調和機１２に設けられた空気用フィルター８の挿入口１３の両端に設けた角孔１４にそれぞれ差し込まれ，引掛け部２に設けたつめＡ１５と係止部１１に設けたつめＢ１６で角孔１４の先端部に引掛けることにより，空気調和機１２に空気用フィルターを装着できる。
【００２５】上記構成により，空気調和機１２への空気用フィルター８の装着を容易にし，空気用フィルター８を空気調和機１２よりはずす時も，係止部１１を角孔１４の手前方向１７に押すことで簡単に取りはずすことができる。」
（１９）甲第１９号証
　甲第１９号証である本件特許の出願日前に頒布された特開平１１−２７６６９３号公報には，図面と共に次の事項が記載されている。
（甲１９−ａ）「【００３０】次に実施例の上端側の
防犯装置Ｑについては，図４に示すように，遊技盤枠１の上枠１４の上端において突条３３を，飾り縁４の基材８の上縁２２にはそれが差し合う溝部３５を設けてある
カードや針金等を差し込む障害を造ってある
（２０）甲第２０号証
　甲第２０号証である本件特許の出願日前に頒布された特開平１０−５２５４６号公報には，図面と共に次の事項が記載されている。
（甲２０−ａ）「【００１８】図２２〜図２５は前記防護片１０の配置例を示すものである。図２２及び図２３に示す前面枠２においては，両パネル１６，１７の周面接合部の外側に裏面枠６の防護片１０が重合されている。なお，図２６は，防護片１０が図２２及び図２３の如く配置されたパチンコ機の概観を示すものであり，両パネル１６，１７の周縁には，段差が設けられている。また，図２４及び図２５に示す前面枠２においては，両パネル１６，１７の周面接合部に断面コ字形の凹部４２が形成され，この凹部４２に防護片１０が前面枠２の周面と重合するように挿入されている。このように，前面枠２の周面に防護片１０を重合させることで，機枠１と前面枠２との隙間を密閉して，針金等により不正行為を確実に防止することができる。」
（２１）甲第２１号証
　甲第２１号証である本件特許の出願日前に頒布された特開平６−１５４３８９号公報には，図面と共に次の事項が記載されている。
（甲２１−ａ）「【０００１】
【産業上の利用分野】この発明は，スロットマシンやパチンコ機等の遊技機用の基板収納ケースに関し，特にその放熱孔の改良に関する。」
（甲２１−ｂ）「【００２８】請求項２記載の発明によれば，放熱孔が，両分割部材のいずれか少なくとも一方の突き合わせ端面部に形成されていることから，屈曲した放熱孔を容易に形成することができ，これにより，両分割部材，ひいては基板収納ケース全体の製造を容易にすることができる。請求項３記載の発明によれば，
放熱孔がクランク状に屈曲させて形成されているので，ＩＣクリップ及び針金等の挿入を一層，困難にすることができ，これらの挿入による不正行為を一層，確実に防止することができる
【００２９】請求項４記載の発明によれば，放熱孔が内孔，中空部及び外孔から形成され，
この外孔と内孔との位置が相互にずれて形成されているので，ＩＣクリップ及び針金等の挿入をより一層，困難にすることができ，これらの挿入による不正行為をより一層，確実に防止することができる
（２２）甲第２２号証
　甲第２２号証である本件特許の出願日前に頒布された「白夜ムック９４　パチスロ必勝ガイド　パチスロ大図鑑２００１　回胴式遊技機歴史総覧」（第１２４〜１２５頁）には，前面からみたスロットマシンであるクランキーコンドルの筐体の写真及びリール配列を示す写真が掲載され，特に次の事項が記載されている。
（甲２２−ａ）「
ユニバーサル販売　クランキーコンドル
　
技術介入−。今でこそごく普通に使われるようになったこの言葉を，広く世のスロッターたちに知らしめた歴史的マシン
ユニバーサル販売（現・アルゼ）の「クランキーコンドル」である
　後の名声とは裏腹に，本気のデビューはさほど華々しいものではなかった。爆発的ヒット機種「ニューパルサー」の影響が色濃く残る
９５年夏
静かに世に現れた
（２３）甲第２３号証
　甲第２３号証である写真撮影報告書（１）は，平成２７年８月３日に，日本電動式遊技機特許株式会社，特許事業部，次長である田中正彦により作成されたものであり，平成２７年７月１０日，２８日に，当社内で撮影されたとされる２１枚の写真と共に，特に次の事項が記載されている。
（甲２３−ａ）「今般，当社は，ユニバーサル販売株式会社製のパチスロ機「クランキーコンドル」が，上記の「前記所定領域には環状に形成された前記枠体の外方側面が全周にわたり嵌合する凹部が形成され」，「環状に形成された前記枠体の外方側面が全周にわたり前記凹部に嵌合」の構成を備えていることを確認いたしました。」（第１頁第１７〜２１行）
（２４）甲第２４号証
　甲第２４号証である本件特許の出願日前に頒布された「パチスロ攻略マガジン　１９９７　２月号特大号」には，前面からみたスロットマシンであるフローズンナイツの筐体の写真及びリール配列を示す写真が掲載され，特に次の事項が記載されている。
（甲２４−ａ）「一気に設置店を伸ばしている
ユニバの新機種，フローズンナイツ
（２５）甲第２５号証
　甲第２５号証である写真撮影報告書（２）は，平成２７年８月３日に，日本電動式遊技機特許株式会社，特許事業部，次長である田中正彦により作成されたものであり，平成２７年７月２７日，２８日に，当社内で撮影されたとされる１８枚の写真と共に，特に次の事項が記載されている。
（甲２５−ａ）「今般，当社は，ユニバーサル販売株式会社製のパチスロ機「フローズンナイツ」が，上記の「前記所定領域には環状に形成された前記枠体の外方側面が全周にわたり嵌合する凹部が形成され」，「環状に形成された前記枠体の外方側面が全周にわたり前記凹部に嵌合」の構成を備えていることを確認いたしました。」（第１頁第１７〜２０行）
（２６）甲第２６号証
　甲第２６号証である本件特許の出願日前に頒布された「白夜ムック９４　パチスロ必勝ガイド　パチスロ大図鑑２００１　回胴式遊技機歴史総覧」（第１５頁）には，前面からみたスロットマシンであるマンハッタンの筐体の写真が掲載されている。
（２７）甲第２７号証
　甲第２７号証である「MANHATTAN　マンハッタン」には，スロットマシンであるマンハッタンの筐体からランプボードを取外す写真が掲載されている。
（２８）甲第２８号証
　甲第２８号証である写真撮影報告書（３）は，平成２７年８月３１日に，日本電動式遊技機特許株式会社，特許事業部，次長である田中正彦により作成されたものであり，平成２７年８月２７日に，当社内で撮影されたとされる１１枚の写真と共に，特に次の事項が記載されている。
（甲２８−ａ）「「クランキーコンドル」は，「凹部の内周よりも内側に挿通口が設けられ，枠体の外方側面よりも内側に設けられた係止片が挿通口に挿通されること」により，環状に形成された枠体の外方側面が全周にわたり凹部に嵌合した状態で，一体化した枠体及び表示パネルが前面扉に取り付けられる構成をも備えるものです。」（第１頁第１２〜１６行）
（甲２８−ｂ）「平成２７年８月３日付け
写真撮影報告書(1)及び本写真撮影報告書で撮影の対象としたパチスロ実機「クランキーコンドル」は，平成１１年７月７日に神尾商会から当社が購入したもの
（２９）甲第２９号証
　甲第２９号証である写真撮影報告書（４）は，平成２７年８月３１日に，日本電動式遊技機特許株式会社，特許事業部，次長である田中正彦により作成されたものであり，平成２７年８月２７日に，当社内で撮影されたとされる１１枚の写真と共に，特に次の事項が記載されている。
（甲２９−ａ）「「フローズンナイツ」は，「凹部の内周よりも内側に挿通口が設けられ，枠体の外方側面よりも内側に設けられた係止片が挿通口に挿通されること」により，環状に形成された枠体の外方側面が全周にわたり凹部に嵌合した状態で，一体化した枠体及び表示パネルが前面扉に取り付けられる構成をも備えるものです。」（第１頁第１２〜１６行）
（甲２９−ｂ）「平成２７年８月３日付け
写真撮影報告書(2)及び本写真撮影報告書で撮影の対象としたパチスロ実機「フローズンナイツ」は，平成１１年７月７日に神尾商会から当社が購入したもの
（３０）甲第３０号証
　甲第３０号証である「ＣＲＡＮＫＹ　ＣＯＮＤＯＲ」には，前面からみたスロットマシンであるクランキーコンドルの筐体の写真及びリール配列を示す写真が掲載されている。
（３１）甲第３１号証
　甲第３１号証である本件特許の出願日前に頒布された「パチスロ必勝ガイド　１９９５　ＯＣＴ」（第４〜５頁）には，
前面からみたスロットマシンであるクランキーコンドルの筐体の写真及びリール配列を示す写真
（３２）甲第３２号証
　甲第３２号証である本件特許の出願日前に頒布された「パチスロ必勝ガイド　１９９５　ＮＯＶ」（第４〜５頁）には，
右斜正面からみたスロットマシンであるクランキーコンドルの筐体の写真
（３３）甲第３３号証
　甲第３３号証である写真撮影報告書（５）は，平成２７年１１月１６日に，日本電動式遊技機特許株式会社，特許事業部，次長である田中正彦により作成されたものであり，平成２７年１１月１３日に，当社内で撮影されたとされる９枚の写真と共に，特に次の事項が記載されている。
（甲３３−ａ）「パチスロ実機「クランキーコンドル」（検甲第１号証）につき，これが，「クランキーコンドル」の実機であり，かつ，製造販売された状態から改変がなされていないことを，平成２７年１１月１３日に当社内で私が撮影した写真により，別紙のとおり報告いたします。」（第１頁第１０〜１３行）
（３４）甲第３４号証
　甲第３４号証である本件特許の出願日前に頒布された「パチスロ必勝ガイド　１９９７　ＦＥＢ」（第３５頁）には，
前面からみたスロットマシンであるフローズンナイツの筐体の写真
（３５）甲第３５号証
　甲第３５号証である本件特許の出願日前に頒布された「パチスロ必勝ガイド　１９９７　ＡＰＲ」（第３８〜３９頁）には，
前面からみたスロットマシンであるフローズンナイツの筐体の写真
（３６）甲第３６号証
　甲第３６号証である写真撮影報告書（６）は，平成２７年１１月１６日に，日本電動式遊技機特許株式会社，特許事業部，次長である田中正彦により作成されたものであり，平成２７年１１月１３日に，当社内で撮影されたとされる９枚の写真と共に，特に次の事項が記載されている。
（甲３６−ａ）「パチスロ実機「フローズンナイツ」（検甲第２号証）につき，これが，「フローズンナイツ」の実機であり，かつ，製造販売された状態から改変がなされていないことを，平成２７年１１月１３日に当社内で私が撮影した写真により，別紙のとおり報告いたします。」（第１頁第１０〜１３行）
（３７）甲第３７号証
　甲第３７号証である写真撮影報告書（７）は，平成２８年４月１４日に，日本電動式遊技機特許株式会社，特許事業部，次長である田中正彦により作成されたものであり，平成２８年４月８日に，当社内で撮影されたとされる１２枚の写真と共に，特に次の事項が記載されている。
（甲３７−ａ）「今般，当社は，ユニバーサル販売株式会社製のパチスロ機「クランキーコンドル」が，上記の第１の領域と第２の領域の当接，枠体の後端縁の上辺と凹部の底面周縁の上辺の左右方向全幅にわたっての当接の構成を備えていることを確認いたしました。」（第２頁第１〜４行）
（甲３７−ｂ）「１　本クランキーコンドル実機の筐体前面・筐体裏面に貼付されたラベル
　本クランキーコンドル実機は，検甲第１号証の物件と同一の実機です（製造番号０８９９６４，製造年月１９９６年８月）」（第３頁第１〜３行）
（甲３７−ｃ）「２　寸法測定の方針
　以下，本クランキーコンドル実機について，枠体の左辺の長さ（外寸）と凹部の左辺の長さ（内寸），枠体の右辺の長さ（外寸）と凹部の右辺の長さ（内寸），枠体の上辺の長さ（外寸）と凹部の上辺の長さ（内寸），枠体の下辺の長さ（外寸）と凹部の下辺の長さ（内寸），係止片の枝部の長さ（左右それぞれ）と挿通口の奥行（左右それぞれ）を測定しました。
　測定の結果，両者の寸法が，それぞれ同寸ないし１．５ｍｍ程度の寸法差であれば，枠体の凹部内に隙間なく嵌合し，第１の領域と第２の領域が当接し，枠体の後端縁の上辺と凹部の底面周縁の上辺が左右方向全幅にわたって当接する構成であることを確認することができます。」（第３頁下から第１０〜１行）
（甲３７−ｄ）「３（１）　枠体の左辺・右辺の長さ（外寸）の測定
　本クランキーコンドル実機の枠体の左辺・右辺（外寸）の長さを測定した結果，いずれも２２３．５ｍｍでした。」（第４頁第１〜３行）
（甲３７−ｅ）「３（２）　凹部の左辺・右辺の長さ（内寸）の測定
　本クランキーコンドル実機の凹部の左辺・右辺（内寸）の長さを測定した結果，いずれも２２３．５ｍｍでした。」（第５頁第１〜３行）
（甲３７−ｆ）「４（１）　枠体の上辺・下辺の長さ（外寸）の測定
　本クランキーコンドル実機の枠体の上辺・下辺（外寸）の長さを測定した結果，４４５ｍｍでした。」（第６頁第１〜３行）
（甲３７−ｇ）「４（２）　凹部の上辺・下辺の長さ（内寸）の測定
　本クランキーコンドル実機の凹部の上辺・下辺（内寸）の長さを測定した結果，４４５ｍｍでした。」（第７頁第１〜３行）
（甲３７−ｈ）「５（１）　係止片の枝部の長さの測定
　本クランキーコンドル実機の枠体の上辺に設けられた２個の係止片の枝部の長さを測定した結果，いずれも１２ｍｍでした。」（第８頁第１〜３行）
（甲３７−ｉ）「５（２）　挿通口の奥行の測定
　本クランキーコンドル実機の凹部の上辺に設けられた２個の挿通口の奥行を測定した結果，いずれも１２ｍｍでした。」（第８頁第４〜６行）
（甲３７−ｊ）「上記の測定結果により，本件クランキーコンドル実機が，枠体が凹部内に隙間なく嵌合し，第１の領域と第２の領域が当接し，枠体の後端縁の上辺と凹部の底面周縁の上辺が左右方向全幅にわたって当接する構成であることを確認しました。」（第９頁下から第５〜２行）
（３８）甲第３８号証
　甲第３８号証である写真撮影報告書（８）は，平成２８年４月１４日に，日本電動式遊技機特許株式会社，特許事業部，次長である田中正彦により作成されたものであり，平成２８年４月８日に，当社内で撮影されたとされる１５枚の写真と共に，特に次の事項が記載されている。
（甲３８−ａ）「今般，当社は，ユニバーサル販売株式会社製のパチスロ機「フローズンナイツ」が，上記の第１の領域と第２の領域の当接，枠体の後端縁の上辺と凹部の底面周縁の上辺の左右方向全幅にわたっての当接の構成を備えていることを確認いたしました。」（第２頁第１〜４行）
（甲３８−ｂ）「１　本フローズンナイツ実機の筐体前面・筐体裏面に貼付されたラベル
　本フローズンナイツ実機は，検甲第２号証の物件と同一の実機です（製造番号０２５２８０，製造年月１９９７年２月）」（第３頁第１〜３行）
（甲３８−ｃ）「２　寸法測定の方針
　以下，本フローズンナイツ実機について，枠体の左辺の長さ（外寸）と凹部の左辺の長さ（内寸），枠体の右辺の長さ（外寸）と凹部の右辺の長さ（内寸），枠体の上辺の長さ（外寸）と凹部の上辺の長さ（内寸），枠体の下辺の長さ（外寸）と凹部の下辺の長さ（内寸），係止片の枝部の長さ（左右それぞれ）と挿通口の奥行（左右それぞれ）を測定しました。
　測定の結果，両者の寸法が，それぞれ同寸ないし１．５ｍｍ程度の寸法差であれば，枠体の凹部内に隙間なく嵌合し，第１の領域と第２の領域が当接し，枠体の後端縁の上辺と凹部の底面周縁の上辺が左右方向全幅にわたって当接する構成であることを確認することができます。」（第３頁下から第１０〜１行）
（甲３８−ｄ）「３（１）　枠体の左辺・右辺の長さ（外寸）の測定
　本フローズンナイツ実機の枠体の左辺・右辺（外寸）の長さを測定した結果，いずれも２３３ｍｍでした。」（第４頁第１〜３行）
（甲３８−ｅ）「３（２）　凹部の左辺・右辺の長さ（内寸）の測定
　本フローズンナイツ実機の凹部の左辺・右辺（内寸）の長さを測定した結果，いずれも２３４．５ｍｍでした。」（第５頁第１〜３行）
（甲３８−ｆ）「４（１）　枠体の上辺・下辺の長さ（外寸）の測定
　本フローズンナイツ実機の枠体の上辺・下辺（外寸）の長さを測定した結果，４６５ｍｍでした。」（第６頁第１〜３行）
（甲３８−ｇ）「４（２）　凹部の上辺・下辺の長さ（内寸）の測定
　本フローズンナイツ実機の凹部の上辺・下辺（内寸）の長さを測定した結果，４６５ｍｍでした。」（第７頁第１〜３行）
（甲３８−ｈ）「５（１）　係止片の枝部の長さの測定
　本フローズンナイツ実機の枠体の上辺に設けられた２個の係止片の枝部の長さを測定した結果，いずれも１０ｍｍでした。」（第８頁第１〜３行）
（甲３８−ｉ）「５（２）　挿通口の奥行の測定
　本フローズンナイツ実機の凹部の上辺に設けられた２個の挿通口の奥行を測定した結果，いずれも１０ｍｍでした。」（第９頁第１〜３行）
（甲３８−ｊ）「上記の測定結果により，本件フローズンナイツ実機が，枠体が凹部内に隙間なく嵌合し，第１の領域と第２の領域が当接し，枠体の後端縁の上辺と凹部の底面周縁の上辺が左右方向全幅にわたって当接する構成であることを確認しました。」（第１０頁下から第５〜２行）
２　検甲号証（検証物）について
　請求人が提出した検証物である検甲第１〜２号証には，特に以下の点が平成２７年１１月１８日午後２時から特許庁審判廷で実施した検証により明らかとなり，検証調書に記載されている。
　また，前記第５の冒頭で言及したように，平成２８年４月１４日付け検証申出書による検甲第３〜４号証の検証は行っていないので，検甲第３〜４号証については，請求人が検証しようとした内容について言及する。
　そして，後記「３　無効理由について」においては，仮に検甲第３〜４号証から，検甲第１〜２号証（検甲第３〜４号証）が，本件特許発明１の構成１Ｈ（２）及び構成１Ｈ（３）である「（前記枠体の後端縁の上辺と前記第１の係止片との間の）第１の領域が（前記凹部の底面周縁の上辺と前記第１の挿通口の上辺との間の）第２の領域において当接」する構成，及び「前記枠体の後端縁の上辺と前記凹部の底面周縁の上辺が左右方向全幅にわたって当接」する構成を備えることが立証できたと仮定して判断する。
（１）検甲第１号証
（１−１）検甲第１号証は，「ＣＲＡＮＫＹ　ＣＯＮＤＯＲ」と記載された表示パネルを備えたパチスロ機である（写真検甲１（１））。
・写真検甲１（１）
（１−２）検甲第１号証は，裏面左上のシールの下方に「型式名　クランキーコンドル」，「製造番号０８９９６４」，「製造年月日１９９６．８」，「製造業者　ユニバーサル販売（株）」と記載されたシールが貼り付けられている（写真検甲１（２））。
・写真検甲１（２）
（１−３）検甲第１号証は，本体の前面に開閉可能な前面扉が設けられていて，前面扉を開くことにより本体の前面が開口する構成を備えている（写真検甲１（３）〜（４））。
・写真検甲１（３）
・写真検甲１（４）
（１−４）検甲第１号証は，表示パネルが枠体に一体的に組み付けられる構成である（写真検甲１（７））。
（１−５）検甲第１号証は，表示パネルを一体的に組み付けた枠体が，前面扉を開放して，前面扉の後面側から係止を解除することにより取り外される構成である（写真検甲１（５）〜（６））。
・写真検甲１（５）
・写真検甲１（６）
・写真検甲１（７）               　
（１−６）検甲第１号証は，枠体が矩形状で環状に形成されて備えられている（写真検甲１（８））。
・写真検甲１（８）
（１−７）検甲第１号証は，表示パネルが枠体に一体的に組み付けられた状態で係止される前面扉の一部の領域である所定領域に，深さ略２ミリの凹部が形成されている（写真検甲１（９））。
・写真検甲１（９）
（１−８）検甲第１号証は，凹部の内周よりも略０．５ミリだけ内側に挿通口が設けられている（写真検甲１（１０））。
・写真検甲１（１０）
（１−９）検甲第１号証は，係止片が枠体の外方側面よりも内側に設けられている（写真検甲１（１１）〜（１２））。
・写真検甲１（１１）
・写真検甲１（１２）
（１−１０）検甲第１号証は，表示パネルが，枠体に一体的に組み付けられた状態で，前面扉の前面側から前面扉の一部の領域である所定領域に，枠体を介して係止される構成である（写真検甲１（１３）〜（１４））。
・写真検甲１（１３）
・写真検甲１（１４）
（１−１１）検甲第１号証は，係止片が挿通口に挿通されることにより，環状に形成された枠体の外方側面が，全周にわたり凹部に嵌合した状態で，一体化した枠体及び表示パネルが前面扉に取り付けられている（写真検甲１（１５）〜（１７））。
・写真検甲１（１５）
・写真検甲１（１６）
・写真検甲１（１７）
（１−１２）検甲第１号証の筐体前面の形状ならびに上部パネル，リールパネル及び腰部パネルの図柄が，それぞれ，甲第２２，３１〜３２号証に掲載された「クランキーコンドル」の写真に示された筐体前面の形状，ならびに上部パネル，リールパネル及び腰部パネルの図柄と同一である（写真検甲１（１８）〜（２１））。
・写真検甲１（１８）
・写真検甲１（１９）
・写真検甲１（２０）
・写真検甲１（２１）
（１−１３）検甲第１号証のリールに，甲第２２，３１〜３２号証に掲載された「クランキーコンドル」のリール図に示された鳥（コンドル）のキャラクターと同一の図が描かれている（写真検甲１（２２））。
・写真検甲１（２２）
（１−１４）検甲第１号証のリールユニット取付ネジのネジ頭は潰れていない（写真検甲１（２３））。
・写真検甲１（２３）
（１−１５）検甲第１号証の主基板に２本の青色の封印シールが貼付されていて，うち広幅のシールが筐体と主基板とをシールしていて封印が切られた形跡がない（写真検甲１（２４））。
（１−１６）検甲第１号証の主基板に貼付された狭幅のシールが主基板ケースの蓋と本体とをシールしていて封印が切られた形跡がない（写真検甲１（２４））。
・写真検甲１（２４）
（１−１７）検甲第１号証の裏面のシールには，甲第２２，３１〜３２号証に掲載されたパチスロ機の型式名であるクランキーコンドルという名称，製造業者であるユニバーサル販売という名称が記載されている（写真検甲１（２））。
（２）　検甲第２号証
（２−１）検甲第２号証は，「ＦＲＯＺＥＮ　ＮＩＧＨＴＳ」と記載された表示パネルを備えたパチスロ機である（写真検甲２（１））。
・写真検甲２（１）
（２−２）検甲第２号証は，裏面左上に「型式名　フローズンナイツ」，「製造番号０２５２８０」，「製造年月日１９９７．２」，「製造業者　ユニバーサル販売（株）」と記載されたシールが貼り付けられている（写真検甲２（２））。
・写真検甲２（２）
（２−３）検甲第２号証は，本体の前面に開閉可能な前面扉が設けられていて，前面扉を開くことにより本体の前面が開口する構成を備えている（写真検甲２（３）〜（４））。
・写真検甲２（３）
・写真検甲２（４）
（２−４）検甲第２号証は，表示パネルが枠体に一体的に組み付けられる構成である（写真検甲２（７））。
（２−５）検甲第２号証は，表示パネルを一体的に組み付けた枠体が，前面扉を開放して，前面扉の後面側から係止を解除することにより取り外される構成である（写真検甲２（５）〜（６））。
・写真検甲２（５）
・写真検甲２（６）
・写真検甲２（７）
（２−６）検甲第２号証は，枠体が矩形状で環状に形成されて備えられている（写真検甲２（８））。
・写真検甲２（８）
（２−７）検甲第２号証は，表示パネルが枠体に一体的に組み付けられた状態で係止される前面扉の一部の領域である所定領域に，上辺深さ略２センチ，下辺，左辺，右辺深さ略２ミリの凹部が形成されている（写真検甲２（９）〜（１１））。
・写真検甲２（９）
・写真検甲２（１０）
・写真検甲２（１１）
（２−８）検甲第２号証は，凹部の内周よりも内側に挿通口が設けられている（写真検甲２（１２））。
・写真検甲２（１２）
（２−９）検甲第２号証は，係止片が枠体の外方側面よりも内側に設けられている（写真検甲２（１３）〜（１４））。
・写真検甲２（１３）
・写真検甲２（１４）
（２−１０）検甲第２号証は，表示パネルが，枠体に一体的に組み付けられた状態で，前面扉の前面側から前面扉の一部の領域である所定領域に，枠体を介して係止される構成である（写真検甲２（１５）〜（１６））。
・写真検甲２（１５）
・写真検甲２（１６）
（２−１１）検甲第２号証は，係止片が挿通口に挿通されることにより，環状に形成された枠体の外方側面が，全周にわたり凹部に嵌合した状態で，一体化した枠体及び表示パネルが前面扉に取り付けられている（写真検甲２（１７）〜（２０））。
・写真検甲２（１７）
・写真検甲２（１８）
・写真検甲２（１９）
・写真検甲２（２０）
（２−１２）検甲第２号証の筐体前面の形状ならびに上部パネル，リールパネル及び腰部パネルの図柄が，それぞれ，甲第２４号証，甲第３４〜３５号証に掲載された「フローズンナイツ」の写真に示された筐体前面の形状，ならびに上部パネル，リールパネル及び腰部パネルの図柄と同一である（写真検甲２（２１）〜（２４））。
・写真検甲２（２１）
・写真検甲２（２２）
・写真検甲２（２３）
・写真検甲２（２４）
（２−１３）検甲第２号証のリールに，甲第２４号証，甲第３４〜３５号証に掲載された「フローズンナイツ」のリール図に示された鳥（ペンギン）のキャラクターと同一の図が描かれている（写真検甲２（２５））。
・写真検甲２（２５）
（２−１４）検甲第２号証のリールユニット取付ネジのネジ頭は潰れていない（写真検甲２（２６））。
・写真検甲２（２６）
（２−１５）検甲第２号証の主基板に２本の青色の封印シールが貼付されていて，うち広幅のシールが筐体と主基板とをシールしていて封印が切られた形跡がない（写真検甲２（２７））。
（２−１６）検甲第２号証の主基板に貼付された狭幅のシールが主基板ケースの蓋と本体とをシールしていて封印が切られた形跡がない（写真検甲２（２７））。
・写真検甲２（２７）
（２−１７）検甲第２号証の，裏面のシールには，甲第２４号証，甲第３４〜３５号証に掲載されたパチスロ機の型式名であるフローズンナイツという名称，製造業者であるユニバーサル販売が記載されている（写真検甲２（２））。
　ここで，平成２７年１１月１８日における口頭審理において，前記（１−８），（２−８）について，被請求人は，凹部の内周よりも略０．５ミリだけ内側に挿通口が設けられているのは，バリによって偶然できたものである旨を主張したが，検甲第１号証及び検甲第２号証においても，挿通口がほぼ均一に凹部の内周よりも内側に設けられていたことが確認されており，これが偶然できたものとは認められない。
（３）検甲第１〜２号証の証拠としての適否
ア　請求人の主張
　請求人は，平成２７年１１月１８日付けの上申書において，検甲第１号証及び検甲第２号証は，それぞれ，１．筐体前面の形状及び各パネルの表示が，「クランキーコンドル」及び「フローズンナイツ」の筐体前面の形状及び各パネルの表示と同一であり，２．「クランキーコンドル」及び「フローズンナイツ」のリールユニットを具備していて，製造当初以後，リールユニットの交換がなされておらず，３．主基板が封印されたままの状態であり，４．型式名及び製造年月等を記した裏面シールの貼付替えがなされた跡がない。
　よって，検甲第１号証及び検甲第２号証がそれぞれ「クランキーコンドル」及び「フローズンナイツ」のパチスロ実機であること，これらの実機が製造販売された当初の状態から改変されていないことは明らかである旨を主張している（第８〜９頁（５−６））。
イ　被請求人の主張　
　被請求人は，平成２７年１１月４日付けの口頭審理陳述要領書（２）において，「請求人が検証申出書において主張する
「ケ　凹部の内周よりも内側に挿通口が設けられていること
　コ　係止片が枠体の外方側面よりも内側に設けられていること」，さらには「ウ」−「キ」の構成の検証は，立証趣旨と合致せず認められるものではない。
　仮に検甲第１号証，検甲第２号証を主引用例とするために検証を行うのであれば，請求人の主張は請求の理由の要旨変更に該当するものであり審理を不当に遅延させるものであって，被請求人は同意しない。」と主張している（第５頁イ（ア））。
　また，被請求人は，平成２７年１１月４日付けの口頭審理陳述要領書（２）において，理由丸１（１の丸囲み数字を「丸１」という。以下，同様。）〜丸５を挙げて，「検甲第１号証は改造できる環境にあり，さらに製造時における検甲第１号証の構造や構成を直接認定する根拠となる正規の製造者の保証書，図面等の証拠は一切提出されていないのであるから，検甲第１号証は本件特許出願前の構造，構成と同一であると認めることはできず，本件特許出願前の証拠としての証拠能力はない。
　同様に，検甲第２号証も本件特許出願前の証拠としての証拠能力はない。
さらに，検甲第２号証については，請求人が提出した元帳には「フローズンナイツ」との記載すらなく検甲第２号証の購入日は不明であるので，検甲第２号証は本件特許出願前の証拠としての証拠能力はない。」と主張している（第２〜７頁の第２（１）ア〜ウ）。
ウ　当審による検討
（ａ）検甲第１号証
　以下，検甲第１号証の検証結果である前記（１−１）〜（１−１７）に基づいて，検甲第１号証の証拠能力について検討する。
（ａ−１）検甲第１号証が「クランキーコンドル」であること   
　被請求人が主張するとおり，検甲第１号証については，「製造時における検甲第１号証の構造や構成を直接認定する根拠となる正規の製造者の保証書，図面等の証拠」は提出されていない。 
　しかしながら，検甲第１号証の外観や構造を認定する根拠として，本件特許の出願日前に頒布された甲第２２，３１〜３２号証が提出されており，検証結果である前記（１−１）において，検甲第１号証は，「ＣＲＡＮＫＹ　ＣＯＮＤＯＲ」と記載された表示パネルを備えたパチスロ機であることが示され，検証結果である前記（１−１２）において，検甲第１号証の筐体前面の形状ならびに上部パネル，リールパネル及び腰部パネルの図柄が，それぞれ，甲第２２，３１〜３２号証に掲載された「クランキーコンドル」の写真に示された筐体前面の形状，ならびに上部パネル，リールパネル及び腰部パネルの図柄と同一であることが示され，前記（１−１３）において，検甲第１号証のリールに，甲第２２，３１〜３２号証に掲載された「クランキーコンドル」のリール図に示された鳥（コンドル）のキャラクターと同一の図が描かれていることが示され，前記（１−１４）において，検甲第１号証のリールユニット取付ネジのネジ頭は潰れていないことが示され，当該リールが他のリールに交換された可能性が低いことから，検甲第１号証は，甲第２２，３１〜３２号証に掲載された「クランキーコンドル」と同一機種であると推認できる。
　加えて，検証結果である前記（１−２）において，検甲第１号証は，裏面左上のシールの下方に「型式名　クランキーコンドル」，「製造番号０８９９６４」，「製造年月日１９９６．８」，「製造業者　ユニバーサル販売（株）」と記載されたシールが貼り付けられていることが示され，前記（１−１７）において，検甲第１号証の裏面のシールには，甲第２２，３１〜３２号証に掲載されたパチスロ機の型式名であるクランキーコンドルという名称，製造業者であるユニバーサル販売という名称が記載されていることが示されていることからも，検甲第１号証は，本件特許の出願日前に頒布された甲第２２，３１〜３２号証に記載された１９９５年の夏から販売された「クランキーコンドル」と同一機種であって，その機種の中でも１９９６年８月に製造されたものと推認できる。
（ａ−２）検甲第１号証の改造可能性  
　他方で，１の（甲２８−ｂ）における請求人従業員の報告によると，被請求人が主張するとおり，検甲第１号証は，請求人が神尾商会から購入したものであって，「正規の製造者（ユニバーサル販売株式会社）から購入したものではなく他者から購入したものであるので，装置全体が製造時の状態で封印されたものではなく外観はそのままでも内部構造は取り替えが可能」であり，「改造できる環境にあ」るから，「検甲第１号証の構造，構成が製造時の同一性を完全に保持しているか不明」であり，「経年変化による部品の劣化や部品等が交換された可能性」も否定できない。
　確かに，中古市場にあるパチスロ機は改造され得る環境にありかつ改造されることがあるが，被請求人が提出した乙各号証に見られるように，改造の目的・内容は，購入者がストレス無く遊べるように，ウェイトをカットしたり，主基板におけるプログラムを変更して設定を甘く変更したり，コインを不要としたり（乙第１号証），ホール仕様からアミューズメント仕様へ変更するために，１００円硬貨用のコインシューターを取り付けたり，カプセルやカード等を出力可能としたり（乙第２号証），ドアキーや設定キーを変更したり（乙第３号証）するものであることが一般的である。
　しかし，検証の対象となった，検甲第１号証の前面扉，パネル，枠体，挿通口，係止片及びリールは，これらの改造の目的・内容とは無関係のものであり，仮に，他の内部構造が取り替えられていたとしても，改造目的とは無関係なこれらの構成を改造する動機は見当たらない。
　また，甲第２２号証に記載されているように，クランキーコンドルというスロットマシンは，広く世の利用者たちに知られている人気の機種であり，これを中古市場で流通させて利用者に提供する際に，敢えて改造を行って異なるスロットマシンとすることは不自然である。
　さらに，検甲第１号証については，検証結果である前記（１−１５）において，検甲第１号証の主基板に２本の青色の封印シールが貼付されていて，うち広幅のシールが筐体と主基板とをシールしていて封印が切られた形跡がないことが示され，前記（１−１６）において，検甲第１号証の主基板に貼付された狭幅のシールが主基板ケースの蓋と本体とをシールしていて封印が切られた形跡がないことが示されており，改造の対象となり易い主基板ですら取り替えられていないものと推察されるから，その他の構成である筐体本体の前面扉，パネル，枠体，挿通口，係止片及びリールが，改造されておらず製造時のものと同じ構造であると考えられる。また，仮に，たとえばネジ止めされている係止片について，経年変化による部品の劣化や部品等が交換された可能性があるとしても，交換された係止片も挿入口との関係で係止する機能を果たす必要があり，挿入口はネジ止めされた係止片のように容易に交換されるものではないから，交換前の係止片と同様の形状を有するものと推察され，検甲第１号証の係止片は製造時のものと同じ構造であると考えるのが自然である。
　以上のことから，検甲第１号証は，１９９５年の夏から販売された「クランキーコンドル」と同一機種であって，その機種の中でも１９９６年８月に製造されたものであり，少なくとも，前面扉，パネル，枠体，挿通口，係止片及びリールに改造がなされていないものと推認でき，その証拠能力を否定することはできない。
（ｂ）検甲第２号証
　以下，検甲第２号証の検証結果である前記（２−１）〜（２−１７）に基づいて，検甲第２号証の証拠能力について検討する。
（ｂ−１）検甲第２号証が「フローズンナイツ」であること
　検甲第２号証の外観や構造を認定する根拠として，本件特許の出願日前に頒布された甲第２４，３４〜３５号証が提出されており，検証結果である前記（２−１）において，検甲第２号証は，「ＦＲＯＺＥＮ　ＮＩＧＨＴＳ」と記載された表示パネルを備えたパチスロ機であることが示され，前記（２−１２）において，検甲第２号証の筐体前面の形状ならびに上部パネル，リールパネル及び腰部パネルの図柄が，それぞれ，甲第２４，３４〜３５号証に掲載された「フローズンナイツ」の写真に示された筐体前面の形状，ならびに上部パネル，リールパネル及び腰部パネルの図柄と同一であることが示され，前記（２−１３）において，検甲第２号証のリールに，甲第２４，３４〜３５号証に掲載された「フローズンナイツ」のリール図に示された鳥（ペンギン）のキャラクターと同一の図が描かれていることが示され，前記（２−１４）において，検甲第２号証のリールユニット取付ネジのネジ頭は潰れていないことが示され，当該リールが他のリールに交換された可能性が低いことから，検甲第２号証は，甲第２４，３４〜３５号証に掲載された「フローズンナイツ」と同一機種であると推認できる。
　加えて，検証結果である前記（２−２）において，検甲第２号証は，裏面左上に「型式名　フローズンナイツ」，「製造番号０２５２８０」，「製造年月日１９９７．２」，「製造業者　ユニバーサル販売（株）」と記載されたシールが貼り付けられていることが示され，前記（２−１７）において，検甲第２号証の，裏面のシールには，甲第２４，３４〜３５号証に掲載されたパチスロ機の型式名であるフローズンナイツという名称，製造業者であるユニバーサル販売が記載されていることが示されていることからも，検甲第２号証は，本件特許の出願日前に頒布された甲第２４，３４〜３５号証に記載された１９９７年から販売された「フローズンナイツ」と同一機種であって，その機種の中でも１９９７年２月に製造されたものと推認できる。
（ｂ−２）検甲第２号証の改造可能性
　他方で，検甲第２号証については，検証結果である前記（２−１５）において，検甲第２号証の主基板に２本の青色の封印シールが貼付されていて，うち広幅のシールが筐体と主基板とをシールしていて封印が切られた形跡がないことが示され，前記（２−１６）において，検甲第２号証の主基板に貼付された狭幅のシールが主基板ケースの蓋と本体とをシールしていて封印が切られた形跡がないことが示されており，改造の対象となり易い主基板ですら取り替えられていないものと推察されるから，その他の構成である筐体本体の前面扉，パネル，枠体，挿通口，係止片及びリールが，改造されておらず製造時のものと同じ構造であると考えられる。その他の点についても，検甲第１号証について前記（ａ−２）で検討したことが，検甲第２号証にも同様にいえる。
　以上のことから，検甲第２号証は，１９９７年から販売された「フローズンナイツ」と同一機種であって，その機種の中でも１９９７年２月に製造されたものであり，少なくとも，前面扉，パネル，枠体，挿通口，係止片及びリールに改造がなされていないものと推認でき，その証拠能力を否定することはできない。
（４）検甲第３号証
　前記第５の冒頭で言及したように，検甲第３号証の検証は行っていないが，検甲第３号証の検証は，前記１「（３７）甲第３７号証」の前記（甲３７−ｄ）〜（甲３７−ｉ）に記載された「枠体の左辺・右辺・上辺・下辺の長さ（外寸）」，「凹部の左辺・右辺・上辺・下辺の長さ（内寸）」，「係止片の枝部の長さ（右左）」，「挿入口の奥行（右左）」等を検証するものである。
　前記（甲３７−ｃ）に「測定の結果，両者の寸法が，それぞれ同寸ないし１．５ｍｍ程度の寸法差であれば，枠体の凹部内に隙間なく嵌合し，第１の領域と第２の領域が当接し，枠体の後端縁の上辺と凹部の底面周縁の上辺が左右方向全幅にわたって当接する構造であることが確認することができます。」と記載されているから，請求人はこの検証により，検甲第１号証（検甲第３号証）が，本件特許発明１の構成１Ｈ（２）及び構成１Ｈ（３）であり，前記（甲３７−ｊ）に記載された「（前記枠体の後端縁の上辺と前記第１の係止片との間の）第１の領域が（前記凹部の底面周縁の上辺と前記第１の挿通口の上辺との間の）第２の領域において当接」する構成，及び「前記枠体の後端縁の上辺と前記凹部の底面周縁の上辺が左右方向全幅にわたって当接」する構成を備えることを立証しようとするものである。
　後記「３　無効理由について」においては，仮に検甲第３号証から，検甲第１号証（検甲第３号証）が，本件特許発明１の構成１Ｈ（２）及び構成１Ｈ（３）である「（前記枠体の後端縁の上辺と前記第１の係止片との間の）第１の領域が（前記凹部の底面周縁の上辺と前記第１の挿通口の上辺との間の）第２の領域において当接」する構成，及び「前記枠体の後端縁の上辺と前記凹部の底面周縁の上辺が左右方向全幅にわたって当接」する構成を備えることが立証できたと仮定して判断を行う。
（５）検甲第４号証
　前記第５の冒頭で言及したように，検甲第４号証の検証は行っていないが，検甲第４号証の検証は，前記１「（３８）甲第３８号証」の前記（甲３８−ｄ）〜（甲３８−ｉ）に記載された「枠体の左辺・右辺・上辺・下辺の長さ（外寸）」，「凹部の左辺・右辺・上辺・下辺の長さ（内寸）」，「係止片の枝部の長さ（右左）」，「挿入口の奥行（右左）」等を検証するものである。
　前記（甲３８−ｃ）に「測定の結果，両者の寸法が，それぞれ同寸ないし１．５ｍｍ程度の寸法差であれば，枠体の凹部内に隙間なく嵌合し，第１の領域と第２の領域が当接し，枠体の後端縁の上辺と凹部の底面周縁の上辺が左右方向全幅にわたって当接する構造であることが確認することができます。」と記載されているから，請求人はこの検証により，検甲第２号証（検甲第４号証）が，本件特許発明１の構成１Ｈ（２）及び構成１Ｈ（３）であり，前記（甲３８−ｊ）に記載された「（前記枠体の後端縁の上辺と前記第１の係止片との間の）第１の領域が（前記凹部の底面周縁の上辺と前記第１の挿通口の上辺との間の）第２の領域において当接」する構成，及び「前記枠体の後端縁の上辺と前記凹部の底面周縁の上辺が左右方向全幅にわたって当接」する構成を備えることを立証しようとするものである。
　後記「３　無効理由について」においては，仮に検甲第４号証から，検甲第２号証（検甲第４号証）が，本件特許発明１の構成１Ｈ（２）及び構成１Ｈ（３）である「（前記枠体の後端縁の上辺と前記第１の係止片との間の）第１の領域が（前記凹部の底面周縁の上辺と前記第１の挿通口の上辺との間の）第２の領域において当接」する構成，及び「前記枠体の後端縁の上辺と前記凹部の底面周縁の上辺が左右方向全幅にわたって当接」する構成を備えることが立証できたと仮定して判断を行う。
３　無効理由について
３−１　本件特許発明１
（１）対比
　本件特許発明１と甲１発明とを対比する。
ア　甲１発明の「賭数が設定された場合にはゲームが開始可能とな」ることは，本件特許発明１の「１ゲームに対して賭数を設定することによりゲームが開始可能となる」ことに相当する。
イ　甲１発明の「複数の図柄が描かれており」，「回転に伴って透視窓９００に現れる図柄の種類が次々と変動し，複数種類の図柄が可変表示され」る「各リール２００ａ，２００ｂ，２００ｃ」は，本件特許発明１の「可変表示装置」に相当する。そして，甲１発明の「すべてのリールが停止した時点で，透視窓９００から視認される各リール２００ａ，２００ｂ，２００ｃの上段，中段，下段の３段の図柄」は，本件特許発明１の「可変表示装置の表示結果」に相当する。
　そうすると，甲１発明の「遊技者がストップボタン５３３，５３４，５３５のうち，いずれかを押圧操作すれば，操作されたストップボタンに対応するリールの回転が停止し，すべてのリールが停止」することは，本件特許発明１の「表示状態を変化させることが可能な可変表示装置の表示結果が導出表示されること」に相当し，甲１発明の「すべてのリールが停止した時点で，透視窓９００から視認される各リール２００ａ，２００ｂ，２００ｃの上段，中段，下段の３段の図柄のうち，賭数に応じて定められる有効なライン上に位置する図柄の組合わせによって入賞の有無が決定される」ことは，本件特許発明１の「前記可変表示装置の表示結果に応じて所定の入賞が発生可能」であることに相当する。
　また，甲１発明において，「すべてのリールが停止した時点で，透視窓９００から視認される各リール２００ａ，２００ｂ，２００ｃの上段，中段，下段の３段の図柄のうち，賭数に応じて定められる有効なライン上に位置する図柄の組合わせによって入賞の有無が決定される」ことで，スロットマシンの１ゲームが終了することは，当業者にとって自明な事項である。
　
ウ　甲１発明の「リールユニット１５（可変表示装置ともいう）等が収容される収容箱３」は，前面に開閉自在の前面扉があることから，本件特許発明１の「前面が開口する本体」に相当する。
エ　甲１発明の「収容箱３の前面に開閉自在に設けられる前面扉２」は，本件特許発明１の「前記本体の前面開口を開閉可能に設けられる前面扉」に相当する。
オ　甲１発明の「パネル５９３」は，「タイトルパネル１１」に止着されるものであり，その名称からスロットマシン１の機種名等のタイトルが表示されるパネルであることは明らかであるから，本件特許発明１の「装飾が施された化粧部材」に相当する。
カ　甲１発明は「パネル５９３は，外方形状が上辺，該上辺を切り欠いた左右傾斜辺，左右辺及び下辺からなる六角形に形成され」ているから，本件特許発明１と「前記化粧部材」「は，外方形状が上辺，該上辺を切り欠いた左右傾斜辺，左右辺及び下辺からなる六角形に形成され」ている点で共通する。
キ　甲１発明の「タイトルパネル枠５９０」は，本件特許発明１の「枠体」に相当するから，前記オより，甲１発明の「パネル５９３の上辺の中央部，左右傾斜辺，及び下辺の中央部と両端部には，取付片５９４が突設形成され，タイトルパネル枠５９０の裏面に形成される取付部に取付片５９４を一致せしめてネジ５９５を螺着することにより，パネル５９３をタイトルパネル枠５９１に固定することで，タイトルパネル１１を構成し」た状態は，ネジ５９５がタイトルパネル枠５９０の後面の雌ネジ部に螺入していることが明らかであるから，本件特許発明１と「化粧部材」「に形成されたネジ挿通孔にネジを挿通し，前記枠体の後面に形成された雌ネジ部に螺入することにより一体的に組み付けられた状態」に相当する構成を有する点で共通する。
　また，甲１発明の「前面扉２は，前面枠９と，タイトルパネル１１とから構成されて」いるので，甲１発明の「タイトルパネル１１によって前面扉の前面を被覆される領域」及び「タイトルパネル枠５９０から後ろ向きで外向きに突設する係止爪５９１を挿入するタイトルパネル係止爪挿入穴３９０が４つ形成され，タイトルパネル枠５９０は，その四隅に係止爪５９１が後方に向かって突設されており，タイトルパネル１１は，係止爪５９１をタイトルパネル係止爪挿入穴３９０に前方から挿入することにより前面枠９に着脱自在に装着し得る」ことは，本件特許発明１の「前記前面扉の前面側から該前面扉の一部の領域である所定領域」及び「前記枠体を介して係止され」ることに相当する。
　そして，甲１発明において，「タイトルパネル１１は，係止爪５９１をタイトルパネル係止爪挿入穴３９０に前方から挿入することにより前面枠９に着脱自在に装着し得る」から，前面扉２の後面側から係止爪５９１を解除可能なものであることは自明である。
　以上のことから，甲１発明の「パネル５９３の上辺の中央部，左右傾斜辺，及び下辺の中央部と両端部には，取付片５９４が突設形成され，タイトルパネル枠５９０の裏面に形成される取付部に取付片５９４を一致せしめてネジ５９５を螺着することにより，パネル５９３をタイトルパネル枠５９１に固定することで，タイトルパネル１１を構成し，前面扉２は，前面枠９と，タイトルパネル１１とから構成されており，」「係止爪５９１がタイトルパネル枠５９０から後ろ向きで外向きに突設すると共に，タイトルパネル枠５９０の左右傾斜辺の上辺寄りに１個ずつ，下辺の両端寄りに２個設けられ，タイトルパネル１１によって前面扉の前面を被覆される領域には，蛍光灯３５５から発する熱を放熱する放熱穴３９１や蛍光灯３５５の配線を後方に引き出すための配線通し穴３９２が形成されると共に，タイトルパネル枠５９０から後ろ向きで外向きに突設する係止爪５９１を挿入するタイトルパネル係止爪挿入穴３９０が４つ形成され，タイトルパネル１１は，係止爪５９１をタイトルパネル係止爪挿入穴３９０に前方から挿入することにより前面枠９に着脱自在に装着し得る」ことは，本件特許発明１と「化粧部材」「に形成されたネジ挿通孔にネジを挿通し，前記枠体の後面に形成された雌ネジ部に螺入することにより一体的に組み付けられた状態で前記前面扉の前面側から該前面扉の一部の領域である所定領域に前記枠体を介して係止され，前記前面扉を開放して前記前面扉の後面側から前記係止を解除することにより取り外され」ることに相当する構成を有する点で共通する。
　
ク　甲１発明は「タイトルパネル枠５９０の外方形状が上辺，該上辺を切り欠いた左右傾斜辺，左右辺及び下辺からなる六角形の環状に形成されており，係止爪５９１がタイトルパネル枠５９０から後ろ向きで外向きに突設すると共に，タイトルパネル枠５９０の左右傾斜辺の上辺寄りに１個ずつ，下辺の両端寄りに２個設けられて」おり，係止爪５９１の取付部に係止片を有することは明らかであるが，係止爪５９１が突設している場所がタイトルパネル枠５９０の後端でなく，係止爪５９１が設けられている辺や数も異なるから，本件特許発明１と「前記枠体の外方形状が上辺，該上辺を切り欠いた左右傾斜辺，左右辺及び下辺からなる六角形の環状に形成されており，先端に」「係止爪を有する」「係止片が前記枠体」に「設けられ」，「係止爪はそれぞれ外向きに形成され」に相当する構成を有する点で共通する。
ケ　甲１発明の「タイトルパネル１１によって前面扉の前面を被覆される領域」に形成された４つの「タイトルパネル枠５９０から後ろ向きで外向きに突設する係止爪５９１を挿入するタイトルパネル係止爪挿入穴３９０」は，本件特許発明１と「前記所定領域」に設けられた「挿通口」に相当する構成を有する点で共通する。
コ　甲１発明の「パネル５９３」は，「タイトルパネル１１」に止着されるものであるから，本件特許発明１と「前記係止片が前記挿通口に挿通されたときには前記係止爪が前記前面扉の裏面に外向きに係止されることにより，前記化粧部材は前記前面扉に取り付けられ」に相当する構成を有する点で共通する。
　上記ア〜コから，本件特許発明１と甲１発明とは，
［一致点］
「１Ａ　１ゲームに対して賭数を設定することによりゲームが開始可能となるとともに，表示状態を変化させることが可能な可変表示装置の表示結果が導出表示されることにより１ゲームが終了し，前記可変表示装置の表示結果に応じて所定の入賞が発生可能なスロットマシンにおいて，
１Ｂ　前面が開口する本体と，
１Ｃ　前記本体の前面開口を開閉可能に設けられる前面扉と，
１Ｅ’　装飾が施された化粧部材と，を備え，
１Ｇ’　前記化粧部材は，外方形状が上辺，該上辺を切り欠いた左右傾斜辺，左右辺及び下辺からなる六角形に形成され，前記化粧部材に形成されたネジ挿通孔にネジを挿通し，前記枠体の後面に形成された雌ネジ部に螺入することにより一体的に組み付けられた状態で前記前面扉の前面側から該前面扉の一部の領域である所定領域に前記枠体を介して係止され，前記前面扉を開放して前記前面扉の後面側から前記係止を解除することにより取り外され，
１Ｈ（１）’　前記枠体の外方形状が上辺，該上辺を切り欠いた左右傾斜辺，左右辺及び下辺からなる六角形の環状に形成されており，先端に係止爪を有する係止片が前記枠体に設けられ，前記係止爪はそれぞれ外向きに形成され，前記所定領域には挿通口が設けられ，
１Ｈ（２）’　前記係止片が前記挿通口に挿通されたときには係止爪が前記前面扉の裏面に外向きに係止されることにより，前記化粧部材は前面扉に取り付けられる，スロットマシン。」
である点で一致し，以下の点で相違している。
［相違点１］
　本件特許発明１では，「全体が透光性領域で構成されたカバー部材と」（１Ｄ），「化粧部材の後面側に配置され，該化粧部材の後面を被覆する前記カバー部材と同材質の全体が透光性領域で構成された後部カバー部材」（１Ｆ）とを備え，「化粧部材」が「前記カバー部材の後面側に配置され，前記透光性領域に対応する箇所に装飾が施され」（１Ｅ）ているのに対し，
　甲１発明では，そのような構成でない点。
［相違点２］
　本件特許発明１では，「前記化粧部材，前記カバー部材及び前記後部カバー部材は，外方形状が上辺，該上辺を切り欠いた左右傾斜辺，左右辺及び下辺からなる六角形に形成され，該化粧部材が前記カバー部材及び前記後部カバー部材により挟持され互いに枠体の後面側に前記カバー部材を突き合わせた後，前記後部カバー部材の後側から前記上辺の両端部及び前記下辺の両端部に形成されたネジ挿通孔にネジを挿通し，前記枠体の後面に形成された雌ネジ部に螺入することにより一体的に組み付けられた状態で前記前面扉の前面側から該前面扉の一部の領域である所定領域に前記枠体を介して係止され，前記前面扉を開放して前記前面扉の後面側から前記係止を解除することにより取り外され」る（１Ｇ）のに対し，
　甲１発明では，そのような構成でない点。
［相違点３］
　本件特許発明１では，「前記枠体の外方形状が上辺，該上辺を切り欠いた左右傾斜辺，左右辺及び下辺からなる六角形の環状に形成されており，先端に第１の係止爪を有する第１の係止片が前記枠体の後端より後ろ向きに突設し前記枠体の上辺よりも内側に前記枠体の上辺に沿って前記枠体の上辺の両端寄りに２個設けられ，先端に第２の係止爪を有する第２の係止片が前記枠体の後端より後ろ向きに突設し前記枠体の下辺よりも内側に前記枠体の下辺に沿って前記枠体の下辺の両端寄りに２個設けられ，先端に第３の係止爪を有する第３の係止片が前記枠体の左辺に沿って前記枠体の左辺の略中央に１個設けられ，先端に第４の係止爪を有する第４の係止片が前記枠体の右辺に沿って前記枠体の右辺の略中央に１個設けられ，前記枠体の前記左右傾斜辺には係止片は設けられておらず，前記第１の係止爪と前記第２の係止爪はそれぞれ外向きに形成され，
　前記所定領域には，内周形状が上辺，該上辺を切り欠いた左右傾斜辺片，左右辺及び下辺からなる六角形であり，前記枠体の外方側面が全周にわたり嵌合する凹部が形成され，前記凹部の内周よりも内側に第１の挿通口が前記凹部の上辺に沿って前記凹部の上辺の両端寄りに２個設けられ，前記凹部の内周よりも内側に第２の挿通口が前記凹部の下辺に沿って前記凹部の下辺の両端寄りに２個設けられ，前記凹部に第３の挿通口が前記凹部の左辺に沿って前記凹部の左辺の略中央に１個設けられ，前記凹部に第４の挿通口が前記凹部の右辺に沿って前記凹部の右辺の略中央に１個設けられ，前記凹部の前記左右傾斜辺には挿通口が設けられて」いない（１Ｈ（１））のに対し，
　甲１発明では，そのような構成でない点。
［相違点４］
　本件特許発明１では，「前記第１の係止片が前記第１の挿通口に挿通されたときには前記第１の係止爪が前記前面扉の裏面に外向きに係止され，前記第２の係止片が前記第２の挿通口に挿通されたときには前記第２の係止爪が前記前面扉の裏面に外向きに係止され，前記第３の係止片は前記第３の挿通口に挿通され前記第３の係止爪が前記前面扉の裏面に係止され，前記第４の係止片は前記第４の挿通口に挿通され前記第４の係止爪が前記前面扉の裏面に係止されることにより，前記枠体の外方側面が全周にわたり前記凹部に嵌合し前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する状態で，一体化した前記枠体，前記化粧部材，前記カバー部材及び前記後部カバー部材は前記前面扉に取り付けられ」（１Ｈ（２）），
「一体化した前記枠体，前記化粧部材，前記カバー部材及び前記後部カバー部材が前記前面扉に取り付けられた状態では，前記枠体の後端縁の上辺と前記第１の係止片との間の第１の領域が前記凹部の底面周縁の上辺と前記第１の挿通口の上辺との間の第２の領域において当接し，前記枠体の後端縁の下辺と前記第２の係止片との間の第３の領域が前記凹部の底面周縁の下辺と前記第２の挿通口の下辺との間の第４の領域において当接するとともに，前記枠体の後端縁の上辺と前記凹部の底面周縁の上辺が左右方向全幅にわたって当接し，前記枠体の後端縁の下辺と前記凹部の底面周縁の下辺が左右方向全幅にわたって当接する」（１Ｈ（３））のに対し，
　甲１発明では，そのような構成でない点。
（２）判断
　事案の内容に鑑み，まず相違点３から判断する。
（２−１）相違点３について
ア 請求人の主張
　請求人は，平成２８年４月１４日付け弁駁書（２）において，甲１発明は，枠体の厚みが箇所によって異なっているが，少なくとも，係止片が取り付けられている箇所において，係止片が枠体の後端より後ろ向きに突設しており，この点は相違点になるものではなく，また仮に，枠体の厚みが最大の箇所を基準として，係止片が枠体の後端より後ろ向きに突設するものでなく，相違点となるとしても，少なくとも，係止片が取り付けられている箇所において，係止片が枠体の後端より後ろ向きに突設して，凹部に設けられた挿通口に挿通され係止片が前面扉の裏面に係止する構成である旨主張すると共に（第１４〜１５頁（イ）），係止片及び挿通口の位置及び数は，枠体及び凹部の形状，針金等の異物を挿入する不正を防止するというスロットマシン等の技術分野における周知な課題から，当業者が適宜定めるものでしかなく，本件特許発明１の相違点３に係る構成は，甲１発明に周知技術を採用するとともに，設計的事項を適宜選択して定めることにより，当業者が容易に想到し得たものでしかない旨主張している（第２３〜２４頁（ウ））。
イ 被請求人の主張
　被請求人は，平成２８年３月４日付け審判事件答弁書（２）において，検甲第１，２号証の係止片は，本件特許発明１の如く「枠体の後端より後ろ向きに突設し」なる構成を有するものではなく（「写真検甲１（７）」，「写真検甲２（７）」参照），枠体の左辺，右辺には係止片，挿通口を備えていないので，検甲第１，２号証は本件特許発明１の［相違点３］を備えていない。甲１発明に仮に審決の予告において「周知技術１」とする検甲第１号証，検甲第２号証の構成を適用することができたとしても，本件特許発明１の構成には到達し得ない旨主張している（第１５〜１７頁（ａ））。
ウ 当審の判断
　甲第１号証の【図３３】，【図４８】から明らかなように，甲１発明のタイトルパネル枠５９０（枠体）の係止片に相当する部分の取付部，及びタイトルパネル枠５９０（枠体）の後端は，内外方向の厚みが十分でないから，甲１発明の係止片に相当する部分の取付部を，タイトルパネル枠５９０（枠体）の後端で，タイトルパネル枠５９０（枠体）の上辺又は下辺よりも内側に設けることはできない。
　このことから，甲１発明のタイトルパネル枠５９０（枠体）の後端の係止片に相当する部分の取付構成を，「先端に第１の係止爪を有する第１の係止片が前記枠体の後端より後ろ向きに突設し前記枠体の上辺よりも内側に前記枠体の上辺に沿って前記枠体の上辺の両端寄りに２個設けられ，先端に第２の係止爪を有する第２の係止片が前記枠体の後端より後ろ向きに突設し前記枠体の下辺よりも内側に前記枠体の下辺に沿って前記枠体の下辺の両端寄りに２個設けられ，」「前記第１の係止爪と前記第２の係止爪はそれぞれ外向きに形成され」る構成（以下，「構成１Ｈ（１−１）」という。）にすることはできない。
　検甲第１号証については，前記２（１）の検証結果である前記（１−６）において，枠体が矩形状で環状に形成されていることが示され，前記（１−７）において，表示パネルが枠体に一体的に組み付けられた状態で係止される前面扉の一部の領域である所定領域に，深さ略２ミリの凹部が形成されていることが示され，前記（１−８）において，凹部の内周よりも略０．５ミリだけ内側に挿通口が設けられていることが示され，前記（１−９）において，係止片が枠体の外方側面よりも内側に設けられていることが示され，前記（１−１１）において，係止片が挿通口に挿通されることにより，環状に形成された枠体の外方側面が，全周にわたり凹部に嵌合した状態で，一体化した枠体及び表示パネルが前面扉に取り付けられていることが示されている。 
　しかしながら，前記２（１）（１−７）の「写真検甲１（７）」，（１−９）の「写真検甲１（１１）」から，係止片が枠体の後端より前側かつ内側の部分（後端でない部分）から後方に突設する構成であることが明らかであるので，検甲第１号証は「係止片が前記枠体の後端より後ろ向きに突設し」た構成を備えるものではない。
　また，前記「写真検甲１（７）」及び「写真検甲１（１１）」から明らかなように，検甲第１号証の枠体の後端は内外方向の厚みが十分でなく，係止片の取付部を枠体の後端で枠体の上辺又は下辺よりも内側に設けることはできないから，上記構成１Ｈ（１−１）にすることはできない。
　前記「第５　当審の判断」の冒頭において言及したように，検甲第３号証の検証は行わなかったが，検甲第３号証は検甲第１号証と同一の物件であるから，検甲第１号証と同様に，「係止片が前記枠体の後端より後ろ向きに突設し」た構成を備えるものではなく，上記構成１Ｈ（１−１）にすることもできない。
　
　検甲第２号証については，前記２（２）の検証結果である前記（２−６）において，枠体が矩形状で環状に形成されていることが示され，前記（２−７）において，表示パネルが枠体に一体的に組み付けられた状態で係止される前面扉の一部の領域である所定領域に，上辺深さ略２センチ，下辺，左辺，右辺深さ略２ミリの凹部が形成されていることが示され，前記（２−８）において，凹部の内周よりも内側に挿通口が設けられていることが示され，前記（２−９）において，係止片が枠体の外方側面よりも内側に設けられていることが示され，前記（２−１１）において，係止片が挿通口に挿通されることにより，環状に形成された枠体の外方側面が，全周にわたり凹部に嵌合した状態で，一体化した枠体及び表示パネルが前面扉に取り付けられていることが示されている。 
　しかしながら，前記２（２）（２−４）の「写真検甲２（７）」，（２−９）の「写真検甲２（１３）」及び「写真検甲２（１４）」から，係止片が枠体の後端より前側かつ内側の部分（後端でない部分）から後方に突設する構成であることが明らかであるので，検甲第２号証は「係止片が前記枠体の後端より後ろ向きに突設し」た構成を備えるものではない。
　また，前記「写真検甲２（７）」，「写真検甲２（１３）」及び「写真検甲２（１４）」から明らかなように，検甲第２号証の枠体の後端は内外方向の厚みが十分でなく，係止片の取付部を枠体の後端で枠体の上辺又は下辺よりも内側に設けることはできないから，上記構成１Ｈ（１−１）にすることはできない。
　前記「第５　当審の判断」の冒頭において言及したように，検甲第４号証の検証は行わなかったが，検甲第４号証は検甲第２号証と同一の物件であるから，検甲第２号証と同様に，「係止片が前記枠体の後端より後ろ向きに突設し」た構成を備えるものではなく，上記構成１Ｈ（１−１）にすることもできない。
　甲１発明の枠体及び凹部の構成を，検甲第１〜２号証に記載された枠体及び凹部の構成にすると，係止片が枠体の後端より前側かつ内側の部分（後端でない部分）から後方に突設する構成になるから，「係止片が前記枠体の後端より後ろ向きに突設し」た構成を含む上記構成１Ｈ（１−１）にすることはできない。
　また，甲１発明の枠体及び凹部の構成を，検甲第１〜２号証に記載された枠体及び凹部の構成にした状態で，係止片の取付部を枠体の後端で枠体の上辺又は下辺よりも内側に設けようとしても，既に検討したように，検甲第１〜２号証の枠体の後端は内外方向の厚みが十分でないから，上記構成１Ｈ（１−１）にすることはできない。
　しかも，甲１発明の係止片に相当する部分の取付部の構造を，検甲第１〜２号証に記載された技術事項に基づいて，タイトルパネル枠５９０（枠体）の後端で，タイトルパネル枠５９０（枠体）の上辺又は下辺よりも内側に設けようとしても，既に検討したように，甲１発明のタイトルパネル枠５９０（枠体）の係止片に相当する部分の取付部，及びタイトルパネル枠５９０（枠体）の後端は，内外方向の厚みが十分でないから，上記構成１Ｈ（１−１）にすることはできない。
　甲第１４号証には，自動販売機等の商品表示パネル（１）に，表示看板（７）が圧着され環状に形成された表示枠（４）の外方側面が全周にわたり嵌合する段落部（２）が形成されている技術が記載されている。
　しかしながら，甲第１４号証に記載された技術は，係止片を枠体の上辺又は下辺よりも内側に設けたものではないから，甲１発明のタイトルパネル枠５９０（枠体）の後端，又は検甲第１〜２号証の枠体の後端に，甲第１４号証に記載された技術事項を適用しても，上記構成１Ｈ（１−１）にすることはできない。
　甲第１６号証には，インストルメントパネル１９の凹部の内周よりも内側に透孔２０が形成され，表示板の外方側面よりも内側に設けられた係止脚１３，１３が透孔２０に挿通されることにより，表示板１０がインストルメントパネル１９に係合される技術が記載されている。
　しかしながら，甲第１６号証に記載された技術は，１つの透孔２０（挿通口）に複数の係止脚１３，１３（係止片）を挿通させる技術であり，本件特許発明１のような複数の係止片を対応する複数の挿通口にそれぞれ挿通する技術ではないから，甲１発明のタイトルパネル枠５９０（枠体）の後端，及び検甲第１〜２号証の枠体の後端に，甲第１６号証に記載された技術を適用することはできない。
　甲第１７号証には，カバー４の凹部の内周よりも内側に開口３が形成され，パネル１の外方側面よりも内側に設けられたＬ型状取付爪２が開口３に挿通されることにより，パネル１がカバー４に係合される技術が記載されている。
　しかしながら，甲第１７号証に記載された技術は，Ｌ型状取付爪２（係止爪）を内側（内向き）に形成するものであり，本件特許発明１のような「前記第１の係止爪と前記第２の係止爪はそれぞれ外向きに形成」する技術ではないから，係止片が外向きに形成された状態を維持した状態で，甲１発明のタイトルパネル枠５９０（枠体）の後端，及び検甲第１〜２号証の枠体の後端に，甲第１６号証に記載された技術を適用することはできない。
　しかも，既に検討したように，甲１発明のタイトルパネル枠５９０（枠体）の後端，検甲第１〜２号証の枠体の後端は内外方向の厚みが十分でなく，係止片の取付部を，枠体の後端で，枠体の上辺又は下辺よりも内側に設けることはできないから，甲１発明のタイトルパネル枠５９０（枠体）の後端，又は検甲第１〜２号証の枠体の後端に，甲第１６〜１７号証に記載された技術事項を適用して，上記構成１Ｈ（１−１）にすることはできない。
　また，甲第２〜１３号証には，いずれも「係止片が前記枠体の後端より後ろ向きに突設し」た構成は記載されていないから，上記構成１Ｈ（１−１）は記載されていない。
　しかも，他の証拠をみても，上記構成１Ｈ（１−１）は記載されておらず，周知でもない。
　したがって，甲１発明，甲第２〜１３号証に記載された発明，甲第１４〜３８号証と検甲第１〜４号証で示される周知技術に基づいて，相違点３に係る本件特許発明１の構成とすることは，当業者が容易になし得たものであるとはいえない。
（２−２）相違点４について
　相違点４に係る本件特許発明１の構成には，「前記第１の係止片」及び「前記第２の係止片」が含まれ，「前記第１の係止片」及び「前記第２の係止片」は，前記「（２−１）相違点３について」において既に検討した前記構成１Ｈ（１−１）であることを前提とした構成である。
　前記「（２−１）相違点３について」において既に検討したように，上記構成１Ｈ（１−１）は，甲１発明，甲第２〜１３号証，甲第１４，１６，１７号証，検甲第１〜２号証及び他の証拠には記載されておらず，周知でもなく，甲１発明，甲第２〜１３号証に記載された発明，甲第１４〜３８号証と検甲第１〜４号証で示される周知技術に基づいて上記構成１Ｈ（１−１）とすることができない構成である。
　以上のことから，上記構成１Ｈ（１−１）を前提とした「前記第１の係止片」及び「前記第２の係止片」を含む相違点４に係る本件特許発明１の構成も，当業者が容易になし得たものであるとはいえない。
　したがって，甲１発明，甲第２〜１３号証に記載された発明，甲第１４〜３８号証と検甲第１〜４号証で示される周知技術に基づいて，相違点４に係る本件特許発明１の構成とすることは，当業者が容易になし得たものであるとはいえない。
　なお，前記「第５　当審の判断」の冒頭において言及したように，請求人は，検甲第１〜２号証が，相違点４に係る本件特許発明１の構成である「（前記枠体の後端縁の上辺と前記第１の係止片との間の）第１の領域が（前記凹部の底面周縁の上辺と前記第１の挿通口の上辺との間の）第２の領域において当接」する構成，及び「前記枠体の後端縁の上辺と前記凹部の底面周縁の上辺が左右方向全幅にわたって当接」する構成を備えることを立証するために，平成２８年４月１４日付けで検証申出書を提出している。
　しかしながら，既に検討したように，相違点４に係る本件特許発明１の構成は，上記構成１Ｈ（１−１）を前提とした「前記第１の係止片」及び「前記第２の係止片」を含むことにより当業者が容易になし得たものであるとはいえない。
　このことから，検甲第１〜２号証（検甲第３〜４号証）が，「（前記枠体の後端縁の上辺と前記第１の係止片との間の）第１の領域が（前記凹部の底面周縁の上辺と前記第１の挿通口の上辺との間の）第２の領域において当接」する構成，及び「前記枠体の後端縁の上辺と前記凹部の底面周縁の上辺が左右方向全幅にわたって当接」する構成を備えることを立証できたとしても，「前記第１の係止片」及び「前記第２の係止片」を，上記構成１Ｈ（１−１）である「先端に第１の係止爪を有する第１の係止片が前記枠体の後端より後ろ向きに突設し前記枠体の上辺よりも内側に前記枠体の上辺に沿って前記枠体の上辺の両端寄りに２個設けられ，先端に第２の係止爪を有する第２の係止片が前記枠体の後端より後ろ向きに突設し前記枠体の下辺よりも内側に前記枠体の下辺に沿って前記枠体の下辺の両端寄りに２個設けられ，」「前記第１の係止爪と前記第２の係止爪はそれぞれ外向きに形成され」る構成にすることはできず，判断に何ら影響はないから，検証を行う必要は認められない。
（３）小括 
　以上のことから，上記相違点３〜４に係る本件特許発明１の構成は，甲１発明，甲第２〜１３号証に記載された発明，甲第１４〜３８号証と検甲第１〜４号証で示される周知技術に基づいて，相違点４に係る本件特許発明１の構成とすることは，当業者が容易になし得たものであるとはいえない。
　したがって，上記相違点１〜２について検討するまでもなく，本件特許発明１は，特許法第２９条第２項の規定に反してされた特許であるとはいえず，特許法第１２３条第１項第２号の規定に該当せず，その特許は無効とされるべきものではない。
３−２　本件特許発明２及び５について
　本件特許発明２及び５は，本件特許発明１を引用するものであり，本件特許の請求項２及び５に記載された発明特定事項を付加するものである。
　したがって，本件特許発明１が甲１発明，甲第２〜１３号証に記載された発明，甲第１４〜３８号証と検甲第１〜４号証で示される周知技術に基づいて，本件出願日前に当業者が容易に発明することができたものであるとはいえない以上，本件特許発明２及び５についても，甲１発明，甲第２〜１３号証に記載された発明，甲第１４〜３８号証と検甲第１〜４号証で示される周知技術に基づいて，本件出願日前に当業者が容易に発明することができたものであるとはいえない。 
　以上のことから，本件特許発明２及び５は，特許法第２９条第２項の規定に反してされた特許であるとはいえず，特許法第１２３条第１項第２号の規定に該当せず，その特許は無効とされるべきものではない。  
　
第６　むすび 
　本件特許発明１，２及び５は，特許法第２９条第２項の規定により特許を受けることができないものではないから，当該発明に係る特許は，請求人の主張する無効理由及び提出した証拠方法によっては無効にすることはできない。 
　審判に関する費用については，特許法第１６９条第２項の規定で準用する民事訴訟法第６１条の規定により，請求人が負担すべきものとする。 
　よって，結論のとおり審決する。